(57)【特許請求の範囲】
【請求項１】
複数の秤量部と、
薬品又は薬品の包装材から薬品識別情報を読み取る情報読取部と、
前記情報読取部によって読み取られる前記薬品識別情報に対応付ける一又は複数の前記秤量部を特定する秤量特定部と、
前記情報読取部によって前記薬品識別情報が読み取られると、前記薬品識別情報に対応する秤量部として前記秤量特定部で特定された一又は複数の前記秤量部の秤量結果と処方データとの照合処理を開始する照合処理部と、
を備える鑑査支援装置。
【請求項２】
前記照合処理部が、前記情報読取部によって前記薬品識別情報が読み取られるごとに前記照合処理を開始する、
請求項１に記載の鑑査支援装置。
【請求項３】
前記秤量特定部が、前記情報読取部による前記薬品識別情報の読み取り後に秤量値が０から増加した一又は複数の前記秤量部を前記薬品識別情報に対応付ける秤量部として特定する請求項１又は２に記載の鑑査支援装置。
【請求項４】
前記秤量特定部が、前記情報読取部による前記薬品識別情報の読み取り後、前記情報読取部により異なる前記薬品識別情報が読み取られるまでの間に秤量値が０から増加した一又は複数の前記秤量部を前記薬品識別情報に対応付ける秤量部として特定する請求項３に記載の鑑査支援装置。
【請求項５】
前記処方データが、同一用法単位の処方データである請求項１〜４のいずれかに記載の鑑査支援装置。
【請求項６】
前記照合処理部が、前記情報読取部で読み取られる薬袋に記載された処方識別情報に基づいて鑑査対象の前記処方データを取得可能である請求項５に記載の鑑査支援装置。
【請求項７】
前記照合処理部が、ユーザー操作に応じて複数の前記処方データから鑑査対象の前記処方データを選択可能である請求項１〜６のいずれかに記載の鑑査支援装置。
【請求項８】
表示部と、
前記秤量部各々に対応する秤量表示領域を前記秤量部各々と同じ配列で前記表示部に表示させると共に、前記秤量部による秤量結果及び前記照合処理部による照合結果を前記秤量表示領域に表示させる表示処理部と、
を備える請求項１〜７のいずれかに記載の鑑査支援装置。
【請求項９】
薬品の種類ごとに予め定められた単位量当たりの重量を取得する単位重量取得部と、前記秤量部による秤量結果を前記単位重量取得部によって取得された前記単位量当たりの重量に基づいて予め定められた単位に換算する単位換算処理部と、を備え、
前記表示処理部が、前記単位換算処理部によって換算された前記秤量結果を前記秤量表示領域に表示させる請求項８に記載の鑑査支援装置。
【請求項１０】
前記照合処理部が、前記単位換算処理部によって換算された前記秤量結果と前記処方データとを照合する請求項９に記載の鑑査支援装置。
【請求項１１】
前記鑑査支援装置に対して開閉可能に設けられ、前記表示部を支持するカバー部材を備える請求項８〜１０のいずれかに記載の鑑査支援装置。
【請求項１２】
前記カバー部材が、前記鑑査支援装置に対して回動支持部により回動可能に支持され、
前記表示部が、前記カバー部材の閉鎖時に表示面が前記秤量部に対向する姿勢で前記カバー部材に支持されている請求項１１に記載の鑑査支援装置。
【請求項１３】
複数の前記秤量部に亘って載置可能な拡張載置部を備え、
前記照合処理部が、前記拡張載置部が載置された複数の前記秤量部による秤量結果の合計と前記処方データとを照合可能である請求項８〜１２のいずれかに記載の鑑査支援装置。
【請求項１４】
前記表示処理部が、複数の前記秤量表示領域に代えて前記拡張載置部に対応する拡張秤量表示領域を表示すると共に、前記照合処理部の照合結果を前記拡張秤量表示領域に表示する請求項１３に記載の鑑査支援装置。
【請求項１５】
前記処方データに処方薬品として含まれる一種類又は複数種類の薬品のうち予め特定された目視鑑査対象薬品に対応する薬品名称、薬品画像、及び処方量を表示させると共に、予め定められた確認操作に応じて前記目視鑑査対象薬品の鑑査を完了させる目視鑑査処理部を備える請求項８〜１４のいずれかに記載の鑑査支援装置。
【請求項１６】
前記処方データに処方薬品として含まれる全ての薬品について前記照合処理部による照合又は前記目視鑑査処理部による鑑査完了が行われた場合に前記処方データの鑑査完了を通知する鑑査完了通知部を備える請求項１５に記載の鑑査支援装置。
【請求項１７】
前記秤量部を撮影可能な撮影部と、
前記撮影部による撮影画像を記録する撮影処理部と、
を備える請求項８〜１６のいずれかに記載の鑑査支援装置。
【請求項１８】
前記撮影処理部が、全ての前記秤量部による秤量値が確定した場合、前記処方データに含まれる全ての薬品について前記照合処理部による照合が終了した場合、又は予め定められた撮影操作が行われた場合に、前記撮影部による撮影画像を記録する請求項１７に記載の鑑査支援装置。
【請求項１９】
前記撮影処理部が、全ての前記秤量部による秤量値が確定した場合、前記処方データに含まれる全ての薬品について前記照合処理部による照合が終了した場合、又は予め定められた撮影操作が行われた場合に、前記表示部に撮影開始の旨を表示させた後、予め定められた待機時間が経過してから前記撮影部に前記秤量部を撮影させる請求項１８に記載の鑑査支援装置。
【請求項２０】
複数の前記秤量部の外側に連続的又は断続的に形成された目印線が前記鑑査支援装置に設けられており、
前記撮影処理部が、前記撮影部による撮影画像において前記目印線を遮蔽する遮蔽物が存在しないことを条件に前記撮影部による撮影画像を記録する請求項１８又は１９に記載の鑑査支援装置。
【請求項２１】
前記撮影処理部が、前記撮影部による撮影画像において前記目印線を遮蔽する遮蔽物の長さ又は面積が予め定められた閾値未満であることを条件に前記撮影部による撮影画像を記録する請求項２０に記載の鑑査支援装置。
【請求項２２】
前記秤量部に設けられる秤量皿又は複数の前記秤量部に亘って載置される拡張載置部に前記目印線の一部又は全部が形成されている請求項２０又は２１に記載の鑑査支援装置。
【請求項２３】
相互に離間する複数の補正指標部が前記鑑査支援装置に設けられており、
前記撮影処理部が、前記撮影部による撮影画像に存在する複数の前記補正指標部に基づいて前記撮影部による撮影画像の台形補正を実行する請求項１７〜２２のいずれかに記載
の鑑査支援装置。
【請求項２４】
前記撮影部が、全ての前記秤量部を同時に撮影可能である請求項１７〜２３のいずれかに記載の鑑査支援装置。
【請求項２５】
複数の秤量部と薬品又は薬品の包装材から薬品識別情報を読み取る情報読取部とを備える鑑査支援装置における鑑査支援方法であって、
前記情報読取部によって読み取られる前記薬品識別情報に対応付ける一又は複数の前記秤量部を特定する秤量特定ステップと、
前記情報読取部によって前記薬品識別情報が読み取られると、前記薬品識別情報に対応する秤量部として前記秤量特定ステップで特定された一又は複数の前記秤量部の秤量結果と処方データとの照合処理を開始する照合処理ステップと、
を備える鑑査支援方法。
【請求項２６】
複数の秤量部と薬品又は薬品の包装材から薬品識別情報を読み取る情報読取部とを備える鑑査支援装置の制御部に、
前記情報読取部によって読み取られる前記薬品識別情報に対応付ける一又は複数の前記秤量部を特定する秤量特定ステップと、
前記情報読取部によって前記薬品識別情報が読み取られると、前記薬品識別情報に対応する秤量部として前記秤量特定ステップで特定された一又は複数の前記秤量部の秤量結果と処方データとの照合処理を開始する照合処理ステップと、
を実行させるための鑑査支援プログラム。
【請求項２７】
前記秤量部各々による秤量結果と処方データとに基づいて前記秤量部各々に対応付ける薬品識別情報を特定する第２秤量特定部と、
前記秤量部による秤量結果の確定後に前記情報読取部により前記薬品識別情報が読み取られた場合に前記第２秤量特定部により特定された前記薬品識別情報の鑑査を完了させる鑑査完了処理部と、
を備える請求項１〜２４のいずれかに記載の鑑査支援装置。
【請求項２８】
薬品の種類ごとに予め定められた単位量当たりの重量を取得する単位重量取得部を更に備え、
前記第２秤量特定部が、前記処方データに含まれる薬品の数量を前記単位重量取得部により取得される前記薬品の単位重量に基づいて換算した前記薬品の重量と一致又は最も近似する前記秤量結果が得られた前記秤量部と前記薬品の前記薬品識別情報とを対応付ける請求項２７に記載の鑑査支援装置。
【請求項２９】
薬品の種類ごとに予め定められた単位量当たりの重量を取得する単位重量取得部を更に備え、
前記第２秤量特定部が、薬品の秤量値を前記単位重量取得部により取得される前記薬品の単位重量に基づいて換算した前記薬品の数量が前記処方データに含まれる薬品の数量と一致又は最も近似する前記秤量結果が得られた前記秤量部と前記薬品の前記薬品識別情報とを対応付ける請求項２７に記載の鑑査支援装置。
【請求項３０】
前記秤量部各々による秤量結果と処方データとに基づいて前記秤量部各々に対応付ける薬品識別情報を特定する第２秤量特定ステップと、
前記秤量部による秤量結果の確定後に前記情報読取部により前記薬品識別情報が読み取られた場合に前記第２秤量特定ステップにより特定された前記薬品識別情報の鑑査を完了させる鑑査完了ステップと、
を備える請求項２５に記載の鑑査支援方法。
【請求項３１】
前記制御部に、
前記秤量部各々による秤量結果と処方データとに基づいて前記秤量部各々に対応付ける薬品識別情報を特定する第２秤量特定ステップと、
前記秤量部による秤量結果の確定後に前記情報読取部により前記薬品識別情報が読み取られた場合に前記第２秤量特定ステップにより特定された前記薬品識別情報の鑑査を完了させる鑑査完了ステップと、
を実行させるための請求項２６に記載の鑑査支援プログラム。
【発明の詳細な説明】
【技術分野】
【０００１】
本発明は、処方データに基づいて調剤された薬品を鑑査する薬剤師等の業務を支援するために用いられる鑑査支援装置、及び鑑査支援方法に関する。
【背景技術】
【０００２】
一般に、処方データに基づいて薬品が調剤された薬品を鑑査する薬剤師等の業務を支援するために用いられる鑑査支援装置が知られている。例えば、複数の秤量部に載置される薬品の総量に基づいて調剤内容の適否が判定される調剤鑑査システムが知られている（例えば特許文献１参照）。
【先行技術文献】
【特許文献】
【０００３】
【特許文献１】特開２０１３−４２７９５号公報
【発明の概要】
【発明が解決しようとする課題】
【０００４】
しかしながら、前述の調剤鑑査システムでは処方データに含まれる全ての種類の処方薬品が複数の秤量部に載置された後、その総量が秤量されて調剤内容の適否が判定される。そのため、処方データに含まれる全ての種類の処方薬品を秤量部に載置しなければ鑑査を開始することができない。
【０００５】
本発明の目的は、処方データに含まれる複数種類の処方薬品の鑑査を効率的且つ正確に行うことのできる鑑査支援装置及び鑑査支援方法を提供することにある。
【課題を解決するための手段】
【０００６】
本発明に係る鑑査支援装置は、複数の秤量部と、薬品の包装材から薬品識別情報を読み取る情報読取部と、前記情報読取部によって読み取られる前記薬品識別情報に対応付ける一又は複数の前記秤量部を特定する秤量特定部と、前記情報読取部によって前記薬品識別情報が読み取られるごとに、前記薬品識別情報に対応する秤量部として前記秤量特定部で特定された一又は複数の前記秤量部の秤量結果と処方データとの照合処理を開始する照合処理部とを備える。
【０００７】
また、本発明に係る鑑査支援方法は、複数の秤量部と薬品の包装材から薬品識別情報を読み取る情報読取部とを備える鑑査支援装置における鑑査支援方法であって、前記情報読取部によって読み取られる前記薬品識別情報に対応付ける一又は複数の前記秤量部を特定する秤量特定ステップと、前記情報読取部によって前記薬品識別情報が読み取られるごとに、前記薬品識別情報に対応する秤量部として前記秤量特定ステップで特定された一又は複数の前記秤量部の秤量結果と処方データとの照合処理を開始する照合処理ステップとを備える。
【０００８】
本発明によれば、前記薬品識別情報の読み取りごとに前記照合処理が開始され、前記処方データに含まれる処方薬品の鑑査を連続且つ並列で行うことが可能である。そのため、例えば前記処方薬品各々の鑑査作業及び前記処方薬品各々の薬袋への収容作業を効率的且つ正確に行うことが可能となる。
【０００９】
具体的には、前記秤量特定部が、前記情報読取部による前記薬品識別情報の読み取り後に秤量値が０から増加した一又は複数の前記秤量部を前記薬品識別情報に対応付ける秤量部として特定することが考えられる。特に、前記秤量特定部が、前記情報読取部による前記薬品識別情報の読み取り後、前記情報読取部により異なる前記薬品識別情報が読み取られるまでの間に秤量値が０から増加した一又は複数の前記秤量部を前記薬品識別情報に対応付ける秤量部として特定することが考えられる。これにより、前記薬品識別情報を読み取った後に任意の前記秤量部に薬品を載置することにより、簡単に一又は複数の前記秤量部を用いた前記照合処理を実行させることができる。
【００１０】
ここで、前記処方データは、同一用法単位の処方データ（後述のＲｐデータ）であることが考えられる。これにより、同一の薬袋に収容される同一用法単位の処方データごとに鑑査を連続且つ並列で行うことが可能であり、前記薬袋への前記処方薬の入れ間違いを抑制することができる。
【００１１】
ところで、前記照合処理部は、前記情報読取部で読み取られる薬袋に記載された処方識別情報に基づいて鑑査対象の前記処方データを取得可能であることが考えられる。また、前記照合処理部は、ユーザー操作に応じて複数の前記処方データから鑑査対象の前記処方データを選択可能であることが考えられる。
【００１２】
また、前記鑑査支援装置が、表示部と、前記秤量部各々に対応する秤量表示領域を前記秤量部各々と同じ配列で前記表示部に表示させると共に、前記秤量部による秤量結果及び前記照合処理部による照合結果を前記秤量表示領域に表示させる表示処理部と、を備えることが考えられる。これにより、ユーザーは、前記秤量部各々の秤量結果を前記秤量表示領域で直感的に確認することができる。
【００１３】
また、前記鑑査支援装置は、薬品の種類ごとに予め定められた単位量当たりの重量を取得する単位重量取得部と、前記秤量部による秤量結果を前記単位重量取得部によって取得された前記単位量当たりの重量に基づいて予め定められた単位に換算する単位換算処理部と、を備えることが考えられる。この場合、前記表示処理部が、前記単位換算処理部によって換算された前記秤量結果を前記秤量表示領域に表示させることが考えられる。これにより、例えば重量を示す「ｍｇ」のような単位ではなく、例えば「錠」、「カプセル」、又は「包」のような予め定められた単位で表示することができるため、ユーザーが薬品の数量の適否を把握しやすい。
【００１４】
さらに、前記照合処理部が、前記単位換算処理部によって換算された前記秤量結果と前記処方データとを照合することが考えられる。これにより、前記照合処理部が、前記単位換算処理部によって換算された前記秤量結果を利用することができるため、例えば前記秤量結果を利用せずに、前記処方データに示されている薬品の単位を重量の単位に変換して照合を行う場合に比べて処理が簡素化される。
【００１５】
また、前記鑑査支援装置は、前記鑑査支援装置に対して開閉可能に設けられ、前記表示部を支持するカバー部材を備えることが考えられる。これにより、前記表示部が前記カバー部材と一体となるため、前記鑑査支援装置の小型化を図ることができる。
【００１６】
また、前記カバー部材が、前記鑑査支援装置に対して回動支持部により回動可能に支持されており、前記表示部が、前記カバー部材の閉鎖時に表示面が前記秤量部に対向する姿勢で前記カバー部材に支持されていることが考えられる。これにより、例えばユーザーは、前記カバー部材を開いて前記秤量部及び前記表示部を一度に見渡すことができる状態で視線を大きく動かすことなく鑑査作業を行うことができる。
【００１７】
ところで、前記鑑査支援装置が、複数の前記秤量部に亘って載置可能な拡張載置部を備えることが考えられる。この場合、前記照合処理部が、前記拡張載置部が載置された複数の前記秤量部による秤量結果の合計と前記処方データとを照合可能であることが考えられる。これにより、量の多い薬品又はサイズが大きい薬品についても前記拡張載置部を用いることにより前記鑑査支援装置で鑑査作業を行うことができる。
【００１８】
また、前記表示処理部が、複数の前記秤量表示領域に代えて前記拡張載置部に対応する拡張秤量表示領域を表示すると共に、前記照合処理部の照合結果を前記拡張秤量表示領域に表示することが考えられる。これにより、例えば複数の前記秤量表領域に前記照合結果が表示される場合に比べてユーザーが見るべき箇所が前記拡張秤量表示領域に限定されるため、ユーザーの作業効率を高めることができる。
【００１９】
また、前記鑑査支援装置が、前記処方データに処方薬品として含まれる一種類又は複数種類の薬品のうち予め特定された目視鑑査対象薬品に対応する薬品名称、薬品画像、及び処方量を表示させると共に、予め定められた確認操作に応じて前記目視鑑査対象薬品の鑑査を完了させる目視鑑査処理部を備えることが考えられる。これにより、前記処方データに、前記秤量部を用いた秤量鑑査を行うことが適切でない処方薬品が含まれる場合にも、前記鑑査支援装置を用いて前記処方データに含まれる処方薬品についての鑑査を完了させることができる。
【００２０】
さらに、前記鑑査支援装置が、前記処方データに処方薬品として含まれる全ての薬品について前記照合処理部による照合又は前記目視鑑査処理部による鑑査完了が行われた場合に前記処方データの鑑査完了を通知する鑑査完了通知部を備えることが考えられる。これにより、ユーザーは、前記処方データに含まれる処方薬品の鑑査が終了したことを明確に認識することができる。
【００２１】
また、前記鑑査支援装置が、前記秤量部を撮影可能な撮影部と、前記撮影部による撮影画像を記録する撮影処理部とを備えることが考えられる。より具体的に、前記撮影処理部は、全ての前記秤量部による秤量値が確定した場合、前記処方データに含まれる全ての薬品について前記照合処理部による照合が終了した場合、又は予め定められた撮影操作が行われた場合に、前記撮影部による撮影画像を記録することが考えられる。これにより、前記鑑査支援装置を用いて行われた鑑査業務における前記秤量部の状態を記録として残して後で照会することが可能である。なお、前記撮影部は、前記秤量表示領域を含む範囲を撮影可能なものであってもよい。特に、前記撮影処理部が、全ての前記秤量部による秤量値が確定した場合、前記処方データに含まれる全ての薬品について前記照合処理部による照合が終了した場合、又は予め定められた撮影操作が行われた場合に、前記表示部に撮影開始の旨の表示させた後、予め定められた待機時間が経過してから前記撮影部に前記秤量部を撮影させることが考えられる。これにより、ユーザーが手などを前記撮影部による撮影範囲の外に退避したタイミングで撮影が行われる可能性が高くなり、無駄な撮影が抑制される。
【００２２】
また、複数の前記秤量部の外側に連続的又は断続的に形成された目印線が前記鑑査支援装置に設けられており、前記撮影処理部が、前記撮影部による撮影画像において前記目印線を遮蔽する遮蔽物が存在しないことを条件に前記撮影部による撮影画像を記録することが考えられる。これにより、例えば前記撮影部の撮影範囲にユーザーの手などが入った状態で前記撮影部による前記撮影画像が記録されない。
【００２３】
特に、前記撮影処理部が、前記撮影部による撮影画像において前記目印線を遮蔽する遮蔽物の長さ又は面積が予め定められた閾値未満であることを条件に前記撮影部による撮影画像を記録することが考えられる。これにより、ユーザーの手などのようにある程度の面積を有する遮蔽物が存在する場合にのみ前記撮影画像の記録を制限し、ゴミのような遮蔽物が前記目印線を遮蔽している場合には問題なく前記撮影画像の記録を行うことができる。
【００２４】
ここで、前記秤量部に設けられる秤量皿又は複数の前記秤量部に亘って載置される拡張載置部に前記目印線の一部又は全部が形成されていることが考えられる。これにより、前記秤量皿又は前記拡張載置部の前記目印線が遮蔽されていない状況の撮影画像を記録することが可能となる。
【００２５】
ところで、前記撮影部が、前記秤量部の直上にあると鑑査作業の邪魔になるため、前記撮影部が斜め方向から前記秤量部を撮影する姿勢で設けられることが考えられるが、この場合には、前記秤量部の画像が台形状に捉えられることになる。そこで、相互に離間する複数の補正指標部が前記鑑査支援装置に設けられており、前記撮影処理部が、前記撮影部による撮影画像に存在する複数の前記補正指標部に基づいて前記撮影部による撮影画像の台形補正を実行することが考えられる。これにより、前記撮影部による前記撮影画像が補正され、前記秤量部を直上から撮影した場合に近似した撮影画像を得ることができる。また、前記撮影部は、全ての前記秤量部を同時に撮影可能であることが考えられる。
【００２６】
なお、本発明は、複数の秤量部と、前記秤量部各々による秤量結果と処方データとに基づいて前記秤量部各々に対応付ける薬品識別情報を特定する第２秤量特定部と、薬品の包装材から薬品識別情報を読み取る情報読取部と、前記秤量部による秤量結果の確定後に前記情報読取部により前記薬品識別情報が読み取られた場合に前記第２秤量特定部により特定された前記薬品識別情報の鑑査を完了させる鑑査完了処理部と、を備える鑑査支援装置として捉えてもよい。
【００２７】
また、本発明は、複数の秤量部と薬品の包装材から薬品識別情報を読み取る情報読取部とを備える鑑査支援装置における鑑査支援方法であって、前記秤量部各々による秤量結果と処方データとに基づいて前記秤量部各々に対応付ける薬品識別情報を特定する第２秤量特定ステップと、前記秤量部による秤量結果の確定後に前記情報読取部により前記薬品識別情報が読み取られた場合に前記第２秤量特定ステップにより特定された前記薬品識別情報の鑑査を完了させる鑑査完了ステップとを備える鑑査支援方法として捉えてもよい。
【００２８】
具体的に、薬品の種類ごとに予め定められた単位量当たりの重量を取得する単位重量取得部を更に備え、前記第２秤量特定部が、前記処方データに含まれる薬品の数量を前記単位重量取得部により取得される前記薬品の単位重量に基づいて換算した前記薬品の重量と一致又は最も近似する前記秤量結果が得られた前記秤量部と前記薬品の前記薬品識別情報とを対応付けることが考えられる。このように構成された前記鑑査支援装置では、ユーザーが、先に前記薬品を前記秤量部に載置させた後、前記情報読取部により前記薬品識別情報を読み取らせることにより、前記薬品の秤量鑑査を完了させることが可能である。
【００２９】
また、薬品の種類ごとに予め定められた単位量当たりの重量を取得する単位重量取得部を更に備え、前記第２秤量特定部が、薬品の秤量値を前記単位重量取得部により取得される前記薬品の単位重量に基づいて換算した前記薬品の数量が前記処方データに含まれる薬品の数量と一致又は最も近似する前記秤量結果が得られた前記秤量部と前記薬品の前記薬品識別情報とを対応付けることも考えられる。このように構成された前記鑑査支援装置でも、ユーザーが、先に前記薬品を前記秤量部に載置させた後、前記情報読取部により前記薬品識別情報を読み取らせることにより、前記薬品の秤量鑑査を完了させることが可能である。
【発明の効果】
【００３０】
本発明によれば、処方データに含まれる複数種類の処方薬品の鑑査を効率的且つ正確に行うことのできる鑑査支援装置及び鑑査支援方法が提供される。
【図面の簡単な説明】
【００３１】
【図１】図１は、本発明の実施形態に係る鑑査支援装置の構成を示すブロック図である。
【図２】図２は、本発明の実施形態に係る鑑査支援装置の構成を示す図である。
【図３】図３は、本発明の実施形態に係る鑑査支援装置の構成を示す図である。
【図４】図４は、本発明の実施形態に係る鑑査支援装置の構成を示す図である。
【図５】図５は、本発明の実施形態に係る鑑査支援装置の構成を示す図である。
【図６】図６は、本発明の実施形態に係る鑑査支援装置の構成を示す図である。
【図７】図７は、本発明の実施形態に係る鑑査支援装置で実行される鑑査支援処理の一例を示すフローチャートである。
【図８】図８は、本発明の実施形態に係る鑑査支援装置の表示画面の一例を示す図である。
【図９】図９は、本発明の実施形態に係る鑑査支援装置の表示画面の一例を示す図である。
【図１０】図１０は、本発明の実施形態に係る鑑査支援装置の表示画面の一例を示す図である。
【図１１】図１１は、本発明の実施形態に係る鑑査支援装置の表示画面の一例を示す図である。
【図１２】図１２は、本発明の実施形態に係る鑑査支援装置の表示画面の一例を示す図である。
【図１３】図１３は、本発明の実施形態に係る鑑査支援装置で実行される秤量鑑査処理の手順の一例を示すフローチャートである。
【図１４】図１４は、本発明の実施形態に係る鑑査支援装置の台形補正機能を説明するための図である。
【図１５】図１５は、本発明の実施形態に係る鑑査支援装置の台形補正機能を説明するための図である。
【図１６】図１６は、本発明の実施形態に係る鑑査支援装置の台形補正機能を説明するための図である。
【図１７】図１７は、本発明の実施形態に係る鑑査支援装置の撮影制御機能を説明するための図である。
【図１８】図１８は、本発明の実施形態に係る鑑査支援装置の撮影制御機能を説明するための図である。
【図１９】図１９は、本発明の他の実施形態に係る鑑査支援装置の構成を示す図である。
【図２０】図２０は、本発明の他の実施形態に係る鑑査支援装置の構成を示す図である。
【図２１】図２１は、本発明の他の実施形態に係る鑑査支援装置の構成を示す図である。
【図２２】図２２は、本発明の実施形態に係る鑑査支援装置の表示画面の一例を示す図である。
【図２３】図２３は、本発明の実施形態に係る鑑査支援装置の撮影制御機能の他の例を説明するための図である。
【図２４】図２４は、本発明の実施形態に係る鑑査支援装置の撮影制御機能の他の例を説明するための図である。
【図２５】図２５は、本発明の実施形態に係る鑑査支援装置の撮影制御機能の他の例を説明するための図である。
【図２６】図２６は、本発明の実施形態に係る鑑査支援装置の秤量皿及び大皿の他の例を説明するための図である。
【図２７】図２７は、本発明の実施形態に係る鑑査支援装置の台形補正機能の他の例を説明するための図である。
【図２８】図２８は、本発明の実施形態に係る鑑査支援装置の台形補正機能の他の例を説明するための図である。
【図２９】図２９は、本発明の実施形態に係る鑑査支援装置の構成を示すブロック図である。
【図３０Ａ】図３０Ａは、本発明の実施形態に係る鑑査支援装置の表示画面の一例を示す図である。
【図３０Ｂ】図３０Ｂは、本発明の実施形態に係る鑑査支援装置の表示画面の一例を示す図である。
【図３０Ｃ】図３０Ｃは、本発明の実施形態に係る鑑査支援装置の表示画面の一例を示す図である。
【図３０Ｄ】図３０Ｄは、本発明の実施形態に係る鑑査支援装置の表示画面の一例を示す図である。
【図３０Ｅ】図３０Ｅは、本発明の実施形態に係る鑑査支援装置の表示画面の一例を示す図である。
【図３１Ａ】図３１Ａは、本発明の実施形態に係る鑑査支援装置の表示画面の一例を示す図である。
【図３１Ｂ】図３１Ａは、本発明の実施形態に係る鑑査支援装置の表示画面の一例を示す図である。
【図３２】図３２は、本発明の実施形態に係る鑑査支援装置の表示画面の一例を示す図である。
【発明を実施するための形態】
【００３２】
［第１実施形態］
以下添付図面を参照しながら、本発明の実施形態について説明し、本発明の理解に供する。なお、以下の実施形態は、本発明を具体化した一例であって、本発明の技術的範囲を限定する性格のものではない。
【００３３】
［医療システム１］
図１に示すように、医療システム１は、鑑査支援装置１００、調剤支援システム２００及びレセプトシステム３００などを備える。前記鑑査支援装置１００、前記調剤支援システム２００、及び前記レセプトシステム３００は、ＬＡＮ又はインターネット等のネットワークＮ１を介して通信可能に接続される。
【００３４】
［調剤支援システム２００］
前記調剤支援システム２００は、電子カルテシステム又は処方オーダーシステムなどの上位システムから処方データを受信する。そして、前記調剤支援システム２００は、前記処方データに基づいて、錠剤分包機及び散薬分包機などの調剤機器で使用される調剤データを生成し、前記調剤機器に送信する。前記錠剤分包機は、１種類又は複数種類の錠剤を服用時期ごとに分包紙に分包することが可能であり、前記散薬分包機は、１種類又は複数種類の散薬を服用時期ごとに分包紙に分包することが可能である。また、錠剤及び散薬を同一の分包紙に分包することが可能な前記錠剤分包機又は前記散薬分包機も知られている。なお、分包紙は透明又は半透明な材料で形成されており、前記分包紙の内部に収容された薬品は外部から視認可能である。また、前記錠剤分包機又は前記散薬分包機は、前記分包紙に患者名、服用時期、及び薬品名などを記載する分包プリンターなども備える。
【００３５】
ここで、前記調剤支援システム２００は、前記処方データを予め設定された記憶装置に共有可能な状態で記憶する。これにより、前記鑑査支援装置１００は、前記調剤支援システム２００の前記記憶装置から前記処方データを取得することが可能である。また、前記調剤支援システム２００から前記鑑査支援装置１００に能動的に前記処方データが送信されることも考えられる。前記調剤支援システム２００から取得される前記処方データは、例えば前記調剤支援システムで編集されたオリジナルフォーマット形式のデータであってもよい。なお、前記鑑査支援装置１００が取得する前記処方データは、前記調剤支援システム２００が前記上位システムから取得した処方データに限らず、前記調剤支援システム２００において前記処方データに基づいて生成された前記調剤データであってもよい。
【００３６】
［レセプトシステム３００］
前記レセプトシステム３００は、電子カルテシステム又は処方オーダーシステムなどの上位システムから診療内容及び処方データなどの診療データを受信する。そして、前記レセプトシステム３００は、前記診療データに基づく医療費の計算及び請求書の発行などのレセプト業務を支援するために用いられる。
【００３７】
ここで、前記レセプトシステム３００は、前記処方データを予め設定された記憶装置に共有可能な状態で記憶する。これにより、前記鑑査支援装置１００は、前記レセプトシステム３００の前記記憶装置から前記処方データを取得することが可能である。また、前記レセプトシステム３００から前記鑑査支援装置１００に能動的に前記処方データが送信されることも考えられる。前記レセプトシステム３００から取得される前記処方データは、例えばＮＳＩＰＳ仕様で定められたテキストファイルフォーマットである。
【００３８】
［鑑査支援装置１００］
図１及び図２に示すように、前記鑑査支援装置１００は、制御部１０、表示部２０、操作部３０、記憶部４０、秤量装置５０、情報読取部６０、及び撮影部７０などを備える。前記鑑査支援装置１００は、病院、老健施設、又は薬局などの医療機関において、前記処方データに基づいて調剤された薬品の最終鑑査を行う薬剤師等の医療従事者の業務を支援するために用いられる。なお、前記秤量装置５０、前記情報読取部６０、及び前記撮影部７０は、例えばＵＳＢ、ＲＳ２３２Ｃ、又はＢｌｕｅｔｏｏｔｈ（登録商標）などの通信規格に従って前記制御部１０と通信可能に接続される。
【００３９】
本実施形態において、前記鑑査支援装置１００は、前記制御部１０、前記表示部２０、前記操作部３０、及び前記記憶部４０を含むタブレット端末８０を備える。これにより、前記鑑査支援装置１００の小型化を図ることができる。なお、前記鑑査支援装置１００が、前記制御部１０、前記表示部２０、前記操作部３０、及び前記記憶部４０を個別に備える構成も他の実施形態として考えられる。
【００４０】
前記鑑査支援装置１００は、不図示の電源コードにより商用交流電源に接続され、前記商用交流電源から供給される電力によって稼働する。また、前記タブレット端末８０には、二次電池が内蔵されており、前記商用交流電源で充電される。そのため、前記商用交流電源が遮断された場合でも前記タブレット端末８０は前記二次電池により一定時間稼働可能であり、例えば停電時のデータバックアップなどが可能である。
【００４１】
前記制御部１０は、ＣＰＵ、ＲＯＭ、ＲＡＭ、及びＥＥＰＲＯＭなどを備える。前記ＣＰＵは、各種の制御プログラムに従って各種の演算処理を実行するプロセッサーである。前記ＲＯＭは、前記ＣＰＵにより実行されるＢＩＯＳ等のプログラムが予め記憶された不揮発性メモリである。前記ＲＡＭ及び前記ＥＥＰＲＯＭは、前記ＣＰＵによる各種の制御プログラムの展開及びデータの一時記憶に用いられる揮発性メモリ及び不揮発性メモリである。
【００４２】
前記表示部２０及び前記操作部３０は、前記制御部１０によって制御されることにより、ユーザーに情報を表示すると共に、ユーザーの操作を受け付けるユーザインターフェースである。前記表示部２０は、液晶ディスプレイ又は有機ＥＬディスプレイなどを有しており、前記操作部３０は、前記表示部２０に配置されるタッチパネルなどを有する。具体的に、前記鑑査支援装置１００において、前記制御部１０は、前記表示部２０に各種の操作キーを表示させ、前記操作キーの操作を前記操作部３０が有する前記タッチパネルで検出することによりユーザー操作を受け付ける。なお、前記操作部３０は、マウス又はキーボードなどを含むものであってもよい。さらに、前記操作部３０は、音声認識により各種情報の入力を受け付ける音声操作入力部を有するものであってもよい。
【００４３】
また、前記鑑査支援装置１００は、図２及び図３に示すように、前記鑑査支援装置１００に対して開閉可能なカバー部材９０を備える。具体的に、前記カバー部材９０は、前記秤量装置５０の一端において回動支持部９１によって回動可能に支持されることにより、前記鑑査支援装置１００に対して開閉可能である。そして、前記カバー部材９０には、前記タブレット端末８０が配置されている。このように、前記鑑査支援装置１００では、前記カバー部材９０に前記タブレット端末８０が配置されることにより、前記鑑査支援装置１００の小型化が図られている。
【００４４】
ここで、前記タブレット端末８０は、前記表示部２０の表示面が前記カバー部材９０の内面側に露出する姿勢で前記カバー部材９０によって支持されている。特に、前記タブレット端末８０は、図３に示す前記カバー部材９０の閉鎖時に、前記表示部２０の表示面が前記秤量装置５０に設けられている後述の秤量部５１〜５４に対向する姿勢で前記カバー部材９０によって支持されている。これにより、図２に示すように、前記カバー部材９０が開かれている場合には、前記表示部２０及び前記操作部３０が、前記秤量装置５０の秤量部５１〜５４と対峙した状態となる。そのため、ユーザーは、前記表示部２０及び前記操作部３０と前記秤量装置５０の秤量部５１〜５４とを一度に見渡すことができる状態で視線を大きく動かすことなく鑑査作業を行うことができる。
【００４５】
前記記憶部４０は、前記制御部１０によって実行される各種のアプリケーションプログラム及び各種のデータが記憶されるソリッドステートドライブ又はフラッシュメモリ等の記憶装置である。なお、前記記憶部４０は、前記制御部１０に外部接続されるハードディスクドライブ等であってもよい。
【００４６】
前記記憶部４０には、前記制御部１０によって前記調剤支援システム２００又は前記レセプトシステム３００等から取得された前記処方データが記憶される。例えば、前記制御部１０は、予め定められたタイミングで前記調剤支援システム２００又は前記レセプトシステム３００等の記憶装置内の共有フォルダを参照し、前記共有フォルダに未取得の処方データが存在する場合にその処方データを取得する。
【００４７】
また、前記記憶部４０には、医薬品マスター及び患者マスター等の各種データベースが記憶されている。前記医薬品マスター及び前記患者マスターは、前記調剤支援システム２００又は前記レセプトシステム３００等との連動によって更新可能である。前記医薬品マスターには、薬品コード、規格量、ホストコード、薬品名称、薬品一般名称、ＪＡＮコード、ＲＳＳコード、ＹＪコード（個別医薬品コード）、ＧＳ１コード、薬瓶コード、剤形コード（散薬、錠剤、水剤、外用薬など）、形態コード、劇薬・管理薬品種類（向精神薬、麻薬）、管理（車高、金庫、冷所など）、及び単位（調剤単位）などの情報が含まれる。また、前記医薬品マスターには、単位量（単一）当たりの重量（裸錠）、ＰＴＰシート１枚当たりの重量、ＰＴＰ上部１錠分の耳付き重量、ＰＴＰ上部１錠分の耳なし重量、ＰＴＰシート１枚当たりの個数、及び薬品画像（裸薬、包装品）のファイル名称などの情報も含まれる。なお、ＰＴＰシートは、複数の錠剤又は複数のカプセルが個別に収容される包装材である。本実施形態では、ＰＴＰシートを例に挙げて説明するが、例えば所定量の錠剤又は粉薬が予め収容されたヒートシールも包装材の一例である。一方、前記患者マスターには、患者各々の患者コード、患者氏名、生年月日、及び性別などの情報が含まれる。なお、図２２は、前記医薬品マスターを参照又は編集するためのマスターメンテナンス画面Ｄ１３の一例を示す図である。前記制御部１０は、ユーザー操作に応じて前記マスターメンテナンス画面Ｄ１３を前記表示部２０に表示させることが可能である。図２２は、前記マスターメンテナンス画面Ｄ１３に前記医薬品マスターが表示された状態を示している。また、前記制御部１０は、ユーザー操作に応じて前記医薬品マスター及び前記患者マスターなどの内容を変更することも可能である。ところで、前記制御部１０は、前記鑑査支援装置１００の電源投入時又は省電力モードからの復帰時などに、前記表示部２０及び前記操作部３０を用いて入力されるユーザーＩＤ及びパスワードなどに基づいてユーザー認証を実行することにより前記鑑査支援装置１００の使用者を特定することが可能である。また、前記鑑査支援装置１００において、前記制御部１０は、ユーザー操作などに応じて予めユーザーごとの使用権限を設定することが可能である。例えば、ユーザーごとに、「一般」、「管理者」、「保守管理者」、「応援」、「研修」、及び「テクニシャン」などの権限種類を設定することが考えられる。そして、前記制御部１０は、前記使用者として特定されたユーザーに対応する前記権限種類に応じて、前記鑑査支援装置１００で実行可能な処理を変更することが考えられる。例えば、前記医薬品マスターの編集を行うマスターメンテナンス、日次更新の操作、鑑査履歴の照会操作などは、前記権限種類のうち「一般」、「管理者」、又は「保守管理者」のみによって実行可能である。また、ソフトウェアの設定、ハードウェアの設定、及びマザーマスター定期更新などは、前記権限種類のうち「管理者」又は「保守管理者」のみによって実行可能である。なお、前記マザーマスターは、例えば前記鑑査支援装置１００のメーカー等から提供される薬品のデータベースである。また、前記権限種類によって各処理の一部のみを実行可能とすることも考えられる。例えば、前記ハードウェアの設定について、前記権限種類のうち「管理者」は天秤校正のみが使用可能であると設定されることが考えられる。また、前記制御部１０が、前記権限種類ごとではなくユーザーごとに実行可能な処理を設定可能な構成も考えられる。
【００４８】
さらに、前記記憶部４０には、前記制御部１０によって実行される鑑査支援プログラムが記憶されている。前記鑑査支援プログラムは、例えば前記ネットワークＮ１を介してダウンロードされ、又はディスクドライブによって記録メディアから読み出されて前記記憶部４０にインストールされる。そして、前記制御部１０は、前記鑑査支援プログラムに従って各種の処理を実行することにより、秤量特定部１１、単位重量取得部１２、単位換算処理部１３、照合処理部１４、目視鑑査処理部１５、鑑査完了通知部１６、表示処理部１７、及び撮影処理部１８として機能する。また、前記制御部１０の一部又は全部は、ＡＳＩＣ等の電子回路であってもよい。なお、前記制御部１０が有する各処理部の動作については後段のフローチャートと共に説明する。
【００４９】
前記秤量装置５０は、４つの秤量部５１〜５４を備え、薬品の重量を秤量するために用いられる。前記秤量部５１〜５４による秤量結果は、前記制御部１０に入力される。以下、本実施形態では、説明の便宜上、不特定の前記秤量部５１〜５４を示す場合に「秤量部５Ｎ」と称することがある。なお、本実施形態では、前記秤量装置５０が、４つの秤量部５１〜５４を備える構成を例に挙げて説明するが、前記秤量装置５０は、少なくとも２つ以上の秤量部を備えるものであればよい。
【００５０】
図２、図４及び図５に示すように、前記秤量部５Ｎは、秤量皿５５、ロードセル５６、及び載置部５７を備える。なお、図４は、前記秤量皿５５を取り外した状態を示す図、図５は、前記秤量皿５５、前記載置部５７、及び前記秤量装置５０の上面５０１を取り外した状態を示す図である。
【００５１】
前記秤量皿５５は、前記載置部５７に載置して用いられ、前記秤量皿５５には、秤量対象の薬品が載置される。なお、前記秤量皿５５各々は、図２に示すように、一方の対角線上の角部５５１と他方の対角線上の角部５５２との丸みの半径が異なる。具体的に、一対の前記角部５５１は、前記角部５５２に比べて半径が小さく、例えば一方の前記角部５５１はユーザーにより前記秤量皿５５が持ち上げられる際に把持され、他方の前記角部５５１は前記秤量皿５５上の薬品を薬袋に収容する際に前記薬袋に差し込まれる。なお、前記秤量皿５５は、前記角部５５１及び前記角部５５２が同一半径の丸みを有する構成であってもよい。
【００５２】
また、前記秤量皿５５の底面と前記載置部５７の上面とのいずれか一方又は両方に、前記秤量皿５５の底面と前記載置部５７の上面との摩擦抵抗を高めるための滑り止め部材が設けられていることが考えられる。これにより、前記鑑査支援装置１００では、前記載置部５７に載置された前記秤量皿５５の揺れが抑制され、前記秤量皿５５を用いた秤量を安定して行うことができる。なお、前記秤量皿５５に前記滑り止め部材が設けられる場合は、前記滑り止め部材は、前記秤量皿５５の底面の一部又は全部に設けられる。同じく、前記載置部５７に前記滑り止め部材が設けられる場合は、前記滑り止め部材は、前記載置部５７の上面の一部又は全部に設けられる。さらに、前記滑り止め部材は、粘着性を有するシートであることが考えられる。これにより、前記滑り止め部材により前記秤量皿５５と前記載置部５７とが仮固定され、前記秤量皿５５の揺れが更に抑制されるため、例えば前記秤量部５Ｎによる秤量が安定しない等の状況が回避される。なお、前記滑り止め部材は、後述の大皿５８に設けられてもよい。
【００５３】
前記ロードセル５６は、前記載置部５７を支持しており、前記載置部５７に載置される秤量対象物の重量を測定する荷重変換器である。前記鑑査支援装置１００では、前記秤量皿５５が前記載置部５７に載置されることにより、前記秤量皿５５に載置された薬品の重量が前記ロードセル５６によって秤量される。前記ロードセル５６としては、例えば定格容量が３００ｇ又は５００ｇのように小さく秤量精度が高いロードセルが用いられる。なお、前記秤量皿５５及び前記載置部５７が一体に構成されていることも他の実施形態として考えられる。
【００５４】
前記載置部５７は、前記ロードセル５６によって支持されており、上面に前記秤量皿５５が載置される。また、前記載置部５７の上面には前記秤量皿５５の底面を安定して載置するための凹部が形成されている。ところで、前記秤量装置５０の上面５０１の下方において前記ロードセル５６と前記載置部５７とが連結され、前記載置部５７に対応する大きなサイズの開口が前記上面５０１に形成されることも考えられる。しかしながら、この場合には、前記上面５０１と前記載置部５７との間に幅の広い隙間が生じ、その隙間から内部に塵埃などが入りやすいという問題が生じる。これに対し、前記秤量装置５０では、前記上面５０１の上方において前記ロードセル５６と前記載置部５７とが連結されており、前記上面５０１にはその連結箇所に対応する小さな開口が形成されている。これにより、前記秤量装置５０では、前記上面５０１の開口から内部に塵埃などが入りにくい構造が実現される。
【００５５】
なお、前記秤量装置５０では、前記ロードセル５６による秤量結果に前記秤量皿５５及び前記載置部５７の重量が含まれる。そのため、前記制御部１０は、前記ロードセル５６を用いた秤量時に風袋引を実行し、前記ロードセル５６の秤量結果から前記秤量皿５５及び前記載置部５７などの風袋重量を引いた値を前記秤量皿５５に載置された薬品の秤量結果として取得する。なお、前記風袋重量は、前記鑑査支援装置１００の出荷時に初期設定されているが、前記鑑査支援装置１００でも任意のタイミングで前記風袋重量を再設定することが可能である。また、前述したように前記秤量皿５５及び前記載置部５７のいずれか一方又は両方に前記滑り止め部材が設けられる場合には、前記滑り止め部材の重量も前記風袋重量に含まれる。
【００５６】
また、図６に示すように、前記秤量装置５０では、複数の前記秤量皿５５に代えて前記秤量皿５５よりもサイズの大きい大皿５８（拡張載置部の一例）を用いて薬品の秤量を行うことが可能である。前記大皿５８は、複数の前記秤量部５１〜５４に亘って載置可能である。具体的に、前記大皿５８の底面には複数の前記秤量部５１〜５４の前記載置部５７に対応する位置に凸部５８１が設けられている。そして、前記秤量装置５０では、図４に示すように前記秤量皿５５が取り外された後、図６に示すように前記大皿５８の前記凸部５８１各々が複数の前記秤量部５１〜５４の前記載置部５７各々に載置される。これにより、例えば前記秤量部５１〜５４の前記ロードセル５６の定格容量が５００ｇである場合、前記秤量装置５０では、前記大皿５８を用いることによって合計２．０ｋｇまでの秤量が可能になる。また、前記大皿５８は、複数の前記秤量皿５５に代えて複数の前記秤量部５１〜５４の前記載置部５７に載置される利用形態に限らず、複数の前記秤量皿５５が前記載置部５７に載置されたままの状態で複数の前記秤量皿５５に亘って載置されることも考えられる。これにより、ユーザーが前記秤量皿５５各々を着脱する必要がないため利便性が向上する。なお、前記大皿５８の前記凸部５８１と前記載置部５７及び前記秤量皿５５とは、前記大皿５８が４つの前記秤量部５１〜５４の前記載置部５７又は前記秤量皿５５に載置された状態で安定する形状を有する。
【００５７】
さらに、前記大皿５８内には、前記大皿５８の中心位置を示す十字部５８２が形成されている。これにより、前記十字部５８２が、前記大皿５８の中心に薬品をセットするための指標になり、ユーザーに対して前記大皿５８の中心に薬品をセットすることを促すことができる。さらに、前記大皿５８の中心に薬品が載置されていない場合には、前記大皿５８から前記秤量部５１〜５４に作用する荷重が偏り、前記秤量部５１〜５４のいずれかの秤量値だけが定格容量を超えることが考えられる。例えば、前記秤量部５１〜５４各々の定格容量が２００ｇである場合に、前記大皿５８に５００ｇの薬品が載置された場合に、前記秤量部５１〜５４のいずれか一つ又は複数の秤量値が定格容量である２００ｇを超えるおそれがある。そのため、前記制御部１０が、前記大皿５８が使用される場合には、前記秤量部５１〜５４各々による秤量値の差が予め定められた範囲を超えた場合、即ち荷重が均等に作用していない場合には、「中心に寄せてください」のような注意メッセージを表示させることが考えられる。
【００５８】
また、前記十字部５８２が、前記秤量部５１〜５４に均等に荷重が作用するように前記秤量部５１〜５４の中心に前記大皿５８をセットするための指標になり、ユーザーが前記大皿５８を前記秤量部５１〜５４の中心にセットしやすくなることも考えられる。なお、例えば前記秤量部５１〜５４の中心位置を判断するための指標部が前記上面５０１に形成されていることも考えられ、この場合には、前記十字部５８２と前記指標部とを参照しつつ、前記大皿５８を前記秤量部５１〜５４の中心にセットすることがより容易となる。また、前記大皿５８の内壁面には、前記大皿５８の平面視における縦方向の中心位置及び横方向の中心位置を示す凹部５８３が形成されている。そのため、前記十字部５８２が前記大皿５８内の薬品で隠れた場合であっても、前記凹部５８３を参照して前記大皿５８の中心位置を推測することができ、ユーザーが前記大皿５８を前記秤量部５１〜５４の中心にセットしやすくなる。さらに、前記制御部１０が、前記撮影部７０によって前記大皿５８が撮影された場合に、その撮影画像に含まれる前記十字部５８２又は前記凹部５８３の位置及び形状に基づいて前記大皿５８の中心位置を検出することが可能である。例えば、前記制御部１０は、前記大皿５８の中心位置が予め定められた範囲から外れている場合に前記表示部２０に警告表示を行うことが考えられる。
【００５９】
前記情報読取部６０は、バーコード（ＪＡＮ、ＧＳ１）等の一次元コード又はＱＲコード（登録商標）等の二次元コードのような識別情報を読取可能であり、読み取られた前記識別情報を前記制御部１０に入力するバーコードリーダーである。
【００６０】
具体的に、前記情報読取部６０は、処方データを識別するために薬袋に記載されている識別情報（以下「処方識別情報」と称する）を読み取る際に用いられる。前記処方識別情報は、前記調剤支援システム２００によって前記薬袋に印刷され、前記処方識別情報には、同一の前記薬袋に収容されるべき同一用法単位のＲｐデータを識別するための処方番号及びＲｐ番号などが含まれる。なお、前記処方識別情報は、前記Ｒｐデータを識別することが可能な情報であればオーダー情報などの他の情報であってもよい。
【００６１】
また、前記情報読取部６０は、薬品を識別するために分包紙又はＰＴＰシートなどの薬品の包装材に記載されている識別情報（以下「薬品識別情報」と称する）を読み取るためにも用いられる。前記薬品識別情報は、例えばＪＡＮコード、ＲＳＳコード、ＹＪコード、又はＧＳ１コードなどである。
【００６２】
そして、前記制御部１０は、前記処方識別情報が前記薬袋から前記情報読取部６０によって読み取られた場合に、前記処方識別情報に対応する処方データを前記記憶部４０から取得することが可能である。また、前記制御部１０は、前記薬品識別情報が前記包装材から前記情報読取部６０によって読み取られた場合に、前記薬品識別情報に対応する薬品の種類を前記医薬品マスターに基づいて特定することが可能である。なお、薬品の種類には、規格量が異なる同一薬品も異なる種類の薬品として含まれる。例えば、「メマリー錠５ｍｇ」、「メマリー錠１０ｍｇ」、及び「メマリー錠２０ｍｇ」は、薬品名が同じであるが規格量が異なるため、それぞれ異なる種類の薬品として扱われる。
【００６３】
前記撮影部７０は、図２に示すように、カメラ本体部７１０と前記カメラ本体部７１０を保持する保持部材７２０とを備える。前記カメラ本体部７１０は、被写体の静止画又は動画を撮影するために用いられるデジタルカメラである。前記鑑査支援装置１００では、前記制御部１０からの制御指示に従って前記撮影部７０による画像撮影が行われ、撮影画像が前記撮影部７０から前記制御部１０に送信される。なお、前記撮影部７０で捉えられる撮影範囲の動画情報が前記制御部１０に入力され、前記制御部１０によって前記動画情報から静止画が取得されることも考えられる。この場合には、前記制御部１０では、前記撮影部７０の撮影範囲内の状況を前記動画情報に基づいて随時判断することができる。
【００６４】
ここで、前記撮影部７０は、前記秤量装置５０の前記秤量部５１〜５４と前記表示部２０とを同時に撮影可能な位置及び向きで配置されていることが考えられる。ところで、前記撮影部７０では、前記カメラ本体部７１０に設けられた連結部７１１が前記保持部材７２０で保持されることにより、前記カメラ本体部７１０が前記保持部材７２０で保持されている。このとき、前記保持部材７２０は、前記カメラ本体部７１０による撮影範囲を予め定められた所定範囲（例えば１ｍｍ程度）で調整可能な状態で前記カメラ本体部７１０を保持している。例えば、前記保持部材７２０は、前記カメラ本体部７１０の連結部７１１を保持する保持部を所定幅の範囲で揺動可能な揺動機構を有する。これにより、前記鑑査支援装置１００では、前記保持部材７２０で保持されている前記カメラ本体部７１０の向きを微調整することにより前記撮影部７０で撮影される撮影範囲を容易に調整することが可能である。また、前記撮影部７０は、少なくとも前記秤量部５１〜５４を撮影可能であればよく、前記表示部２０が撮影範囲に含まれないことも他の実施形態として考えられる。さらに、前記撮影部７０は、前記カバー部材９０に固定されていてもよい。
【００６５】
なお、図２に示すように、前記撮影部７０は、前記保持部材７２０が支持アーム７１に固定されることによって前記支持アーム７１に支持されており、前記支持アーム７１は回動支持部７２を介して支持アーム７３に回動可能に連結されている。これにより、ユーザーは、前記支持アーム７１を回動させて前記撮影部７０の撮影範囲を微調整することも可能である。一方、前記支持アーム７３は前記秤量装置５０に固定されている。また、前記支持アーム７３が前記秤量装置５０に回動可能に支持されており、前記カバー部材９０を閉じる際に前記支持アーム７３を回動させてコンパクトに折り畳み可能な構成も他の実施形態として考えられる。
【００６６】
［鑑査支援処理］
以下、図７のフローチャートを参照しつつ、前記鑑査支援装置１００において、前記制御部１０が前記鑑査支援プログラムに従って実行する鑑査支援処理の手順の一例について説明する。具体的に、前記鑑査支援処理は、前記鑑査支援装置１００の電源投入、又は省電力モードからの復帰により前記制御部１０によって開始される。また、前記鑑査支援処理は、前記鑑査支援装置１００がシャットダウンされる際、又は所定時間以上操作がなく省電力モードに移行する際に終了する。なお、前記鑑査支援装置１００の電源投入時又は省電力モードからの復帰時、前記制御部１０は、前記表示部２０及び前記操作部３０を用いたユーザーＩＤ及びパスワードなどの入力によるユーザー認証を実行することにより前記鑑査支援装置１００の使用者を特定する。
【００６７】
＜ステップＳ１１＞
まず、ステップＳ１１において、前記制御部１０は、前記表示部２０に予め定められた処方鑑査画面Ｄ１０を表示させる。ここに、図８は、前記処方鑑査画面Ｄ１０の一例を示す図である。図８に示すように、前記処方鑑査画面Ｄ１０には、未処理情報キーＫ１１、分包紙選択キーＫ１２、目視鑑査キーＫ１３、大皿使用キーＫ１４、風袋引キーＫ１５、メニューキーＫ１６、鑑査完了キーＫ１７、撮影キーＫ１８、及び画像表示キーＫ１９などの操作キーが表示される。また、前記処方鑑査画面Ｄ１０には、秤量表示領域Ａ１１〜Ａ１４及び処方表示領域Ａ１５が表示される。なお、前記処方鑑査画面Ｄ１０には、前記ユーザー認証によって認証されたユーザーの名称も認証者として表示される。また、前記制御部１０は、例えばユーザーの名称の近傍が操作された場合に、前記ユーザー認証を再度行うための認証画面を表示させ、その後のユーザーＩＤ及びパスワードなどの入力に応じて認証者を切り替えることが可能である。
【００６８】
前記未処理情報キーＫ１１は、前記処方鑑査画面Ｄ１０に鑑査が完了していない未処理の処方データの一覧を表示させるための操作キーである。前記制御部１０は、前記未処理情報キーＫ１１の操作に応じて、図９に示すように、未処理の処方データの一覧が示される未処理表示領域Ａ２１を前記処方鑑査画面Ｄ１０に表示させる。前記未処理表示領域Ａ２１には、未処理の処方データを識別するための情報として、処方日、患者名、総Ｒｐ数、及び引換券番号などの情報が一覧表示される。
【００６９】
なお、前記未処理表示領域Ａ２１には、検索操作領域Ａ２２及び詳細表示キーＫ２１が表示されている。前記制御部１０は、前記検索操作領域Ａ２２で選択された項目及び前記検索操作領域Ａ２２で入力された入力文字に応じて前記処方データを検索し、検索結果を表示させる。例えば、図９は、前記検索操作領域Ａ２２で「日付」の項目が選択され、「２０１３１１３０」の文字が入力されている場合の表示例を示しており、前記未処理表示領域Ａ２１には、処方日が２０１３年１１月３０日の処方データの一覧が検索結果として表示されている。一方、前記制御部１０は、前記詳細表示キーＫ２１が操作されると、前記詳細表示キーＫ２１が表示されている箇所の処方データについて詳細情報を表示させる。前記詳細情報には、例えば処方データに含まれる一又は複数の同一用法単位の処方データ（以下「Ｒｐデータ」と称する）のそれぞれの内容（薬品名称、用法、１日量など）が含まれる。なお、前記Ｒｐデータ各々には、用法が同一であって同一の薬袋に収容される１種類又は複数種類の処方薬品が含まれる。
【００７０】
図８に戻り、前記分包紙選択キーＫ１２は、前記情報読取部６０によって分包紙から薬品識別情報が読み取られたとき、前記薬品識別情報に予め設定された特定情報が含まれていない場合に、分包紙の秤量の際に使用する前記分包紙の種類を指定するための操作キーである。例えば、前記分包紙の種類には、セロポリ及びグラシンごとに６０ｍｍ、７０ｍｍ、７６ｍｍ、８０ｍｍ、９０ｍｍなどの１０種類がある。前記制御部１０は、前記分包紙選択キーＫ１２の操作に応じて、予め登録された複数の分包紙を選択候補として表示させ、その中から選択された分包紙に対応して予め設定された重量を後述の秤量鑑査処理で使用する分包紙の重量として設定する。なお、前記特定情報は、例えば前記分包紙を用いた分包処理が実行される錠剤分包機又は散薬分包機などの調剤機器において、前記分包紙の重量が既知であり、前記薬品識別情報に含まれる分包紙１包当たりの重量又は全ての分包紙の総重量に分包紙の重量が含まれているか否かを判断するための情報である。例えば、前記特定情報は、前記錠剤分包機又は前記散薬分包機のメーカーを特定するための情報である。
【００７１】
前記目視鑑査キーＫ１３は、前記処方表示領域Ａ１５に表示されている前記処方データについて目視鑑査処理を実行するための操作キーである。前記制御部１０は、前記処方データに含まれる一又は複数の薬品が選択された状態で前記目視鑑査キーＫ１３が操作された場合に、図１０に示すように、前記処方表示領域Ａ１５で選択されている前記薬品各々について目視鑑査を実行するための目視鑑査画面Ｄ１１を前記表示部２０に表示させる。図１０に示すように、前記目視鑑査画面Ｄ１１には、前記薬品ごとに対応して薬品情報表示領域Ａ３１、薬品画像表示領域Ａ３２、目標値表示領域Ａ３３、及び鑑査時入力領域Ａ３４が表示されている。
【００７２】
具体的に、前記制御部１０は、前記処方表示画面Ｄ１０で選択されていた目視鑑査対象薬品の薬品名称などを処方データ又はＲｐデータから読み出して前記薬品情報表示領域３１に表示する。また、前記制御部１０は、前記目視鑑査対象薬品の薬品画像を前記医薬品マスターから読み出して前記薬品画像表示領域Ａ３２に表示する。さらに、前記制御部１０は、前記目視鑑査対象薬品の目標値を処方データ又はＲｐデータから読み出して表示する。なお、前記制御部１０は、前記鑑査時入力領域Ａ３４に入力される数値を前記目視鑑査対象薬品に対応付けて鑑査履歴として前記記憶部４０に記憶させる。ここで、前記鑑査時入力領域Ａ３４に表示される「錠」、「ｇ」、「包」、「カプセル」などの単位は、前記医薬品マスターで薬品ごとに予め設定された単位である。なお、前記目視鑑査画面Ｄ１１に全ての前記目視鑑査対象薬品が表示できない場合、前記制御部１０は、前記目視鑑査画面Ｄ１１における左右のフリック操作、又は矢印キーの操作に応じて、前記目視鑑査対象薬品の表示をスクロールして表示させる。
【００７３】
そして、前記目視鑑査画面Ｄ１１において、確認キーＫ３１が操作されると、前記制御部１０は、前記目視鑑査画面Ｄ１１に表示中の前記目視鑑査対象薬品の目視鑑査が終了したものとして処理し、前記記憶部４０に鑑査履歴として記憶する。このように、前記目視鑑査処理では、前記目視鑑査対象薬品の薬品名称、薬品画像及び目標値などの情報が前記目視鑑査画面Ｄ１１に表示されるため、ユーザーは前記目視鑑査画面Ｄ１１を参照して前記目視鑑査対象薬品の目視鑑査を容易に行うことができる。
【００７４】
また、図８に戻り、前記大皿使用キーＫ１４は、前記大皿５８を用いて前記秤量鑑査処理を実行するための操作キーである。前記制御部１０は、前記大皿使用キーＫ１４の操作に応じて、図１１に示すように、前記秤量表示領域Ａ１１〜Ａ１４に代えて、１つの秤量表示領域Ａ４１を前記処方鑑査画面Ｄ１０に表示させる。なお、前記制御部１０は、例えば前記秤量表示領域Ａ１１〜Ａ１４をグレーアウトすること又は非表示にすることが考えられる。前記秤量表示領域Ａ４１には、前記秤量部５１〜５４の全ての秤量値の合計が秤量結果として表示される。また、前記秤量表示領域Ａ４１には、後述の秤量鑑査処理において、前記大皿５８を用いたときの秤量結果と前記処方データとの照合結果が表示される。これにより、前記鑑査支援装置１００では、前記秤量皿５５各々で秤量が困難な多量の薬品又はサイズが大きい薬品でも、前記大皿５８を用いて秤量鑑査を実行することが可能である。
【００７５】
前記風袋引キーＫ１５は、前記秤量装置５０における前記秤量部５１〜５４各々に対応する風袋引の風袋重量の設定値を更新する風袋引処理の開始操作に用いられる。例えば、ユーザーは、前記大皿５８を使用する際に、前記大皿５８を前記秤量部５１〜５４に載置してから前記風袋引キーＫ１５を操作する。これにより、前記制御部１０は、前記秤量部５１〜５４各々の現在の秤量値を前記秤量部５１〜５４各々の風袋重量として設定する。従って、前記制御部１０は、前記秤量部５１〜５４で秤量される秤量値から前記風袋重量を引くことにより、前記秤量皿５８に載置された薬品の重量を秤量することが可能になる。このとき、前記秤量皿５５各々の上に重ねて前記大皿５８が載置される場合には、風袋重量に４つの前記秤量皿５５の重量も含まれることになる。なお、前記大皿５８から前記秤量皿５５に変更される場合にも前記風袋引キーＫ１５が操作されて前記秤量皿５５に対応する風袋重量が設定される。
【００７６】
前記メニューキーＫ１６は、前記鑑査支援装置１００の各種機能のメニューを表示させるための操作キーである。前記制御部１０は、前記メニューキーＫ１６の操作に応じて、初期設定、マスター登録、環境設定、ソフトウェアのバージョン更新、又は履歴照会などの操作を行うためのメニュー画面を表示させる。
【００７７】
前記鑑査完了キーＫ１７は、前記鑑査支援装置１００において、前記処方鑑査画面Ｄ１０に現在表示されているＲｐデータのうち鑑査が完了していない薬品について、後述の目視鑑査処理又は秤量鑑査処理を実行することなく鑑査を終了させる際に操作される。前記制御部１０は、前記鑑査完了キーＫ１７の操作に応じて、前記処方鑑査画面Ｄ１０に現在表示されているＲｐデータのうち鑑査が完了していない薬品についても鑑査を完了とし、その履歴を前記記憶部４０に記憶した後、前記Ｒｐデータの鑑査を終了する。これにより、薬剤師が目視により適正であると判断可能な未鑑査の薬品が残っている場合でも、前記鑑査完了キーＫ１７を操作して表示中の前記Ｒｐデータの鑑査を完了させることにより、鑑査業務の迅速化を図ることが可能である。なお、前記鑑査完了キーＫ１７が操作されることにより鑑査が強制的に完了とされた場合、前記制御部１０は、前記表示部２０に鑑査が完了した旨を示す鑑査完了画面を表示させることが考えられる。前記鑑査完了画面では、前記Ｒｐデータのうち後述の秤量鑑査処理で鑑査された秤量鑑査済み薬品には予め定められた第１色のチェックマークが付され、後述の目視鑑査処理で鑑査された目視鑑査済み薬品には前記第１色とは異なる予め定められ第２色のチェックマークが付される。また、前記Ｒｐデータのうち前記秤量鑑査処理又は前記目視鑑査処理で鑑査されていない未鑑査薬品については、前記秤量鑑査済み薬品及び前記目視鑑査済み薬品と区別可能な態様（例えばチェックマークなし）で表示される。なお、前記鑑査完了画面では、前記鑑査完了画面で前記秤量鑑査済み薬品、前記目視鑑査済み、及び前記未鑑査薬品を区別することができればよく、例えば各々の背景色が異なるものであってもよい。
【００７８】
前記撮影キーＫ１８は、前記撮影部７０による撮影画像を記録するための操作キーである。前記制御部１０は、前記撮影キーＫ１８の操作に応じて前記撮影部７０に画像の撮影を実行させる。そして、前記制御部１０は、撮影画像を前記処方鑑査画面Ｄ１０に現在表示されているＲｐデータが属する処方データに関連付けて鑑査履歴として前記記憶部４０に記録する。これにより、前記制御部１０は、前記記憶部４０に記憶された前記撮影画像を前記処方データごとに表示させることが可能である。なお、前記制御部１０が、前記撮影画像をＲｐデータごとに関連付けて前記記憶部４０に記憶させることも他の実施形態として考えられる。また、他の使用方法として、前記鑑査支援装置１００を用いた薬品の鑑査が完了した後に、ユーザーにより、その鑑査の対象であった処方データに対応する処方箋、薬袋、及び薬品が、前記秤量装置５０の上面５０１のような前記撮影部７０の撮影範囲内に載置されてから前記撮影キーＫ１８が操作されることが考えられる。これにより、前記撮影部７０により前記処方箋、前記薬袋、及び前記薬品が撮影され、その撮影画像が前記処方データに関連付けて鑑査履歴として前記記憶部４０に記録されることになる。
【００７９】
ここに、図１２は、前記鑑査支援装置１００における鑑査履歴を参照するための鑑査履歴照会画面Ｄ１２の一例を示す図である。前記鑑査履歴照会画面Ｄ１２には、前記記憶部４０に記憶されている鑑査履歴を抽出するための条件が入力可能な抽出条件表示領域Ａ５１、抽出結果を表示する一覧表示領域Ａ５２、及び前記一覧表示領域Ａ５２で選択された鑑査履歴の内容が表示される履歴内容表示領域Ａ５３が表示されている。具体的に、前記抽出条件表示領域Ａ５１では、鑑査期間(鑑査日時)、処方日、患者名、薬品名、薬剤師名、及び黄色判定有無の入力が可能である。ここに、図３２は、前記鑑査期間の入力画面の一例を示す図である。図３２に示される入力画面では、鑑査日時の開始日時（年、月、日、時、分、秒）と鑑査日時の終了日時（年、月、日、時、分、秒）とが入力可能である。そして、前記制御部１０は、前記抽出条件表示領域Ａ５１で入力された条件に合致する鑑査履歴を前記記憶部４０から読み出して前記鑑査履歴照会画面Ｄ１２に一覧表示する。なお、前記履歴内容表示領域Ａ５３において、目標欄には、処方データに対応する薬品の目標値（錠、カプセル、枚などの値）が表示され、鑑査欄には、前記鑑査支援装置１００で秤量された薬品の秤量値を薬品の単位に換算した換算値（錠、カプセル、枚などの値）が表示される。但し、処方薬品のうち後述の目視鑑査処理で鑑査が行われた薬品の鑑査欄には「目視」の文字が表示される。また、前記鑑査履歴照会画面Ｄ１２では、前記一覧表示領域Ａ５２で選択された処方データの鑑査履歴として前記記憶部４０に記憶された前記撮影部７０による撮影画像のサムネイル画像が前記処方鑑査画面Ｄ１０と同様に前記画像表示キーＫ１９として表示されている。なお、前記撮影部７０により前記処方箋、前記薬袋、及び前記薬品が撮影されていた場合には、その撮影画像のサムネイル画像も前記画像表示キーＫ１９として表示される。前記制御部１０は、前記画像表示キーＫ１９の操作に応じて、前記画像表示キーＫ１９に対応する前記撮影画像を前記鑑査履歴照会画面Ｄ１２上に拡大表示させる。
【００８０】
また、図８に戻り、前記画像表示キーＫ１９は、前記処方表示領域Ａ１５に表示されている処方データの鑑査履歴として前記記憶部４０に記憶される前記撮影部７０による撮影画像のサムネイル画像である。なお、図８及び図１２では、前記画像表示キーＫ１９の下にサムネイル画像の名称として「画像１」〜「画像４」が表示されているが、サムネイル画像の名称として「Ｒｐ番号」及び「連番」が用いられることも考えられる。例えば、Ｒｐ番号が「０１」である場合、一つ目の画像の名称は「０１−１」、二つ目の画像の名称は「０１−２」となる。また、前記制御部１０は、前記画像表示キーＫ１９の操作に応じて、前記画像表示キーＫ１９に対応するサムネイル画像を拡大して表示させる。
【００８１】
前記秤量表示領域Ａ１１〜Ａ１４は、前記秤量部５１〜５４にそれぞれ対応する表示領域であり、前記秤量表示領域Ａ１１〜Ａ１４には、前記秤量部５１〜５４による秤量結果が表示される。ここで、前記表示部２０において、前記秤量表示領域Ａ１１〜Ａ１４は、前記秤量部５１〜５４と同じ配列で前記表示部２０に表示されている。例えば、前記秤量部５１に対応する前記秤量表示領域Ａ１１は、前記秤量部５１と同じく左上に配置され、前記秤量部５２に対応する前記秤量表示領域Ａ１２は、前記秤量部５２と同じく右上に配置されている。このように、前記制御部１０は、前記秤量部５１〜５４各々に対応する前記秤量表示領域Ａ１１〜Ａ１４を前記秤量部５１〜５４各々と同じ配列で前記表示部２０に表示させる。係る表示処理は、前記制御部１０の前記表示処理部１７によって実行される。以下、本実施形態では、説明の便宜上、不特定の前記秤量表示領域Ａ１１〜Ａ１４を示す場合に「秤量表示領域Ａ１Ｍ」と称することがある。
【００８２】
前記処方表示領域Ａ１５は、患者名及び患者コードと共に、表示対象のＲｐデータに含まれる処方薬品の薬品名称及び薬品画像の一覧が表示される表示領域である。なお、前記医薬品マスターに薬品画像が登録されていない薬品については薬品画像に代えて「画像なし」の文字が表示される。また、前記処方表示領域Ａ１５では、前記Ｒｐデータに含まれる処方薬品が選択可能であり、選択された一又は複数の処方薬品はチェックマークが付されて選択状態となる。また、前記情報読取部６０によって薬品識別情報が読み取られた場合にも、その薬品識別情報に対応する処方薬品はチェックマークが付されて選択状態となる。なお、前記処方表示領域Ａ１５に表示されている前記処方薬品のうち後述の目視鑑査処理で既に鑑査が行われた薬品は背景色が他の薬品とは異なる色で表示される。
【００８３】
＜ステップＳ１２〜Ｓ１３＞
次に、ステップＳ１２〜Ｓ１３において、前記制御部１０は、前記鑑査支援装置１００における鑑査対象となる処方データを特定するための操作が実行されたか否かを判断する。具体的に、前記ステップＳ１２において、前記制御部１０は、薬袋に記載されている前記処方識別情報が前記情報読取部６０によって読み取られたか否かを判断する。また、前記ステップＳ１３において、前記制御部１０は、未処理一覧から処方データを選択する操作が行われたか否かを判断する。そして、前記制御部１０は、前記処方データが特定されると（Ｓ１２又はＳ１３：Ｙｅｓ側）、処理をステップＳ１４に移行させる。
【００８４】
＜ステップＳ１４＞
ステップＳ１４において、前記制御部１０は、前記ステップＳ１２又は前記ステップＳ１３で特定された処方データを読み出す。具体的に、前記ステップＳ１２で薬袋から前記処方識別情報が読み取られた場合、前記制御部１０は、前記処方識別情報に対応する前記Ｒｐデータを前記記憶部４０から読み出す。即ち、前記制御部１０は、前記情報読取部６０で読み取られる薬袋の前記処方識別情報に基づいて鑑査対象の前記処方データを取得することができる。ここに、係る処理は、前記制御部１０の前記照合処理部１４によって実行される。なお、前記制御部１０は、前記未処理表示領域Ａ２１の前記詳細表示キーＫ２１の操作に応じて表示される前記詳細情報においてＲｐデータが選択された場合に、そのＲｐデータを鑑査対象として特定することも考えられる。
【００８５】
また、前記ステップＳ１３で未処理の処方データが選択された場合、前記制御部１０は、その選択された処方データを前記記憶部４０から読み出す。即ち、前記制御部１０は、ユーザー操作に応じて複数の前記処方データから鑑査対象の前記処方データを選択することが可能である。ここに、係る処理は前記制御部１０の照合処理部１４によって実行される。
【００８６】
なお、図８は、前記ステップＳ１３で未処理の処方データが選択された場合の前記処方鑑査画面Ｄ１０の表示例である。前記ステップＳ１３で処方データが選択された場合には、前記処方データに複数のＲｐデータが含まれている場合でも鑑査対象のＲｐデータが特定されない。そのため、図８に示すように、前記処方表示領域Ａ１５には、前記処方データに含まれているＲｐデータのうち現在表示対象のＲｐデータを示すための指定ＲｐＮｏ「１／３」が表示されている。
【００８７】
例えば、前記指定ＲｐＮｏ「１／３」は、前記処方データに３つのＲｐデータが含まれており、現在１つ目のＲｐデータが表示されている状態を示している。そして、前記制御部１０は、前記処方表示領域Ａ１５に表示されている「＋」及び「−」の操作、又は数値の直接入力操作によって前記指定ＲｐＮｏを変更し、変更後の前記指定ＲｐＮｏに対応するＲｐデータを前記処方表示領域Ａ１５に表示させる。また、前記制御部１０は、前記情報読取部６０によって薬品の包装材から前記薬品識別情報が読み取られた場合に、前記処方表示領域Ａ１５に表示されている処方データから、前記薬品識別情報に対応する薬品を含むＲｐデータを検索し、そのＲｐデータを前記処方表示領域Ａ１５に表示させる。
【００８８】
一方、前記ステップＳ１２で薬袋から前記処方識別情報が読み取られた場合には、前記処方識別情報により鑑査対象となるＲｐデータが特定可能である。そのため、前記ステップＳ１２で薬袋から前記処方識別情報が読み取られた場合、前記処方鑑査画面Ｄ１０では、前記処方識別情報に対応するＲｐデータが表示され、前記処方表示領域Ａ１５における前記指定ＲｐＮｏの表示は省略される。
【００８９】
＜ステップＳ１５＞
続いて、ステップＳ１５において、前記制御部１０は、前記処方データ又は前記Ｒｐデータに予め目視鑑査処理で鑑査を行う薬品として設定された目視鑑査設定薬品が存在する場合に（Ｓ１５：Ｙｅｓ側）、処理をステップＳ１５１に移行させ、後述の目視鑑査処理を実行する。この場合、前記目視鑑査設定薬品が目視鑑査の対象となる目視鑑査対象薬品として特定される。前記目視鑑査設定薬品は、例えば薬品の包装材にバーコードが付されていない薬品、又は、水物及び練り物などが混合調剤された薬品などである。なお、前記処方データ又は前記Ｒｐデータに前記目視鑑査対象薬品として扱う薬品が存在しない場合（Ｓ１５：Ｎｏ側）、処理はステップＳ１６に移行する。また、前記ステップＳ１５が省略されることも他の実施形態として考えられる。
【００９０】
＜ステップＳ１６＞
ステップＳ１６において、前記制御部１０は、目視鑑査を開始するための操作が行われると（Ｓ１６：Ｙｅｓ側）、処理をステップＳ１５１に移行させ、目視鑑査を開始するための操作が行われていなければ（Ｓ１６：Ｎｏ側）、処理をステップＳ１７に移行させる。具体的に、前記制御部１０は、前記処方鑑査画面Ｄ１０に表示されている一又は複数の処方薬品が選択された状態で前記目視鑑査キーＫ１３が操作された場合に、前記目視鑑査を開始するための操作が行われたと判断する。この場合、前記処方鑑査画面Ｄ１０で選択された一又は複数の処方薬品が目視鑑査対象薬品として特定される。
【００９１】
＜ステップＳ１７＞
ステップＳ１７において、前記制御部１０は、薬品の包装材である分包紙から前記薬品識別情報が読み取られた場合（Ｓ１７：Ｙｅｓ側）、処理をステップＳ１７１に移行させ、後述の目視鑑査処理を実行する。なお、例えば前記分包紙には、前記分包紙で一包化された薬品に対応する前記薬品識別情報がＱＲコード（登録商標）などのコードによって記録されている。また、前記制御部１０は、分包紙から前記薬品識別情報が読み取られていない場合（Ｓ１７：Ｎｏ側）、処理をステップＳ１８に移行させる。
【００９２】
＜ステップＳ１８＞
ステップＳ１８において、前記制御部１０は、薬品の包装材であるＰＴＰシートから前記薬品識別情報が読み取られた場合（Ｓ１８：Ｙｅｓ側）、前記薬品識別情報に対応する処方薬品を秤量鑑査対象薬品として特定し、処理をステップＳ１９に移行させて後述の秤量鑑査処理を実行する。また、前記制御部１０は、ＰＴＰシートから前記薬品識別情報が読み取られていない場合（Ｓ１８：Ｎｏ側）、処理を前記ステップＳ１６に戻す。なお、前記薬品識別情報が読み取られた場合であっても、前記薬品識別情報に対応する薬品が秤量鑑査処理を行わない薬品として予め登録されている場合、又は前記薬品識別情報に対応する薬品の単位量当たりの重量が前記医薬品マスターに記憶されていない場合には、前記制御部１０が処理をステップＳ１５１に移行させることも他の実施形態として考えられる。
【００９３】
また、前記制御部１０は、前記薬品識別情報が読み取られていない場合（Ｓ１８：Ｎｏ側）であっても、前記処方鑑査画面Ｄ１０に表示されている薬品が１つだけ選択され、予め定められた秤量鑑査処理の開始操作が行われた場合に、処理をステップＳ１９に移行させてその薬品を対象として秤量鑑査処理を実行することも可能である。例えば、前記秤量鑑査処理の開始操作は、前記薬品の表示領域の長押し操作、又は前記処方鑑査画面Ｄ１０に表示される秤量鑑査キー（不図示）の操作などである。一方、前記秤量鑑査処理の開始操作も行われない場合、処理は前記ステップＳ１６に戻される。なお、前記秤量鑑査処理の開始操作が任意に行われる対象薬品は、例えば前記薬品識別情報が包装材に付されていない薬品、複数のシートが１つの包装体となっている薬品、及び錠剤分包機で一包化された分包後の薬品などである。
【００９４】
＜ステップＳ１５１、Ｓ１７１＞
ステップＳ１５１又はステップＳ１７１において、前記制御部１０は、前記目視鑑査対象薬品についてユーザーが薬品画像を目視で確認するための業務を支援する目視鑑査処理を実行する。ここに、前記目視鑑査処理は、前記制御部１０の前記目視鑑査処理部１５によって実行される。
【００９５】
前記目視鑑査処理において、前記制御部１０は、まず前記表示部２０に前記目視鑑査画面Ｄ１１（図１０参照）を表示させる。前記制御部１０は、前記ステップＳ１５〜Ｓ１７で特定された一又は複数の処方薬品を前記目視鑑査対象薬品として、前記目視鑑査画面Ｄ１１に表示させる。具体的に、前記制御部１０は、前記ステップＳ１７で分包紙の前記薬品識別情報が読み取られた場合には、前記薬品識別情報に基づいて前記分包紙に収容されている一又は複数の薬品を前記目視鑑査対象薬品として特定する。そして、前記制御部１０は、前記目視鑑査対象薬品の薬品名称、薬品画像（裸錠画像）、及び目標値などを、前記処方データ、前記Ｒｐデータ、又は前記医薬品マスターから読み出して前記目視鑑査画面Ｄ１１に表示する。その後、前記目視鑑査画面Ｄ１１の前記確認キーＫ３１が操作されると、前記制御部１０は、前記目視鑑査画面Ｄ１１に表示中の前記目視鑑査対象薬品の目視鑑査が終了したものとして処理し、前記記憶部４０に鑑査履歴として記憶する。また、前記制御部１０が、前記目視鑑査画面Ｄ１１の表示後、予め設定された所定時間が経過した場合に目視鑑査が終了したものと判断して前記目視鑑査画面Ｄ１１を自動で消すことも考えられる。さらに、前記制御部１０が、前記目視鑑査画面Ｄ１１を表示させた後、自動的に前記薬品画像各々の拡大画面を順にポップアップ表示させて所定時間後に消すことも考えられる。
【００９６】
ところで、前記制御部１０が、前記目視鑑査画面Ｄ１１の表示中に前記情報読取部６０によってＰＴＰシートから前記薬品識別情報が読み取られた場合に、前記目視鑑査画面Ｄ１１に表示されている薬品のうち前記薬品識別情報に対応する薬品について、前記薬品識別情報による照合が行われた旨を鑑査履歴として前記記憶部４０に記憶させることが考えられる。これにより、例えばＰＴＰシートから除包された薬品が錠剤分包機又は散薬分包機などで前記分包紙に分包された場合に、その除包後のＰＴＰシートからＧＳ１コードなどを前記情報読取部６０によって読み取ることにより、前記分包紙で分包されている薬品のうち少なくとも一部の薬品についての目視鑑査の手間が軽減される。例えば、このように前記目視鑑査における前記薬品識別情報の照合処理の結果は、図１２における前記履歴表示領域Ａ５３の「バーコード確認」の結果に反映される。
【００９７】
なお、前記ステップＳ１７で分包紙の前記薬品識別情報が読み取られた場合には、前記目視鑑査処理において、ユーザーが分包紙内の薬品と前記目視鑑査画面Ｄ１１とを参照して鑑査を行う必要がある。これに対し、例えば前記錠剤分包機又は前記散薬分包機のような調剤機器において前記分包紙に印刷される前記薬品識別情報に、前記分包紙に収容される全薬品の薬品名、剤形、調剤量（重量又は数量）、及び患者情報などの内容に関する分包情報が含まれていることが考えられる。そこで、前記制御部１０は、前記ステップＳ１７で分包紙の前記薬品識別情報が読み取られた場合に、前記薬品識別情報に含まれる前記分包情報と前記処方データとを照合し、その照合結果が一致した場合には、目視鑑査処理及び秤量鑑査処理を実行することなく、前記分包紙に収容されている薬品各々の鑑査を完了とすることが考えられる。これにより、前記調剤機器で分包紙に分包された薬品についての目視鑑査の手間を軽減することができる。
【００９８】
＜ステップＳ１７２＞
前記ステップＳ１７１の実行後、ステップＳ１７２において、前記制御部１０は、秤量鑑査設定がＯＮに設定されているか否かを判断し、前記秤量鑑査設定がＯＮに設定されている場合は（Ｓ１７２：Ｙｅｓ側）、処理をステップＳ１９に移行させる。一方、前記秤量鑑査設定がＯＦＦに設定されている場合（Ｓ１７２：Ｎｏ側）、前記制御部１０は処理をステップＳ２０に移行させる。前記秤量鑑査設定は、前記ステップＳ１７で分包紙から前記薬品識別情報が読み取られた場合に、前記目視鑑査処理と共に前記秤量装置５０を用いる秤量鑑査処理を実行するか否かに関する設定である。前記制御部１０は、前記鑑査支援装置１００の環境設定時などにおけるユーザー操作に応じて前記秤量鑑査設定の内容を任意に変更可能である。また、前記制御部１０は、前記ステップＳ１７で分包紙から前記薬品識別情報が読み取られた場合に、その後のユーザー操作に応じて前記秤量鑑査処理を実行するか否かを切り替えることも考えられる。さらに、前記秤量鑑査設定は、前記分包紙から前記薬品識別情報が読み取られた場合に限らず、前記鑑査支援装置１００で秤量可能な薬品として予め定められた薬品についても有効となることが考えられる。
【００９９】
＜ステップＳ１９＞
そして、ステップＳ１９において、前記制御部１０は、前記秤量部５Ｎによる秤量結果と前記処方データとを照合する照合処理を含む秤量鑑査処理を開始する。ここに、係る処理は、照合処理ステップの一例であって、前記照合処理部１４によって実行される。具体的に、前記ステップＳ１９において、前記制御部１０は、前記薬品識別情報に対応する新たな前記秤量鑑査処理を起動した後、処理をステップＳ２０に移行させる。即ち、前記制御部１０は、前記ステップＳ１８で前記薬品識別情報が読み取られるごとに、前記薬品識別情報に対応する前記秤量鑑査処理を個別に開始させる。従って、複数のＰＴＰシートから前記薬品識別情報が順次読み取られた場合には、前記制御部１０によって複数の前記秤量鑑査処理が起動され、それらの前記秤量鑑査処理が並列して実行されることになる。また、前記秤量鑑査設定がＯＮである場合には、前記分包紙から前記薬品識別情報が読み取られる場合にも、その都度前記秤量鑑査処理が個別に開始されることになる。
【０１００】
ところで、前記分包紙の前記薬品識別情報に前記分包紙の重量込みの１包分の重量又は全ての前記分包紙の総重量が含まれている場合には、前記分包紙から前記薬品識別情報が読み取られた場合に実行される前記ステップＳ１９の前記秤量鑑査処理では、前記秤量部５Ｎによる秤量結果を、前記薬品識別情報に含まれている前記分包紙の重量込みの１包分の重量又は全ての前記分包紙の総重量と照合することが考えられる。なお、このように前記処方データに基づいて実行された調剤時の調剤データ又は分包データなども前記処方データの一例である。また、前記分包紙の前記薬品識別情報に前記分包紙の重量込みの１包分の重量又は全ての前記分包紙の総重量が含まれていない場合、前記制御部１０は、前記分包紙選択キーＫ１２の操作後に選択された分包紙の種類又は初期設定された分包紙の種類に応じて秤量鑑査対象薬品の分包数及び検薬用の分包紙に対応する重量を目標値に加算して前記秤量鑑査処理を実行することが考えられる。さらに、前記分包紙の前記薬品識別情報に前記分包紙の重量込みの１包分の重量又は全ての前記分包紙の総重量が含まれていない場合、前記制御部１０は、前記分包紙に分包さている薬品名、ＹＪコード、分数などに基づいて総重量を算出し、その値と前記秤量部５Ｎによる秤量結果とを照合することも考えられる。
【０１０１】
＜ステップＳ２０＞
その後、ステップＳ２０において、前記制御部１０は、前記ステップＳ１２で特定された前記Ｒｐデータ、又は前記ステップＳ１３で特定された前記処方データに含まれている処方薬品の全てについて鑑査が完了したか否かを判断する。具体的に、前記制御部１０は、前記Ｒｐデータ又は前記処方データに含まれる全ての薬品について前記目視鑑査処理及び前記秤量鑑査処理のいずれかよる鑑査が完了したか否かを判断する。ここで、前記制御部１０は、前記処方薬品の全てについて鑑査が完了したと判断すると（Ｓ２０：Ｙｅｓ側）、処理をステップＳ２１に移行させる。また、前記制御部１０は、鑑査が完了していない処方薬品が残存していると判断すると（Ｓ２０：Ｎｏ側）、処理を前記ステップＳ１６に戻す。
【０１０２】
＜ステップＳ２１＞
ステップＳ２１において、前記制御部１０は、前記Ｒｐデータ又は前記処方データについての鑑査が完了した旨の鑑査完了通知を前記表示部２０に表示させ、処理を前記ステップＳ１１に戻す。ここに、係る処理は、前記制御部１０の前記鑑査完了通知部１６によって実行される。これにより、ユーザーは、前記表示部２０の表示を参照することにより、前記Ｒｐデータ又は前記処方データの鑑査が完了した旨を明確に把握することができる。また、前記鑑査支援装置１００が、前記ネットワークＮ１を介してプリンターに接続されていることも考えられる。この場合、前記制御部１０は、前記ステップＳ２１において、前記鑑査が完了した前記Ｒｐデータ又は前記処方データについての鑑査の実施記録を、前記プリンターを用いて印刷可能であることが考えられる。前記鑑査の実施記録には、例えば患者情報（患者氏名、患者ＩＤ、年齢、性別など）、用法、薬品、鑑査結果（秤量結果、目標値、照合結果など）などが含まれる。具体的に、前記制御部１０は、前記ステップＳ２１において鑑査の実施記録を自動的に印刷すること、又は前記鑑査完了通知が表示されている画面におけるユーザー操作に応じて鑑査の実施記録を印刷することが考えられる。なお、前記制御部１０は、鑑査の実施記録を自動的に印刷するか否かを予めユーザー操作に応じて設定することも可能である。また、前記制御部１０は、前記プリンターを用いて前記Ｒｐデータ又は前記処方データに基づいて薬袋が印刷可能であることも考えられる。
【０１０３】
なお、前記制御部１０が、前記ステップＳ１３で前記処方データが特定された場合に、前記処方データに含まれるＲｐデータについての鑑査が完了するごとに鑑査完了通知を前記表示部２０に表示させることも考えられる。これにより、前記Ｒｐデータの単位で鑑査が行われることになり、同一の薬袋に収容するべき処方薬品ごとに纏めて鑑査を行うことが可能となる。
【０１０４】
［秤量鑑査処理］
続いて、図１３を参照しつつ、前記ステップＳ１９で開始される秤量鑑査処理について説明する。
【０１０５】
＜ステップＳ３０＞
まず、ステップＳ３０において、前記制御部１０は、前記ＰＴＰシート又は前記分包紙から読み取られた前記薬品識別情報に対応する薬品が、前記処方表示領域Ａ１５に表示されている鑑査対象の処方データ又はＲｐデータに含まれているか否かを判断する。ここで、前記薬品識別情報に対応する薬品が鑑査対象の処方データ又はＲｐデータに含まれていると判断されると（Ｓ３０：Ｙｅｓ側）、処理はステップＳ３１に移行する。一方、前記薬品識別情報に対応する薬品が鑑査対象の処方データ又はＲｐデータに含まれていないと判断されると（Ｓ３０：Ｎｏ側）、前記制御部１０は、処理をステップＳ３０１に移行する。なお、鑑査対象が処方データである場合であっても、予めＲｐデータごとに鑑査を実行する旨の設定が行われている場合には、前記制御部１０が、前記ステップＳ３０で読み取られた前記薬品識別情報に対応する薬品が前記処方表示領域Ａ１５に現在表示中のＲｐデータに含まれているか否かを判断することが考えられる。
【０１０６】
＜ステップＳ３０１＞
ステップＳ３０１において、前記制御部１０は、エラーメッセージを前記表示部２０に表示させた後、前記秤量鑑査処理を終了させる。例えば前記エラーメッセージには、前記情報読取部６０で読み取られた前記薬品識別情報が前記処方データ又は前記Ｒｐデータと一致しない旨の警告が含まれる。
【０１０７】
＜ステップＳ３１＞
ステップＳ３１において、前記制御部１０は、前記ステップＳ１７又は前記ステップＳ１８で読み取られた前記薬品識別情報に対応する薬品の単位量当たりの重量（以下「単位重量」という）を前記記憶部４０に記憶されている前記医薬品マスターから取得する。ここに、係る処理は、前記制御部１０の前記単位重量取得部１２によって実行される。なお、前記制御部１０は、外部の記憶装置から前記薬品の単位重量を取得するものであってもよい。例えば、前記薬品識別情報が錠剤である場合には、前記錠剤の単位量当たりの重量が前記医薬品マスターから読み出される。
【０１０８】
ところで、前記単位重量が１．６ｇ未満である場合には誤差の影響が大きくなる。そこで、前記制御部１０は、前記ステップＳ３１で取得した単位重量が１．６ｇのような所定値未満である場合に、前記秤量表示領域Ａ１１〜Ａ１４の背景色を予め定められた薄い黄色などに変更することが考えられる。これにより、ユーザーは、前記単位重量が小さいことに注意を払いつつ鑑査業務を行うことができる。また、前記処方データ又は前記Ｒｐデータに服用量又は用法が異なる同一薬品が含まれることが考えられる。この場合、前記制御部１０は、例えば初回は前記薬品識別情報に対応する同一薬品のうち前記処方表示領域Ａ１５に表示されている最上位の薬品を秤量鑑査対象薬品として特定し、次以降は鑑査が未完了の薬品のうち前記処方表示領域Ａ１５に表示されている最上位の薬品を秤量鑑査対象薬品として特定する。また、他の実施形態として、前記制御部１０は、前記ステップＳ３１で取得した単位重量が予め設定された許容最大値以上である場合にも同様に、前記秤量表示領域Ａ１１〜Ａ１４の背景色を予め定められた薄い黄色などに変更することが考えられる。
【０１０９】
＜ステップＳ３２＞
次に、ステップＳ３２において、前記制御部１０は、前記秤量部５Ｎのいずれかの秤量値が０から増加したか否かを判断する。ここで、前記制御部１０は、前記秤量部５１〜５４のいずれかの秤量部５Ｎの秤量値が０から増加したと判断した場合（Ｓ３２：Ｙｅｓ側）、処理をステップＳ３３に移行させる。一方、前記制御部１０は、前記秤量部５１〜５４の秤量値が０から変化していないと判断した場合（Ｓ３２：Ｎｏ側）、処理をステップＳ３５に移行させる。
【０１１０】
＜ステップＳ３３＞
ステップＳ３３において、前記制御部１０は、前記ステップＳ３２で秤量値が０から増加した前記秤量部５Ｎを前記ステップＳ１７又はＳ１８で読み取られた前記薬品識別情報に対応付ける秤量部として特定する。即ち、前記制御部１０は、前記情報読取部６０による前記薬品識別情報の読み取り後に秤量値が０から増加した一又は複数の前記秤量部５Ｎを前記薬品識別情報に対応付ける秤量部として特定する。ここに、係る特定処理は、秤量特定ステップの一例であって、前記制御部１０の前記秤量特定部１１によって実行される。例えば、前記薬品識別情報が読み取られた後、次に前記薬品識別情報が読み取られる前の間に複数の前記秤量部５Ｎの秤量値が０から増加した場合には、その複数の前記秤量部５Ｎが先に読み取られていた前記薬品識別情報に対応付けられる。これにより、ユーザーは、同種の薬品の束を複数に分けて前記秤量部５Ｎに載置させることが可能である。
【０１１１】
このように構成された前記鑑査支援装置１００では、前記制御部１０が、前記秤量部５Ｎのうち秤量値が０よりも大きい値から増加した秤量部が存在する場合には（Ｓ３２：Ｎｏ側）、その秤量部を前記薬品識別情報に対応付ける秤量部として特定しない。従って、前記制御部１０は、一つ前に読み取られた前記薬品識別情報に対応付けるべき前記秤量部５Ｎによる秤量と、次に読み取られた前記薬品識別情報に対応付けるべき前記秤量部５Ｎによる秤量とが同時に進行する場合であっても、それらの秤量部５Ｎを区別して前記薬品識別情報に対応付けることが可能である。
【０１１２】
また、前記制御部１０は、前記ステップＳ３３で前記薬品識別情報に対応する前記秤量部５Ｎが特定された後、後述のステップＳ３５又Ｓ３６で前記薬品識別情報に対応する前記秤量部５Ｎが確定するまでの間に前記秤量部５Ｎの秤量値が０に戻った場合には、前記秤量部５Ｎと前記薬品識別情報との対応付けを解除する。この場合、前記制御部１０は、前記秤量部５Ｎに対応する前記秤量表示領域Ａ１Ｍにおける表示もリセットする。
【０１１３】
＜ステップＳ３４＞
ステップＳ３４において、前記制御部１０は、前記ステップＳ３３で特定された前記秤量部５Ｎによる秤量値に応じた薬品量の表示を開始する。具体的に、前記制御部１０は、前記秤量部５Ｎの秤量結果を予め定められた単位に換算し、前記秤量部５Ｎに対応する前記秤量表示領域Ａ１Ｍに表示させる。その後、前記秤量部５Ｎの秤量結果は継続的に更新されて前記秤量表示領域Ａ１Ｍに表示される。なお、前記秤量結果の表示のリアルタイム更新は、前記秤量部５Ｎの秤量結果が安定して確定するまで実行される。ここに、前記秤量部５Ｎによる秤量結果を前記ステップＳ３１で取得された前記単位重量に基づいて予め定められた単位に換算する処理は、前記制御部１０の前記単位換算処理部１３によって実行される。また、予め定められた単位に換算された前記秤量部５Ｎによる秤量結果を前記秤量表示領域Ａ１Ｍに表示させる処理は、前記制御部１０の前記表示処理部１７によって実行される。なお、前記秤量結果の換算後の薬品の単位（錠、カプセル、包、枚、ｇなど）は、例えば前記処方データで用いられる薬品の単位（錠、カプセル、包、枚、ｇなど）と同じである。
【０１１４】
ところで、前記鑑査支援装置１００では、前記秤量部５Ｎによる秤量の精度（レンジ）が切り替え可能であることが考えられる。具体的に、前記秤量部５Ｎは、前記ロードセル５６を用いて秤量される秤量値を前記制御部１０に入力する秤量制御部を備えることが考えられる。なお、前記秤量制御部は、例えばＡＳＩＣ又はＭＰＵなどの制御部である。そして、前記秤量制御部は、前記制御部１０からの制御指示に応じて、前記秤量部５Ｎの前記ロードセル５６の秤量結果として前記制御部１０に入力する秤量値の小数点の桁数を変更することが考えられる。例えば、前記秤量制御部は、前記制御部１０からの制御指示に応じて、小数点第一位までの精度で秤量値を前記制御部１０に入力する第１レンジモードと、小数点第二位までの精度で秤量値を前記制御部１０に入力する第２レンジモードとを切り替えて実行可能であることが考えられる。
【０１１５】
このような構成では、前記制御部１０が、前記秤量制御部の動作モードを、状況に応じて前記第１レンジモード又は前記第２レンジモードに切り替えることが可能である。例えば、前記制御部１０は、通常は、前記秤量部５Ｎの前記秤量制御部を前記第２レンジモードで動作させることにより、前記秤量部５Ｎから小数点第二位までの精度で秤量値を取得する。一方、前記鑑査支援装置１００の使用環境として、例えば風又は振動などの影響により前記秤量部５Ｎの秤量値の小数点第二位の値が安定しづらい環境も想定される。そこで、前記制御部１０は、予め設定された所定時間が経過しても前記秤量部５Ｎの秤量値の小数点第二位の値が安定しない場合には、前記秤量部５Ｎの前記秤量制御部を前記第１レンジモードで動作させることにより、前記秤量部５Ｎから小数点第一位までの精度で秤量値を取得することが考えられる。この場合、前記制御部１０は、前記秤量部５Ｎの秤量値の小数点第一位が安定した場合に、その秤量値を秤量結果として取得することになる。また、前記制御部１０は、前記秤量部５Ｎの秤量値の小数点第二位の値が前記所定時間経過後も安定しない状況が、所定期間の間に所定回数繰り返し発生した場合には、前記秤量部５Ｎの前記秤量制御部の通常時の初期動作モードを前記第２レンジモードから前記第１レンジモードに変更することも考えられる。
【０１１６】
＜ステップＳ３５＞
ステップＳ３５において、前記制御部１０は、前記情報読取部６０によって他の薬品に対応する前記薬品識別情報が読み取られたか否かを判断する。ここで、前記制御部１０は、他の薬品に対応する前記薬品識別情報が読み取られたと判断すると（Ｓ３５：Ｙｅｓ側）、処理をステップＳ３５１に移行させる。
【０１１７】
また、前記制御部１０は、他の薬品に対応する前記薬品識別情報が読み取られていないと判断すると（Ｓ３５：Ｎｏ側）、処理をステップＳ３６に移行させる。これにより、前記秤量鑑査処理において、前記制御部１０は、前記情報読取部６０による前記薬品識別情報の読み取り後、前記情報読取部６０により異なる前記薬品識別情報が読み取られるまでの間に（Ｓ３５：Ｙｅｓ側）、秤量値が０から増加した一又は複数の前記秤量部５Ｎを前記薬品識別情報に対応する秤量部として特定することになる（Ｓ３３）。ここに、係る処理は前記制御部１０の前記秤量特定部１１によって実行される。
【０１１８】
＜ステップＳ３６＞
ステップＳ３６において、前記制御部１０は、前記ステップＳ３３で前記薬品識別情報に対応する前記秤量部５Ｎが特定されてから予め設定された所定時間が経過したか否かを判断する。ここで、前記制御部１０は、前記所定時間が経過したと判断すると（Ｓ３６：Ｙｅｓ側）、処理をステップＳ３５１に移行させ、前記所定時間が経過するまでの間は（Ｓ３６：Ｎｏ側）、処理を前記ステップＳ３２に戻す。
【０１１９】
なお、本実施形態では、前記所定時間が経過した場合にも前記秤量鑑査対象薬品に前記秤量部５Ｎを割り当てるための処理（Ｓ３３）が実行されなくなり、前記秤量鑑査対象薬品に対応する前記秤量部５Ｎが確定する場合について説明するが、これに限らない。例えば、前記制御部１０が、所定の確定キーなどの操作に応じて前記秤量鑑査対象薬品に対応する前記秤量部５Ｎを確定可能な構成も考えられる。また、前記制御部１０が、前記ステップＳ３７における後述の照合処理を前記ステップＳ３３以後から随時実行し、前記秤量鑑査対象薬品に対応する前記秤量部５Ｎの秤量結果が前記処方データに一致したことを条件に前記秤量鑑査対象薬品に対応する前記秤量部５Ｎを確定可能な構成も考えられる。
【０１２０】
＜ステップＳ３５１＞
ステップＳ３５１において、前記制御部１０は、前記ステップＳ３３で前記薬品識別情報に対応する秤量部として特定された一又は複数の前記秤量部５Ｎの全ての秤量値が確定したか否かを判断する。なお、前記秤量部５Ｎの秤量値は、例えば前記秤量部５Ｎの秤量値が所定時間変動せず安定していた場合に確定する。ここで、前記制御部１０は、全ての前記秤量部の秤量値が確定したと判断すると（Ｓ３５１：Ｙｅｓ側）、処理をステップＳ３７に移行させ、全ての前記秤量部５Ｎの秤量値が確定するまでの間は（Ｓ３５１：Ｎｏ側）、前記ステップＳ３５１の判断を繰り返し実行する。
【０１２１】
＜ステップＳ３７＞
ステップＳ３７において、前記制御部１０は、前記ステップＳ３３で同一の薬品に対応する秤量部として特定された一又は複数の前記秤量部５Ｎによる秤量結果の合計を算出し、その合計値と前記処方データとを照合する。具体的に、前記制御部１０は、前記ステップＳ３４で予め定められた単位に換算された前記秤量部５Ｎ各々の秤量結果の合計が前記処方データで示された目標値である処方数量と一致するか否かを判断する。
【０１２２】
例えば、前記処方データに示されている前記秤量鑑査対象薬品の目標値が９錠である場合であって、前記秤量鑑査対象薬品の単位重量が２．２ｇである場合、前記秤量部５Ｎによる秤量値が１９．８ｇである場合に前記秤量部５Ｎに載置されている薬品数量が９錠となる。これに対し、前記制御部１０は、前記秤量部５Ｎによる秤量値と前記単位重量とに基づいて算出される薬品数量が８．５錠以上９．４錠以下である場合には照合結果が一致であると判断し、８．４錠以下又は９．５錠以上である場合には照合結果が不一致であると判断することが考えられる。即ち、前記制御部１０は、前記薬品数量の小数点第一位を四捨五入して照合を行うことが考えられる。なお、前記制御部１０が前記照合処理において許容する誤差は予め設定することが可能であり、前記小数点第一位の四捨五入はその一例に過ぎない。例えば、前記制御部１０が、前記秤量結果が目標値±０．１錠又は目標値±０．２錠などである場合に照合結果が一致であると判断することが考えられる。
【０１２３】
また、前記秤量鑑査対象薬品に対応付けられた前記秤量部５Ｎが複数存在する場合、前記制御部１０は、前記処方データ又は前記Ｒｐデータにおける前記秤量鑑査対象薬品の総錠数と、複数の前記秤量部５Ｎの秤量値が換算された錠数の合計とを照合する。これにより、ユーザーは、１つの前記秤量鑑査対象薬品について複数の前記秤量部５Ｎを用いる場合でも、特別な操作を必要とすることなく、１つの前記秤量部５Ｎを用いる場合と同様の手順で任意の数の前記秤量部５Ｎに前記秤量鑑査対象薬品を載置して簡単に秤量鑑査を行うことができる。なお、前記秤量鑑査対象薬品に対応付けられた前記秤量部５Ｎが複数存在する場合の照合手法として、前記制御部１０は、前記処方データ又は前記Ｒｐデータにおける前記秤量鑑査対象薬品の総錠数を前記秤量鑑査対象薬品に対応するＰＴＰシート１枚当たりの個数で除算することにより求められたＰＴＰシートの枚数にＰＴＰシート１枚当たりの重量を乗算した総重量値と、複数の前記秤量部５Ｎの秤量値の合計との差が予め定められた許容誤差未満であるか否かを判断することも考えられる。
【０１２４】
ところで、前記秤量鑑査対象薬品が錠剤又はカプセルである場合、前記制御部１０は、前記秤量鑑査対象薬品に対応して前記医薬品マスターに記憶されている前記ＰＴＰシート１枚当たりの個数と前記処方データ又は前記Ｒｐデータとに基づいて前記秤量鑑査対象薬品のＰＴＰシートの枚数及び１枚に満たない端数の有無を算出することが考えられる。そして、前記制御部１０は、前記ＰＴＰシートの枚数と端数の有無とに応じて、前記ＰＴＰシートの耳の重量として予め設定された所定値を前記目標値に加算することが考えられる。
【０１２５】
例えば、前記制御部１０は、前記端数が存在する場合には耳ありと判断して耳の重量を加算することが考えられる。これにより、前記目標値が前記ＰＴＰシートの耳の重量を考慮した値に近似し、前記照合が高い精度で実行される。なお、ＰＴＰシートの端数が存在する場合に、耳あり又は耳なしのいずれで計算するかが予め選択可能な構成も考えられる。また、前記制御部１０は、前記ＰＴＰシートの端数について、常に耳ありで前記目標値への加算値を変更し、照合結果が一致でない場合に、「端数に耳が存在しますか」のように耳ありの設定が行われているために照合結果が不一致である可能性を示唆するメッセージを表示させることも考えられる。
【０１２６】
また、前記鑑査支援装置１００では、前記制御部１０により、前記表示部２０に端数のＰＴＰシートにおける耳の有無の状態を入力するための「耳なし」及び「耳あり」の操作キーが表示されることが考えられる。そして、「耳なし」の操作キーの操作が前記操作部３０で検出された場合には、前記制御部１０が、端数が生じているＰＴＰシートに耳が存在しないものとし、「耳あり」の操作キーの操作が前記操作部３０で検出された場合には、前記制御部１０が、端数が生じているＰＴＰシートに耳が存在するものとして秤量値と目標値との照合を行うことが考えられる。
【０１２７】
さらに、前記制御部１０は、前記ＰＴＰシートの枚数に応じて、予め輪ゴムの重量として設定された所定値を前記目標値に加算することが考えられる。例えば、前記ＰＴＰシートの枚数が０枚以上２枚以下である場合は予め定められた小サイズの輪ゴムの重量、記ＰＴＰシートの枚数が３枚以上５枚以下である場合は予め定められた中サイズの輪ゴムの重量、記ＰＴＰシートの枚数が６枚以上１０枚以下である場合は予め定められた大サイズの輪ゴムの重量を前記所定値として前記目標値に加算することが考えられる。これにより、前記目標値が前記ＰＴＰシートを束ねる輪ゴムの重量を考慮した値に近似し、前記照合が高い精度で実行される。例えば、前記制御部１０は、前記鑑査支援装置１００の初期設定として、「耳の重量（０−９９．９９）」、「輪ゴム（大）の重量（０−９９．９９）」、「輪ゴム（中）の重量（０−９９．９９）」、「輪ゴム（小）の重量（０−９９．９９）」、「輪ゴム適用シート数（小：０．０−２．０、中：３．０−５．０、大：６．０−１０．０など）」、「１包化の重量鑑査（行う、行わないなど）」、「ＱＲ重量データ（１日当り、１包当りなど）」、「鑑査単位（ＲＰ単位、処方単位など）」、「ｇ表示時の小数第３位の扱い（四捨五入、切り捨てなど）」、「分包品ＱＲ読込時の輪ゴム重量（加算する、加算しないなど）」などをユーザー操作に応じて設定可能である。また、前記制御部１０は、前記鑑査支援装置１００の初期設定として、前記秤量部５１〜前記秤量部５４各々による秤量時の輪ゴムの初期選択状態を示す「秤１輪ゴム選択デフォルト値」、「秤２輪ゴム選択デフォルト値」、「秤３輪ゴム選択デフォルト値」、「秤４輪ゴム選択デフォルト値」、前記大皿５８を使用する秤量時の輪ゴムの初期選択状態を示す「大皿輪ゴム選択デフォルト値」、前記秤量部５１〜前記秤量部５４各々による秤量時の端数の有無の初期選択状態を示す「秤１端数有無選択デフォルト値」、「秤２端数有無選択デフォルト値」、「秤３端数有無選択デフォルト値」、「秤４端数有無選択デフォルト値」、薬品の単位量（単一）当りの値を計測するときに秤量される薬品の個数を示す「薬品単一当りの計測時の秤量個数（０−９９９）」などをユーザー操作に応じて設定可能である。
【０１２８】
また、前記鑑査支援装置１００では、前記制御部１０により、前記表示部２０にＰＴＰシートを束ねる輪ゴムの大きさ又は種類などを入力するための「ゴム大」、「ゴム中」、「ゴム小」、「ゴムなし」などの操作キーが表示されることが考えられる。この場合、「ゴム大」、「ゴム中」、「ゴム小」、「ゴムなし」などの操作キーの操作に応じて、前記制御部１０がＰＴＰシートに使用されている輪ゴムの大きさを切り替えることが考えられる。これにより、ＰＴＰシートと共に前記秤量部５Ｎに載置された輪ゴムの重量を考慮して秤量値と目標値との照合を行うことができる。特に、ＰＴＰシートを束ねる際に使用する輪ゴムの大きさ又は種類は、ＰＴＰシートの枚数だけではなく、ＰＴＰシートの大きさに応じて異なることも考えられる。そのため、ＰＴＰシートの枚数だけで輪ゴムの大きさ又は種類などが一義的に定まらない場合がある。これに対し、前述したように「ゴム大」、「ゴム中」、「ゴム小」、「ゴムなし」などの操作キーの操作に応じて輪ゴムの大きさ又は種類を任意に選択可能な構成では、ユーザーが実際のＰＴＰシートに使用されている輪ゴムを見て輪ゴムの大きさ又は種類などを設定することができる。また、例えば複数のＰＴＰシートを輪ゴムで束ねている場合に、そのＰＴＰシートの束を複数に分けて複数の前記秤量部５Ｎに載置させる場合には、いずれかの秤量部５Ｎだけに輪ゴムが載置されることが考えられる。特に、輪ゴムを必要としない枚数のＰＴＰシートが載置される前記秤量部５Ｎに輪ゴムが載置されることが考えられる。また、ＰＴＰシートの枚数が「ゴム小」に対応するものであっても、そのＰＴＰシートが「ゴム大」の輪ゴムと共に前記秤量部５Ｎに載置されることが考えられる。この場合でも、前述したように「ゴム大」、「ゴム中」、「ゴム小」、「ゴムなし」などの操作キーの操作に応じて輪ゴムの大きさ又は種類を任意に選択可能な構成では、ユーザーが実際のＰＴＰシートと共に輪ゴムが載置されているか否かに応じて前記秤量部５Ｎ各々に対応する輪ゴムの有無、大きさ又は種類などを設定することができる。
【０１２９】
なお、前記ＰＴＰシートの耳の重量の前記目標値に対する反映方法（計算方法）、及び前記輪ゴムの重量の前記目標値に対する反映方法（計算方法）は、薬局又は医療機関ごとに異なるため、これらの反映方法が予め設定可能であることが考えられる。例えば、前記ＰＴＰシートの耳の重量の前記目標値の反映方法として耳付きに対応する第１内規に基づく第１演算式と、耳なしに対応する第２内規に基づく第２演算式とが設定されており、前記制御部１０が、前記ＰＴＰシートの耳付きが選択された場合は前記第１内規に対応する前記第１演算式に基づいて前記目標値又は秤量値を補正し、前記ＰＴＰシートの耳なしが選択された場合は前記第２内規に対応する前記第２演算式に基づいて前記目標値又は秤量値を補正することが考えられる。また、前記ＰＴＰシートの調剤方法として、例えば「１錠の場合には耳を残す」のように耳の残し方が規定されていることがある。そのため、前記ＰＴＰシートの耳の残し方に従って秤量値と目標値との照合を行った結果、適正でなかった場合には、耳の残し方が適正でない可能性を前記表示部２０への表示などによって報知することが考えられる。例えば、処方データに基づいて調剤するべきＰＴＰシートの枚数に１錠分の端数が生じている場合には、その１錠分のＰＴＰシートには耳が残っているはずであるため、１錠分のＰＴＰシートに耳が存在するものとして秤量値と目標値との照合を行うことが考えられる。これにより、前記ＰＴＰシートの耳の残し方が遵守されていない可能性がある旨をユーザーに伝えることができ、教育的機能を実現することができる。
【０１３０】
＜ステップＳ３８＞
ステップＳ３８において、前記制御部１０は、前記ステップＳ３７における照合結果が一致である場合には（Ｓ３８：Ｙｅｓ側）、処理をステップＳ３９に移行させ、前記ステップＳ３７における照合結果が一致しない場合には（Ｓ３８：Ｎｏ側）、処理をステップＳ３８１に移行させる。
【０１３１】
＜ステップＳ３８１＞
ステップＳ３８１において、前記制御部１０は、前記ステップＳ３３で同一の薬品に対応する秤量部として特定された一又は複数の秤量部５Ｎ各々に対応する前記秤量表示領域Ａ１Ｍにエラーメッセージを表示させる。例えば、前記エラーメッセージは、「鑑査対象薬品の実測値が、上限値又は下限値を超過（又は不足）しています。鑑査を承認する場合はＯＫキーを押して下さい。再秤量を行う場合は、キャンセルキーを押して下さい」などである。また、前記制御部１０は、前記エラーメッセージと共に、ＯＫキー及びキャンセルキーを前記表示部２０に表示させる。そして、前記制御部１０は、前記ＯＫキーが操作された場合には、前記秤量鑑査対象薬品の鑑査が完了したと判断する。一方、前記キャンセルキーが操作された場合、前記制御部１０は、「鑑査対象薬品を取り出し、再度秤量して下さい」のようなメッセージを表示させ、処理を前記ステップＳ３１に移行させる。
【０１３２】
＜ステップＳ３９＞
ステップＳ３９において、前記制御部１０は、前記ステップＳ３３で同一の薬品に対応する秤量部として特定された一又は複数の前記秤量部５Ｎ各々に対応する前記秤量表示領域Ａ１Ｍに、秤量値確定後の前記秤量部５Ｎに対応する秤量結果を予め定められた単位に換算した数量を表示させると共に、照合結果が一致である旨を表示させる。このように、前記秤量部５Ｎによる秤量結果及び前記ステップＳ３８による照合結果を前記秤量表示領域Ａ１Ｍに表示させる処理は前記制御部１０の前記表示処理部１７によって実行される。なお、前記大皿５８を用いている場合、前記制御部１０は、前記秤量表示領域Ａ４１（図１１参照）に前記照合結果を表示させる。また、前記ステップＳ３９において、前記制御部１０は、前記秤量部５Ｎの秤量結果である秤量値、及びその秤量値を薬品の単位に換算した換算値（錠、カプセル、枚などの単位の値）のいずれか一方又は両方を前記処方データと共に鑑査履歴として前記記憶部４０に記憶する。これにより、前記制御部１０は、前記鑑査履歴照会画面Ｄ１２に前記鑑査履歴を表示させる際に、前記処方データの内容と共に前記秤量値又は前記換算値などを表示させることが可能である。
【０１３３】
ところで、前記鑑査支援装置１００に、ＵＳＢ、ＲＳ２３２Ｃ、又はＢｌｕｅｔｏｏｔｈ（登録商標）などの通信規格に従ってプリンターが接続されることも考えられる。この場合、前記制御部１０は、前記ステップＳ３９又はステップＳ３８１において、前記プリンターに前記ステップＳ３７による秤量結果を印字出力させることが考えられる。なお、前記印字出力で出力されるジャーナルには、例えば、鑑査開始日時、処方番号、引換券番号、患者ＩＤ、患者氏名、診療科、鑑査者、処方データ、及びＲｐデータが印字される。また、前記ジャーナルでは、前記処方データ又は前記Ｒｐデータに含まれる薬品識別情報としてＪＡＮコードが印刷されることが考えられる。なお、前記制御部１０が、ＧＳ１コードをＪＡＮコードに変換して印字出力可能な構成も考えられる。
【０１３４】
＜ステップＳ４０＞
続いて、ステップＳ４０において、前記制御部１０は、前記撮影部７０による撮影画像の記録タイミングを待ち受ける（Ｓ４０：Ｎｏ側）。具体的に、前記制御部１０は、４つの前記秤量部５１〜５４の全ての秤量値が確定した場合、又は前記処方データ又は前記Ｒｐデータに処方薬として含まれる全ての薬品について前記秤量鑑査処理が終了した場合（前記処方データ又は前記Ｒｐデータに他の薬品が鑑査対象として残っていない場合）に、前記撮影部７０による撮影画像を記録すると判断し（Ｓ４０：Ｙｅｓ側）、処理をステップＳ４１に移行させる。前記処方データ又は前記Ｒｐデータに処方薬として含まれる全ての薬品について前記秤量鑑査処理が終了した場合とは、例えば前記Ｒｐデータに６種類の処方薬が含まれる場合であって、まず４つの前記秤量部５１〜５４を用いて４種類の処方薬についての秤量が行われた後、残りの２種類の処方薬について２つの前記秤量部５Ｎを用いた秤量が行われた場合である。なお、全ての前記秤量部５１〜５４の照合処理が完了した後に代えて、全ての前記秤量部５１〜５４の秤量値が安定した時点で前記撮影部７０による撮影が行われることも考えられる。
【０１３５】
＜ステップＳ４１＞
ステップＳ４１において、前記制御部１０は、前記撮影部７０による撮影画像を記録し、前記撮影画像を前記処方鑑査画面Ｄ１０に表示されている前記処方データ又は前記Ｒｐデータに対応付けて前記鑑査履歴として前記記憶部４０に記憶させる。なお、前記撮影部７０は、全ての前記秤量部５１〜５４の前記秤量皿５５を同時に撮影する。また、前記秤量部５１〜５４に前記大皿５８が載置されている場合には、前記大皿５８が撮影される。ここに、係る処理は前記制御部１０の前記撮影処理部１８によって実行される。これにより、前述したように、前記鑑査履歴照会画面Ｄ１２などによって前記鑑査履歴を参照する際に前記撮影画像を確認することが可能である。ところで、前記制御部１０は、前記ステップＳ４０で前記記録タイミングが到来したと判断した場合、前記表示部２０に「撮影を開始します」のような撮影開始の旨を表示させた後、予め定められた待機時間（例えば２秒程度）が経過してから前記撮影部７０に前記秤量部５１〜５４を撮影させることが考えられる。これにより、ユーザーが手などを前記撮影部７０による撮影範囲の外に退避させることが期待され、無駄な撮影を抑制することができる。なお、前記秤量鑑査処理は前記秤量部５Ｎ各々について個別に実行されるが、前記ステップＳ４１の撮影処理は共通の処理として実行される。このように全ての前記秤量部５１〜５４の秤量値が安定した後に全ての前記秤量部５１〜５４が同時に撮影されるため、前記鑑査支援装置１００による鑑査の証拠として有効な撮影画像が記憶される。即ち、前記記録タイミングが到来した時点では１度の撮影のみが実行される。なお、前記秤量鑑査処理ごとに個別のタイミングで前記撮影部７０による撮影が行われることも他の実施形態として考えられる。この場合には、前記秤量部５１〜５４各々と前記薬品識別情報との対応付けが個別に解除される。例えば、前記秤量部５Ｎの秤量値が確定して前記照合処理が終了した後、前記秤量部５Ｎの秤量値が減少した場合に、前記秤量部５Ｎと前記薬品識別情報との対応付けが解除されることが考えられる。さらに、前記秤量部５Ｎの秤量値が安定した後に前記撮影キーＫ１８が操作されるタイミングで前記撮影部７０による撮影が行われると共に、前記秤量部５Ｎの前記薬品識別情報との対応付けが解除されることも考えられる。
【０１３６】
また、前記制御部１０は、前記撮影部７０による撮影画像を記録した後、前記撮影画像から前記秤量部５１〜５４各々に対応して予め定められた領域の画像を抽出することも他の実施形態として考えられる。この場合、前記制御部１０は、前記秤量表示領域Ａ１１〜Ａ１４各々に対応して予め定められた領域各々の画像も抽出する。そして、前記秤量部５１〜５４各々に対応する画像及び前記秤量表示領域Ａ１１〜Ａ１４各々に対応する画像を個別の画像データとして前記記憶部４０に記憶させる。なお、前記制御部１０は、前記撮影部７０から受信する動画情報を鑑査履歴として前記処方データに対応付けて前記記憶部４０に記憶させることも考えられる。
【０１３７】
また、前記照合処理の終了後、前記ステップＳ４０において、前記処方鑑査画面Ｄ１０に表示されている前記撮影キーＫ１８が操作されたと判断された場合に、前記制御部１０が、前記撮影部７０による撮影画像を記録することが考えられる。なお、前記薬品識別情報に対応する前記秤量部５Ｎの秤量結果の処方データとの照合が終了したことを条件に前記撮影部７０による撮影画像が記録されることも考えられる。
【０１３８】
さらに、前記鑑査支援装置１００を使用するユーザーが薬品を薬袋に入れるための作業を行う範囲が前記撮影部７０の撮影範囲に含まれており、前記記録タイミングの事象の発生から所定時間経過後に前記撮影部７０による撮影画像が記録されることも考えられる。これにより、前記鑑査支援装置１００で鑑査した後の薬品を薬袋に投入する作業を前記撮影部７０で撮影することが可能である。
【０１３９】
＜ステップＳ４２＞
その後、ステップＳ４２において、前記制御部１０は、前記ステップＳ３３において行われた全ての前記薬品識別情報と前記秤量部５Ｎとの対応付けを解除する。これにより、前記制御部１０は、前記薬品識別情報との対応付けが解除された前記秤量部５Ｎを用いて、次の薬品についての秤量鑑査処理を実行することが可能となる。なお、前記制御部１０は、前記薬品識別情報との対応付けが解除された前記秤量部５Ｎに対応する前記秤量表示領域Ａ１Ｍの表示をリセット（消去）する。
【０１４０】
以上説明したように、前記鑑査支援装置１００を用いれば、薬品のＰＴＰシートなどの包装材から薬品識別情報が読み取られるごとに前記秤量鑑査処理（Ｓ１９）が開始され、前記処方データ又は前記Ｒｐデータに含まれる処方薬品の鑑査を連続且つ並列で行うことが可能である。そのため、例えば前記処方薬品各々の鑑査作業及び前記処方薬品各々の薬袋への収容作業を効率的且つ正確に行うことが可能となる。
【０１４１】
また、前記秤量鑑査処理では、薬品の包装材から前記薬品識別情報が読み取られた後、異なる薬品の包装材から前記薬品識別情報が読み取られるまでの間に秤量値が０から増加した前記秤量部が前記秤量鑑査対象薬品に対応する秤量部として特定される。そのため、一の前記薬品識別情報に対応する前記秤量部５Ｎの秤量値が安定する前に、他の前記薬品識別情報を前記情報読取部６０で読み取らせて他の前記秤量部５Ｎによる秤量を開始させることが可能である。従って、ユーザーは、前記処方データ又は前記Ｒｐデータに含まれる複数種類の薬品についての鑑査を効率的且つ正確に実行することができる。
【０１４２】
具体的に、前記鑑査支援装置１００は、４つの前記秤量部５１〜５４を備える構成であるが、前記秤量部５１〜５４を用いる前記秤量鑑査処理が個別に実行される。例えば、前記Ｒｐデータに４種類の錠剤が処方薬として含まれている場合、ユーザーは、１つ目の錠剤のＰＴＰシートの前記薬品識別情報を前記情報読取部６０で読み取って前記秤量部５ＮにＰＴＰシートを載置する。その後、ユーザーは、２つ目の錠剤のＰＴＰシートの前記薬品識別情報を前記情報読取部６０で読み取って前記秤量部５ＮにＰＴＰシートを載置する。このとき、２つ目の錠剤のＰＴＰシートの前記薬品識別情報の読み取りは、１つ目の秤量部５Ｎの秤量値が安定する前であってもよい。そして、前記薬品識別情報各々について開始された前記秤量鑑査処理各々では、前記秤量部５Ｎによる秤量結果に基づく鑑査結果が前記秤量表示領域Ａ１Ｍに表示される。また、ユーザーは、その後も続けて３つ目の錠剤のＰＴＰシートの前記薬品識別情報を前記情報読取部６０で読み取って前記秤量部５ＮにＰＴＰシートを載置し、４つ目の錠剤のＰＴＰシートの前記薬品識別情報を前記情報読取部６０で読み取って前記秤量部５ＮにＰＴＰシートを載置する。このとき、前記秤量部５Ｎ各々による秤量結果と前記処方データ又は前記Ｒｐデータとの照合は、前記薬品識別情報が読み取られたときに個別に開始される。そのため、前記秤量部５Ｎ各々による照合処理が順次終了することになる。従って、４種類全ての錠剤のＰＴＰシートを前記秤量部５Ｎに載置してから全ての前記秤量部５Ｎによる秤量結果の照合を行う場合に比べて、最後（４番目）のＰＴＰシートを前記秤量部５Ｎに載置させてから前記鑑査支援装置１００による秤量鑑査処理が終了するまでの時間を短縮することができる。
【０１４３】
一方、前記鑑査支援装置１００は、４つの前記秤量部５１〜５４を備えるものであるため、そのままでは５種類の薬品が前記Ｒｐデータに含まれる場合に、５つ目の薬品のＰＴＰシートの前記薬品識別情報を前記情報読取部６０で読み取ってもそのＰＴＰシートを載置することができない。そこで、前記制御部１０が、前記秤量部５Ｎによる秤量結果と前記処方データ又は前記Ｒｐデータとの照合が終了するごとに前記秤量部５Ｎと前記薬品識別情報との対応付けを解除することが他の実施形態として考えられる。これにより、前記鑑査支援装置１００が有する前記秤量部５１〜５４の数より多い５種類以上の薬品が前記Ｒｐデータに含まれる場合であっても、前記秤量部５１〜５４を繰り返し使用することにより５種類以上の薬品の秤量鑑査を並行して順次実行することが可能である。即ち、ユーザーは、１つ目〜４つ目のいずれかの薬品に対応する前記秤量鑑査処理が終了した時点で５つ目の薬品の前記薬品識別情報を前記情報読取部６０で読み取って前記秤量部５ＮにＰＴＰシートを載置することができ、先に鑑査が終了した薬品については先に薬袋に収容していくことが可能である。従って、ユーザーは、前記秤量部５Ｎの数よりも多い種類の前記ＰＴＰシートの鑑査を効率的且つ正確に実行することができる。但し、この場合には、前記ステップＳ４０〜Ｓ４１における撮影を行うことができない。そのため、この種の構成は、例えば前記鑑査支援装置１００が前記撮影部７０による撮影画像の記録機能を有していない場合、前記記録機能が無効に設定されている場合、前記撮影画像の記録タイミングが前記撮影キーＫ１８の操作である場合、又は前記撮影画像の記録タイミングが前記秤量部５Ｎの秤量結果の処方データとの照合が終了することである場合などに好適である。
【０１４４】
［台形補正機能］
ところで、前記撮影部７０は、図２にも示されているように、前記秤量部５１〜５４各々に対して斜め方向から画像を撮影する姿勢で設けられる。この場合、前記撮影部７０によって撮影される前記秤量部５１〜５４各々の画像は台形状に変形したものとなる。そこで、前記制御部１０は、前記撮影画像について台形補正処理を実行する台形補正機能を有することが考えられる。
【０１４５】
なお、前記台形補正処理については従来周知の技術を利用すればよいが、例えば図１４に示すように、前記鑑査支援装置１００に、前記撮影部７０の撮影範囲内の位置において相互に離間する複数の補正指標部Ｐ１〜Ｐ４が設けられている。そして、前記制御部１０が、前記撮影部７０による撮影画像に存在する複数の前記補正指標部Ｐ１〜Ｐ４に基づいて前記撮影部による撮影画像Ｐ０の台形補正処理を実行する。ここに、係る台形補正処理は、前記制御部１０の前記撮影処理部１８によって実行される。具体的に、前記制御部１０は、前記補正指標部Ｐ１〜Ｐ４の外側の頂点Ｐ１１〜Ｐ１４を画像マッチングなどによって検出する。そして、前記制御部１０は、図１５に示すように、前記頂点Ｐ１１〜Ｐ１４が予め定められた矩形状の頂点となる位置関係になるように前記撮影部７０による撮影画像Ｐ０について射影変換による台形補正を実行する。
【０１４６】
また、前記撮影部７０の撮影範囲全体の撮影画像Ｐ０には不要な領域が含まれることも考えられる。そこで、前記制御部１０は、前記台形補正処理の実行後、前記頂点Ｐ１１〜Ｐ１４の位置に基づいて予め定められた範囲をトリミングすることが考えられる。具体的に、図１５に示されているように、前記制御部１０は、前記頂点Ｐ１１〜Ｐ１４の位置から距離Ｌ１１〜Ｌ１８だけ離間する位置の範囲を有効画像として前記撮影画像Ｐ０のトリミングを実行する。これにより、前記撮影部７０による撮影範囲全体の撮影画像Ｐ０から不要な部分が除去され、図１６に示すように予め定められた範囲内の撮影画像Ｐ１０を得ることが可能である。
【０１４７】
［撮影制御機能］
さらに、前記ステップＳ４１において、前記撮影部７０による撮影画像を記録する際に、ユーザーの手などの遮蔽物が前記撮影部７０の撮影範囲内に存在すると、前記秤量部５Ｎ各々を正常に撮影することができない。そこで、前記制御部１０は、前記撮影部７０による撮影画像に遮蔽物が存在する場合に前記撮影部７０による撮影画像の記録を制限することが考えられる。
【０１４８】
具体的に、図１４に示すように、前記鑑査支援装置１００では、前記秤量装置５０の上面５０１において、前記秤量部５１〜５４の外側を囲むように連続的に形成された目印線Ｐ５が設けられることが考えられる。そして、前記制御部１０は、前記ステップＳ４１における前記撮影部７０による撮影画像から前記目印線Ｐ５を検出し、前記目印線Ｐ５上に前記目印線Ｐ５を遮蔽する遮蔽物が存在するか否かを判断する。ここで、前記遮蔽物が存在しない場合には、前記制御部１０は、前記撮影部７０による撮影画像を前記処方データ又は前記Ｒｐデータに対応付けて前記記憶部４０に保存する。一方、前記遮蔽物が存在する場合、前記制御部１０は、前記表示部２０に「撮影に失敗しました」のような撮影失敗の旨を表示させると共に前記撮影部７０による撮影画像を破棄し、予め定められた間隔（例えば２秒間隔）で前記撮影部７０に前記秤量部５１〜５４を撮影させて、その撮影画像における前記目印線Ｐ５を遮蔽する遮蔽物の有無を判断する。そして、前記撮影部７０による撮影は、前記遮蔽物が存在しない撮影画像が得られるまで繰り返し実行される。これにより、前記遮蔽物が存在するため証拠として不要な撮影画像は消去され、有効な撮影画像のみが前記記憶部４０に記録されるため、前記記憶部４０への記憶データ量が省減される。なお、前記撮影画像の消去タイミングは、例えば前記遮蔽物が存在すると判断されたとき、又は前記遮蔽物が存在しない撮影画像が得られたときである。即ち、前記制御部１０は、前記目印線Ｐ５を遮蔽する遮蔽物が存在しないことを条件に前記撮影部７０による撮影画像を記録する。ここに、係る処理は、前記制御部１０の前記撮影処理部１８によって実行される。
【０１４９】
このように、前記制御部１０は、前記撮影部７０による撮影画像における前記遮蔽物の存在を監視し、前記遮蔽物が存在しなくなったタイミングで前記撮影部７０による撮影画像を記録する。これにより、前記撮影部７０により前記秤量部５Ｎ各々を正常に撮影することができる。また、前記制御部１０は、前記目印線Ｐ５上に前記目印線Ｐ５を遮蔽する遮蔽物が存在する場合に、前記表示部２０に警告表示を行うことも考えられる。これにより、前記遮蔽物を前記撮影範囲から排除することをユーザーに促すことができ、また、前記撮影部７０による撮影画像が記録される前にユーザーが前記薬品を取り出してしまうことも防止される。この場合、前記制御部１０は、前記遮蔽物が検出された後、次にユーザーにより前記撮影キーＫ１８が操作されるまでの間、前記撮影部７０による撮影を中止し、前記撮影キーＫ１８の操作に応じて所定時間（例えば２秒）経過後に前記撮影部７０に撮影させることが考えられる。これにより、前記撮影部７０による不要な撮影が阻止される。また、前記制御部１０は、予め定められた回数繰り返して前記撮影部７０による撮影が行われた場合でも前記遮蔽物の無い撮影画像が得られない場合に、所定時間間隔の撮影を中断し、ユーザーによる前記撮影キーＫ１８の操作後に、撮影を再開させることが考えられる。
【０１５０】
但し、前記目印線Ｐ５が遮蔽されているか否かを判断指標として撮影画像の記録が行われる場合には、前記目印線Ｐ５がゴミなどで少し遮られているだけでも前記撮影部７０による撮影画像の記録が制限される。そこで、前記制御部１０は、前記撮影部７０による撮影画像内に存在する遮蔽物の面積を算出し、前記面積が予め定められた閾値未満であることを条件に前記撮影部７０による撮影画像を記録することが考えられる。
【０１５１】
具体的に、前記制御部１０は、前記撮影部７０による撮影画像について、判別分析法に基づく二値化処理を実行すると共に、前記目印線Ｐ５の内側の領域を黒く塗りつぶす画像処理を実行する。なお、係る処理は、前記撮影部７０の撮影画像について前記台形補正処理によって補正された後の前記撮影画像Ｐ１０に対して行われることが考えられる。このとき、前記目印線Ｐ５が遮られていない場合には、前記撮影画像Ｐ１０における前記目印線Ｐ５全体が黒く塗りつぶされることになる。
【０１５２】
一方、図１７に示すように、前記撮影画像Ｐ１０において前記目印線Ｐ５がユーザーの手などの遮蔽物Ｈ１によって遮蔽されている場合には、前記遮蔽物Ｈ１の一部が前記目印線Ｐ５の一部を形成することになる。これにより、図１８に示すように、前記目印線Ｐ５の内側が黒く塗りつぶされた撮影画像Ｐ２０において、前記遮蔽物Ｈ１に対応する領域Ｈ２が白くなる。そして、前記制御部１０は、前記遮蔽物Ｈ１に対応する前記領域Ｈ２の面積を算出する。ここで、前記領域Ｈ２の面積が予め設定された閾値未満である場合、前記制御部１０は、前記撮影部７０による撮影画像を記録し、前記領域Ｈ２の面積が予め設定された閾値以上の場合、前記制御部１０は、前記撮影部７０による撮影画像を記録せず待機する。
【０１５３】
その後、前記制御部１０は、前記領域Ｈ２の面積が前記閾値未満に達すると、前記撮影部７０による撮影画像を記録する。このように、前記制御部１０は、前記撮影部７０による撮影画像Ｐ２０において前記遮蔽物Ｈ１に対応する前記領域Ｈ１の面積が予め定められた閾値未満であることを条件に前記撮影部７０による撮影画像を記録する。ここに、係る処理は、前記制御部１０の前記撮影処理部１８によって実行される。これにより、予め定められたある程度の面積を有する前記遮蔽物Ｈ１が存在する場合にのみ前記撮影部７０による撮影画像の記録が制限され、前記目印線Ｐ５が小さなゴミで遮蔽されているような場合には前記撮影部７０による撮影画像の記録を実行させることができる。具体的に、前記制御部１０が、前記目印線Ｐ５上に予め定められた面積を有する遮蔽物が存在する場合に、その遮蔽物が存在する旨のエラーメッセージを前記表示部２０に表示させるなどの方法によって報知すると共に、その後、予め定められた時間（例えば２秒）が経過した時点で前記撮影部７０による撮影画像を取得して前記遮蔽物の存在の有無を再度判断することが考えられる。なお、前記制御部１０は、前記エラーが予め定められた回数繰り返し発生した場合に、前記エラーメッセージに代えて、メンテナンスの必要がある旨、又は故障のおそれがある旨を前記表示部２０に表示させるなどの方法によって報知することも考えられる。ここで、前記制御部１０は、前記遮蔽物Ｈ１が存在する状態で前記撮影部７０によって撮影された撮影画像を消去し、前記遮蔽物Ｈ１が存在しない撮影画像のみを保存することが考えられる。これにより、前記撮影画像の保存に必要な記憶容量を省減することができる。
【０１５４】
ところで、前記鑑査支援装置１００において、前記目印線Ｐ５の一部に汚れ又は傷などが生じた場合には、その後、前記制御部１０が、常に前記目印線Ｐ５に前記遮蔽物Ｈ１によって遮蔽されていると判断することが考えられる。そこで、前記制御部１０は、前記目印線Ｐ５が前記遮蔽物Ｈ１により遮蔽されていると判断した場合に、前記遮蔽物Ｈ１の位置を履歴として前記記憶部４０に蓄積して記憶することが考えられる。そして、前記制御部１０は、前記目印線Ｐ５が前記遮蔽物Ｈ１によって遮蔽されていると判断した場合に、前記記憶部４０に記憶されている前記履歴を参照し、予め設定された複数回の前記撮影部７０による撮影時にある特定の範囲で前記遮蔽物Ｈ１が検出されている場合には、前記特定の範囲を前記遮蔽物Ｈ１の検出対象から除外することが考えられる。これにより、前記目印線Ｐ５に汚れ又は傷などが生じた場合でも、その影響を排除して前記鑑査支援装置１００を用いた鑑査を行うことが可能になる。
【０１５５】
このとき、前記制御部１０は、前記特定の範囲で前記遮蔽物Ｈ１が検出された場合に、前記目印線Ｐ５に生じている汚れ又は傷などの除去又は補修を促すメッセージ画面などを前記表示部２０に表示させることが考えられる。これにより、前記目印線Ｐ５に生じている汚れ又は傷などの除去又は補修がユーザーによって行われることが期待される。また、前記制御部１０は、前記メッセージ画面に、前記目印線Ｐ５に生じている汚れ又は傷などが除去又は補修することができないものであるか否かを入力するための操作キーを表示させることが考えられる。そして、前記制御部１０は、ユーザーによって汚れ又は傷などが除去又は補修することができない場合に対応する操作キーが操作された場合には、その後、前記特定の範囲を前記遮蔽物Ｈ１の検出対象から除外することが考えられる。これにより、前記特定の範囲を検出対象から除外するか否かの選択にユーザーの選択を介在することが可能となり、ユーザーごとに応じた運用が可能になる。なお、前記制御部１０は、前記特定の範囲を検出対象から除外した後、前記撮影部７０による撮影画像における前記特定の範囲に前記遮蔽物Ｈ１が検出されなくなった場合には、前記特定の範囲の前記検出対象からの除外を解除することも考えられる。
【０１５６】
［第２実施形態］
ところで、前記鑑査支援装置１００において、前記秤量装置５０で薬品の秤量を高精度で行うためには、前記ロードセル５６の定格容量が小さくなり、前記大皿５８を用いた場合でも大容量の秤量を行うことができない。例えば、前記ロードセル５６の定格容量が５００ｇである場合、前記秤量装置５０は合計２．０ｋｇまで秤量することが可能であるが、最小精度が０．１ｇとなる。これに対し、前記ロードセル５６の定格容量が３００ｇである場合、最小精度を０．０５ｇまで上げることが可能であるが、前記秤量装置５０は合計１．２ｋｇまでとなる。
【０１５７】
そこで、前記鑑査支援装置１００が、定格容量の異なる複数組の秤量計を備え、使用する秤量皿の大きさによって使用する秤量計の組み合わせが可変であることが考えられる。これにより、精度が高い秤量と容量が大きい秤量とを必要に応じて使い分けることができる。
【０１５８】
具体的に、前記秤量装置５０が、前記秤量部５１〜５４に対応する前記ロードセル５６に加えて、４つの前記ロードセル５６の左右両側に、前記ロードセル５６よりも定格容量よりが大きい大容量ロードセルが設けられることが考えられる。なお、前記ロードセル５６を使用する際には前記秤量皿５５が用いられ、前記大容量ロードセルを使用する際には２つの前記大容量ロードセルで支持される大皿が用いられる。
【０１５９】
例えば、前記ロードセル５６の定格容量が３００ｇであって、前記大容量ロードセルの定格容量が３ｋｇであることが考えられる。これにより、前記ロードセル５６を用いて秤量を行う場合には、小容量ではあるが最小精度が０．０５ｇの高精度の秤量を行うことができる。一方、前記大容量ロードセルを用いて秤量を行う場合には、最小精度は０．５ｇであるが大容量の秤量を行うことが可能である。
【０１６０】
［第３実施形態］
ところで、前記鑑査支援装置１００では、前記秤量装置５０における秤量の際に周囲から風の影響を受けることがある。そのため、前記鑑査支援装置１００では、図１９及び図２０に示すように、前記秤量装置５０の前記秤量部５１〜５４の周囲を覆うことが可能な風防板９２及び風防板９３を備える構成が考えられる。例えば、前記風防板９２及び前記風防板９３はアクリル板などの透明樹脂である。
【０１６１】
前記風防板９２各々は、前記秤量装置５０の上面５０１に形成された長尺状の開口部５０２を介して前記秤量装置５０の内部に収納可能である。また、前記風防板９３は、回動支持部９４を介して前記カバー部材９０で回動可能に支持されている。なお、本実施形態に係る前記鑑査支援装置１００では、前記撮影部７０に代えて前記カバー部材９０に装着された撮影部７４が設けられており、前記風防板９３には、前記撮影部７４の撮影範囲に対応する位置に開口９３１が形成されている。これにより、前記風防板９３の使用時にも前記撮影部７４による前記秤量部５１〜５４の撮影が可能である。
【０１６２】
そして、前記風防板９３は、ユーザーによって必要に応じて前記カバー部材９０の内面側に回動され、前記秤量部５１〜５４の上方に配置されることにより、上方からの風を防ぐことが可能である。また、前記風防板９３が不要な場合、図２０に示すように、前記風防板９３は前記カバー部材９０の外面側に回動されることにより折り畳むことが可能である。
【０１６３】
また、前記風防板９２は、ユーザーの手動により前記秤量装置５０の前記開口部５０２に対して昇降可能であることも考えられるが、前記カバー部材９０の開閉動作に連動して前記風防板９２が昇降することも考えられる。ここに、図２１は、前記秤量装置５０において前記風防板９２を昇降可能に支持する昇降機構５０３の一例を説明するための模式断面図である。
【０１６４】
図２１に示すように、前記昇降機構５０３は、ワイヤー５０４、プーリー５０５、及び錘５０６を有する。前記錘５０６は、前記プーリー５０５を介して前記ワイヤー５０４によって吊下げられており、前記ワイヤー５０４の前記錘５０６の反対側の端部は、前記風防板９２の下端部に固定されている。なお、前記錘５０６の重量は、前記風防板９２に比べて大きい。
【０１６５】
このように構成された前記昇降機構５０３では、前記カバー部材９０が閉じられて前記カバー部材９０で前記風防板９２が下方に押されることにより、前記風防板９２が前記開口部５０２を介して前記秤量装置５０内に収納される。一方、前記カバー部材９０が開かれると、前記錘５０６が下方に移動して前記風防板９２が上昇し、前記風防板９２は、前記開口部５０２を介して前記秤量装置５０から上方に突出することになる。従って、ユーザーは、前記カバー部材９０を開閉するだけで前記風防板９２を昇降させることができる。また、前記風防板９２を使用する必要のない場合のために、前記カバー部材９０を開いた状態で前記風防板９２が上昇しないようにロックするロック機構が前記昇降機構５０３に設けられていることも考えられる。なお、前記秤量装置５０の外周面が金属であり、前記外周面に磁石を有する風防板が着脱可能な構成も他の実施形態として考えられる。
【０１６６】
［第４実施形態］
ここで、図２３〜図２６を参照しつつ、前記撮影制御機能に関する他の例について説明する。
【０１６７】
図２３に示すように、前記鑑査支援装置の前記秤量装置５０の上面５０１には、前記目印線Ｐ５に代えて、前記秤量部５１〜５４の前記載置部５７に載置された前記秤量皿５５の外側の周囲に断続的に形成された複数の目印線Ｐ２１〜Ｐ２４が形成されている。なお、前記上面５０１には、前記補正指標部Ｐ１〜Ｐ４に代えて、補正指標部Ｐ１５〜Ｐ１８が形成されている。
【０１６８】
そして、前記制御部１０は、前記目印線Ｐ２１〜Ｐ２４のいずれかが遮蔽物で遮蔽されているか否かを判断する。具体的に、前記制御部１０は、前記撮影部７０による撮影画像から図２５に示すように、前記目印線Ｐ２１〜Ｐ２４を抽出し、前記目印線Ｐ２１〜Ｐ２４以外の領域を白色に変換する二値化処理を実行する。ここで、図２４には、前記目印線Ｐ２３がユーザーの指である前記遮蔽物Ｈ１によって遮蔽された状態が示されている。なお、前記目印線Ｐ２１〜Ｐ２４の抽出は、例えば予め定められた幅の線分又は予め定められた色の線分を画像処理によって検索することによって実現可能である。
【０１６９】
その後、前記制御部１０は、前記二値化処理後の前記撮影画像における前記目印線Ｐ２１〜Ｐ２４が遮蔽物によって遮蔽されているか否かを判断する。具体的に、前記制御部１０は、前記目印線Ｐ２１〜Ｐ２４における白色領域の長さ又は面積を測定し、その長さ又は面積が予め定められた閾値以上である場合に、前記目印線Ｐ２１〜Ｐ２４のいずれかが遮蔽物によって遮蔽されていると判断する。ここに、図２５は前記二値化処理後の前記撮影画像の一例を示す図であり、図２５に示す例では、前記制御部１０によって、前記目印線Ｐ２３上において白色領域Ｈ３が検出され、前記目印線Ｐ２３が遮蔽されていると判断される。そして、前述したように、前記制御部１０は、前記目印線Ｐ２１〜Ｐ２４のいずれかが遮蔽されていない撮影画像が得られた場合に、その撮影画像を前記処方データ又は前記Ｒｐデータに対応付けて前記記憶部４０に保存する。
【０１７０】
ところで、前記秤量装置５０の上面５０１に前記目印線Ｐ２１〜Ｐ２４が形成されている場合であっても、前記秤量皿５５又は前記大皿５８のサイズによっては、前記秤量皿５５又は前記大皿５８が前記秤量部５１〜５４に載置された場合に、前記目印線Ｐ２１〜Ｐ２４が前記秤量皿５５又は前記大皿５８で遮られる可能性がある。そこで、図２６（Ａ）に示すように、前記目印線Ｐ２１〜Ｐ２４と同様に黒色の目印線Ｐ１９が前記秤量皿５５の縁部５５３に形成されていることが考えられる。これにより、前記目印線Ｐ２１〜Ｐ２４が前記秤量皿５５で遮られる場合でも、前記目印線Ｐ２１〜Ｐ２４が前記目印線Ｐ１９によって補間されるため、前記撮影制御機能を有効に実行することができる。なお、前記制御部１０が、前記秤量皿５５各々に形成された前記目印線Ｐ１９が遮蔽されているか否かを判断し、前記秤量皿５５の前記目印線Ｐ１９が遮蔽されていない場合に前記撮影部７０に撮影を実行させることも他の実施形態として考えられる。
【０１７１】
また、図２６（Ｂ）に示すように、前記目印線Ｐ２１〜Ｐ２４と同様に黒色の目印線Ｐ２１〜Ｐ２４が前記大皿５８の縁部５８１に形成されていることが考えられる。これにより、前記目印線Ｐ２１〜Ｐ２４が前記大皿５８で遮られる場合でも前記撮影制御機能を有効に実行することができる。さらに、前記大皿５８が前記秤量部５１〜５４に載置された場合に、前記補正指標部Ｐ１５〜Ｐ１８が前記大皿５８で覆われる場合には、前記補正指標部Ｐ１５〜Ｐ１８を用いた前記台形補正処理を実行することができない。そのため、前記大皿５８の縁部５８１に前記補正指標部Ｐ１５〜Ｐ１８と同様の補正指標部Ｐ２５〜Ｐ２８が形成されていることが考えられる。これにより、前記補正指標部Ｐ１５〜Ｐ１８が前記大皿５８で覆われる場合でも、前記台形補正処理を有効に実行することができる。
【０１７２】
ここで、図２７及び図２８を参照しつつ、前記台形補正処理の他の例について説明する。
【０１７３】
前記台形補正処理では、前記補正指標部Ｐ１５〜Ｐ１８が抽出されることになるが、このとき、前記撮影部７０による撮影範囲の全体について、例えば画像マッチングなどの処理が実行されると、処理負担が大きく処理時間が長くなる。そこで、前記台形補正処理において、前記制御部１０は、予め定められた特定の検索範囲のみを検出対象として抽出することが考えられる。
【０１７４】
例えば、図２７に示すように、前記制御部１０は、前記撮影部７０で撮影された撮影画像Ｐ３０において予め定められた位置座標で定義される一部の検出範囲Ｐ３１〜Ｐ３４を検出対象として前記補正指標部Ｐ１５〜Ｐ１８を抽出する。例えば、図２７において、前記検出範囲Ｐ３１〜Ｐ３４は、前記撮影画像Ｐ３０の上端部、下端部、左側端部、及び右側端部などから予め定められた所定距離だけ内側に位置する特定の矩形範囲である。これにより、前記制御部１０は、前記検出範囲Ｐ３１〜Ｐ３４のみを検出対象として前記補正指標部Ｐ１５〜Ｐ１８を検出すればよいため、前記撮影画像Ｐ３０の全体を検出対象とする場合に比べて処理負荷が軽減され、処理時間が短縮される。
【０１７５】
このとき、前記制御部１０は、前記撮影部７０で撮影された前記撮影画像Ｐ３０のうち前記検出範囲Ｐ３１〜Ｐ３４各々に対して二値化処理を実行し、その二値化処理後の画像から前記補正指標部Ｐ１５〜Ｐ１８を検出する。以下では、図２７に示されている前記検出領域Ｐ３１〜Ｐ３４のうち前記検出領域Ｐ３４に対して二値化処理を実行し、その二値化処理後の画像から前記補正指標部Ｐ１８を検出する場合を例に挙げて説明するが、前記検出領域Ｐ３１〜Ｐ３３についても同様である。
【０１７６】
前記鑑査支援装置１００では、図２８（Ａ）に示すように、前記鑑査支援装置１００が置かれた照度環境によって、前記撮影画像Ｐ３０の前記検出範囲Ｐ３４に含まれる背景領域などの明るさが変化する。そのため、予め定められた一定の閾値を用いて二値化処理が実行されると、前記背景領域などの明るさがその閾値以上に暗い場合に、前記背景領域などが黒色画像となることが考えられる。そこで、前記制御部１０は、前記二値化処理として判別分析法に基づく二値化処理を実行することが望ましい。なお、前記判別分析法は、画像のヒストグラムにおいて２つのクラス間の分離が最も良くなるように閾値を自動的に決定する方法である。これにより、前記制御部１０は、例えば図２８（Ａ）に示したように、前記鑑査支援装置１００が使用される照度環境が異なり、前記背景領域などの明るさが異なる場合であっても、同様の結果として、図２８（Ｂ）に示すように前記背景領域などが白画像となる二値化後の検出画像Ｐ３４１を得ることが可能となる。
【０１７７】
また、前記検出画像Ｐ３４１における前記補正指標部Ｐ１８の多少の位置変動を許容するため、前記検出範囲Ｐ３４は、前記補正指標部Ｐ１８よりもある程度大きい範囲となるように設定される。そのため、図２８（Ｂ）に示すように、前記検出画像Ｐ３４１には、前記補正指標部Ｐ１８ではない不要な画像として、前記秤量皿５５、前記目印線Ｐ２３、及び前記目印線Ｐ２４などの一部が含まれることになる。そのため、前記制御部１０によって前記検出範囲Ｐ３４から前記補正指標部Ｐ１８が検出される場合に、前記不要な画像の部分が前記補正指標部Ｐ１８として誤検出されるおそれがある。そこで、前記制御部１０は、前記検出画像Ｐ３４１に含まれる要素画像のうち面積が予め定められた特定範囲の要素画像のみを検出対象として前記補正指標部Ｐ１８を検出することが考えられる。例えば、前記特定範囲は、前記補正指標部Ｐ１８の面積をαとしたとき、そのαとの差分が、予め定められた許容値β以下の範囲（α−β以上α＋β以下）として設定される。
【０１７８】
これにより、面積が前記補正指標部Ｐ１８よりも前記許容値β以上小さい画像及び前記補正指標部Ｐ１８よりも前記許容値β以上大きい画像が検出対象から除外される。従って、図２８（Ｂ）に示すように、前記検出画像Ｐ３４１に前記補正指標部Ｐ１８以外の画像が含まれる場合であっても、図２８（Ｃ）に示すように、前記補正指標部Ｐ１８のみを抽出することが可能となる。
【０１７９】
さらに、前記制御部１０は、前述したように、前記台形補正処理において、前記補正指標部Ｐ１８の頂点部Ｐ１８１を検出する。ここで、前記補正指標部Ｐ１８は、図２３にも示したように、前記頂点部Ｐ１８１を頂点の一つに含む直角三角形である。これに対し、前記制御部１０は、図２８（Ｃ）に示すように、前記補正指標部Ｐ１８の前記頂点部Ｐ１８１を含む直角部分と、前記直角部分の外側の空白領域とを含むテンプレート画像Ｐ３４３を用いた画像マッチングによって前記頂点部Ｐ１８１を検出することが考えられる。
【０１８０】
具体的に、図２８（Ｃ）に示す例では、前記テンプレート画像Ｐ３４３が、第１象限が黒画像であり、第２象限〜第４象限が白画像である矩形状の画像である。これにより、前記テンプレート画像Ｐ３４３と前記補正指標部Ｐ１８とが一致したときの前記テンプレート画像Ｐ３４３の中心位置を前記補正指標部Ｐ１８における前記頂点部Ｐ１８１の位置座標として特定することが可能である。このように、前記鑑査支援装置１００では、前記撮影画像Ｐ３０から前記補正指標部Ｐ１５〜Ｐ１８各々を抽出し、それらの頂点部の位置座標を高い精度で特定することができるため、前記撮影画像Ｐ３０に対して制度の高い台形補正処理を実行することができる。
【０１８１】
［第５実施形態］
ところで、前記実施形態各々では、前記鑑査支援装置１００において、ユーザーが、先に前記情報読取部６０により前記薬品識別情報を読み取らせた後で、前記薬品を前記秤量部５Ｎで秤量させることにより、前記薬品の秤量鑑査が実行される場合について説明した。一方、ユーザーが、先に前記薬品を前記秤量部５Ｎに載置させた後、前記情報読取部６０により前記薬品識別情報を読み取らせることも考えられる。即ち、前記実施形態各々とは前記薬品識別情報の読み取りと前記薬品の載置との順序が逆の運用が可能な構成も考えられる。
【０１８２】
具体的には、前記鑑査支援装置１００において、前記制御部１０が、複数の秤量部５１〜５４各々による秤量結果と処方データ（又はＲｐデータ）とに基づいて前記秤量部５１〜５４各々に対応付ける薬品識別情報を特定することが考えられる。ここに、係る処理が、第２秤量特定部の一例であって、係る処理を実行するときの前記制御部１０が第２秤量特定部の一例である。そして、前記制御部１０は、前記秤量部５Ｎによる秤量結果の確定後に前記情報読取部６０により前記薬品識別情報が読み取られた場合に、前記特定された前記薬品識別情報の鑑査を完了させる。ここに、係る処理が、鑑査完了ステップの一例であって、係る処理を実行するときの前記制御部１０が鑑査完了処理部の一例である。即ち、前記秤量部５Ｎに前記薬品が載置されて前記処方データに含まれる薬品識別情報の中から前記秤量部５Ｎに載置された薬品の薬品識別情報が仮特定された後、前記情報読取部６０により前記薬品識別情報が読み取られることによりその特定が確定し、前記薬品の秤量鑑査が完了することが考えられる。この場合、前記秤量部５Ｎに薬品が載置されて秤量値が確定した時点で前記薬品の秤量結果と前記処方データとの照合が行われていることになる。
【０１８３】
特に、前記制御部１０は、前記処方データに含まれる薬品の数量と一致又は最も近似する前記秤量結果が得られた前記秤量部５Ｎと前記薬品の前記薬品識別情報とを対応付けることが考えられる。具体的には、前記単位重量取得部１２が、前記処方データに含まれる薬品各々の薬品識別情報に対応して予め定められた単位量当たりの重量（単位重量）を前記薬品マスターから読み出す。続いて、前記制御部１０は、前記処方データに含まれる薬品の数量を前記単位重量に基づいて前記薬品の重量に換算する。そして、前記制御部１０は、前記秤量部５１〜５４のうち、換算後の前記薬品の重量と一致又は最も近似する秤量値が秤量結果として得られている秤量部５Ｎを前記薬品識別情報に対応する秤量部として特定する。即ち、前記制御部１０は、前記処方データと、前記薬品マスターと、前記秤量部５Ｎの秤量結果とに基づいて、前記処方データに含まれる薬品識別情報と前記秤量部５Ｎとを対応付ける。その後、前記制御部１０は、前記薬品識別情報と前記秤量部５Ｎとの対応関係を前記表示部２０に表示させた後、前記薬品識別情報が前記情報読取部６０によって読み取られたタイミングで前記薬品識別情報についての鑑査を完了させる。このとき、前記制御部１０は、前記薬品識別情報と前記秤量部５Ｎの秤量結果との対応関係を前記処方データの鑑査履歴として前記記憶部４０に記憶する。
【０１８４】
これにより、例えば前記処方データに１種類の薬品のみが含まれる場合、或いは、前記処方データに極端に重量の異なる複数種類の薬品が含まれるような場合に、先に薬品を前記秤量部５Ｎにセットしてから前記薬品の薬品識別情報を前記情報読取部６０で読み取るような運用を行うことが可能である。
【０１８５】
また、前記鑑査支援装置１００では、前記制御部１０により、前記表示部２０に切換操作キーが表示され、前記切換操作キーの操作に応じて前記薬品識別情報の読み取りと前記薬品の載置との順序が切り換えられることが考えられる。即ち、前記薬品識別情報の読み取りを先に行う第１動作モードと前記秤量部５Ｎへの薬品の載置を先に行う第２動作モードとの両方の運用を切り換えて使用することが可能な構成が考えられる。さらに、前記制御部１０が、前記第１動作モードと前記第２動作モードとを前記情報読取部６０による読み取りと前記秤量部５Ｎの秤量値の変化との先後関係に応じて自動的に切り換えることが考えられる。具体的に、前記制御部１０は、前記秤量部５Ｎの秤量値が変化する前に前記情報読取部６０によって前記薬品識別情報が読み取られた場合には前記第１動作モードを実行し、前記情報読取部６０によって前記薬品識別情報が読み取られる前に前記秤量部５Ｎの秤量値が変化した場合には前記第２動作モードを実行することが考えられる。これにより、ユーザーごとに異なる運用に柔軟に対応することが可能となり作業効率が向上する。
【０１８６】
なお、前記制御部１０は、前記秤量部５Ｎにセットされた薬品の秤量結果が、前記処方データに含まれる複数の薬品の重量と一致又は近似する場合には、その旨及びいずれかの薬品を選択させるための操作キーなどを前記表示部２０に表示させ、その操作キーの操作に応じて前記秤量部５Ｎに対応付ける薬品識別情報を選択することが考えられる。この場合、前記制御部１０は、前記薬品識別情報が前記情報読取部６０によって読み取られたタイミングで前記薬品識別情報についての鑑査を完了させる。これにより、前記処方データに総重量の近い薬品が複数含まれている場合でも鑑査を行うことができる。一方、前記制御部１０は、前記秤量部５Ｎにセットされた薬品の秤量結果が、前記処方データに含まれるいずれの薬品の重量とも一致又は近似しない場合には、エラーを前記表示部２０に表示させることが考えられる。
【０１８７】
また、前記秤量部５Ｎと前記薬品の前記薬品識別情報とを対応付ける手法の他の例として下記の手法が考えられる。即ち、前記単位重量取得部１２が、前記処方データに含まれる薬品各々の薬品識別情報に対応して予め定められた単位量当たりの重量（単位重量）を前記薬品マスターから読み出す。続いて、前記制御部１０は、前記秤量部５１〜５４のうち秤量値が変化した秤量部５Ｎの秤量値を前記単位重量に基づいて前記薬品の数量に換算する。そして、前記制御部１０は、前記秤量部５１〜５４のうち、換算後の前記薬品の数量と一致又は最も近似する薬品の数量が秤量結果として得られている秤量部５Ｎを前記薬品識別情報に対応する秤量部として特定する。このとき、前記秤量部５Ｎに薬品が載置されて秤量値が確定した時点で前記薬品の秤量結果と前記処方データとの照合が行われていることになる。その後、前記制御部１０は、前記薬品識別情報と前記秤量部５Ｎとの対応関係を前記表示部２０に表示させた後、前記薬品識別情報が前記情報読取部６０によって読み取られたタイミングで前記薬品識別情報についての鑑査を完了させる。このとき、前記制御部１０は、前記薬品識別情報と前記秤量部５Ｎの秤量結果との対応関係を前記処方データの鑑査履歴として前記記憶部４０に記憶する。この場合でも、例えば前記処方データに１種類の薬品のみが含まれる場合、又は前記処方データに極端に重量の異なる複数種類の薬品が含まれるような場合に、先に薬品を前記秤量部５Ｎにセットしてから前記薬品の薬品識別情報を前記情報読取部６０で読み取るような運用を行うことが可能である。
【０１８８】
なお、前記制御部１０は、前記秤量部５Ｎにセットされた薬品の秤量結果が、前記処方データに含まれる複数の薬品の数量と一致又は近似する場合にも、その旨及びいずれかの薬品を選択させるための操作キーなどを前記表示部２０に表示させ、その操作キーの操作に応じて前記秤量部５Ｎに対応付ける薬品識別情報を選択することが考えられる。この場合、前記制御部１０は、前記薬品識別情報が前記情報読取部６０によって読み取られたタイミングで前記薬品識別情報についての鑑査を完了させる。これにより、前記処方データに総量の近い薬品が複数含まれている場合でも鑑査を行うことができる。一方、前記制御部１０は、前記秤量部５Ｎにセットされた薬品の秤量結果が、前記処方データに含まれるいずれの薬品の数量とも一致又は近似しない場合には、エラーを前記表示部２０に表示させることが考えられる。
【０１８９】
［第６実施形態］
また、図２９に示すように、前記鑑査支援装置１００は、前記薬品マスターにおける単位量当たりの重量又はＰＴＰシート１枚当たりの重量を実際の鑑査時の秤量値に応じて自動的に更新する自動更新処理を実行する自動更新処理部１９１を備えることが考えられる。具体的には、前記制御部１０が、前記鑑査支援プログラムに従って各種の処理を実行することにより、前記自動更新処理部１９１として機能する。
【０１９０】
まず、前記制御部１０は、前記鑑査支援装置１００における初期設定時又は秤量鑑査開始時に、例えば前記表示部２０及び前記操作部３０を用いたユーザーの操作入力に応じて、前記自動更新処理を実行する自動更新機能の有効及び無効を切り換えることが可能である。例えば、前記制御部１０は、前記制御部１０内のＥＥＰＲＯＭに設けられる自動更新フラグを、前記自動更新機能が有効である場合に「１」に設定し、前記自動更新機能が無効である場合に「０」に設定する。これにより、その後、前記制御部１０は、前記自動更新フラグの値に基づいて前記自動更新機能の有効及び無効を判断することが可能である。
【０１９１】
そして、前記自動更新機能が有効である場合、前記制御部１０は、前記秤量鑑査処理（図１３参照）における前記ステップＳ３８で照合結果が一致であると判断されると、前記処方データに含まれる薬品ごとに、前記処方データに示されている目標値である処方数量（錠数など）と、一又は複数の前記秤量部５Ｎによる秤量結果の合計（重量）とをそれぞれ前記記憶部４０に蓄積記憶する。これにより、前記記憶部４０には、薬品ごとに対応する前記処方数量及び前記秤量結果の履歴が蓄積して記憶されることになる。なお、前記制御部１０は、予め設定された所定回数分（例えば５０〜１００回程度）の前記処方数量及び前記秤量結果を前記記憶部４０に蓄積して記憶し、前記所定回数を超えるデータは古いデータから順に消去又は上書きする。また、他の実施形態として、前記制御部１０が、前記ステップＳ３８よりも前段の前記ステップＳ３７などにおいて、前記処方数量及び前記秤量結果の合計を前記記憶部４０に記憶することも考えられる。この場合、前記制御部１０は、例えば前記ステップＳ３８で照合結果が一致すると判断された場合に、前記処方数量及び前記秤量結果の合計をそのまま記憶させておき、前記ステップＳ３８で照合結果が一致しないと判断された場合に、前記処方数量及び前記秤量結果の合計を消去することも考えられる。
【０１９２】
その後、前記鑑査支援処理における前記ステップＳ２１において、前記制御部１０は、前記処方データに含まれている各薬品について、前記記憶部４０に蓄積して記憶されている前記処方数量及び前記秤量結果に基づいて、前記薬品マスターに記憶されている単位量当たりの重量又はＰＴＰシート１枚当たりの重量を更新する。例えば、前記制御部１０は、前記記憶部４０に蓄積して記憶されている前記処方数量の積算値Ｄ１と、前記記憶部４０に蓄積して記憶されている前記秤量結果の合計の積算値Ｄ２とをそれぞれ算出する。そして、薬品がＰＴＰシートに包装される薬品である場合には、前記積算値Ｄ２を前記積算値Ｄ１で割った単位量当たりの重量を示す値に、ＰＴＰシート１枚当たりの個数を乗じた値をＰＴＰシート１枚当たりの重量として前記薬品マスターの内容を更新する。なお、薬品がＰＴＰシートに包装される薬品でなければ、前記積算値Ｄ２を前記積算値Ｄ１で割った値を前記単位当たりの重量として前記薬品マスターの内容を更新する。これにより、例えば前記秤量部５Ｎなどの経年劣化による秤量値の誤差、又は前記鑑査支援装置１００の使用環境による前記秤量部５Ｎの秤量結果の誤差などの影響を抑制することができる。
【０１９３】
［第７実施形態］
また、図２９に示すように、前記鑑査支援装置１００は、秤量対象の薬品がＰＴＰシートに収容されている薬品である場合に、前記秤量結果と前記目標値とをＰＴＰシートの枚数単位で比較する秤量緩和モードで前記秤量鑑査処理を実行する秤量緩和処理部１９２を備えることが考えられる。具体的には、前記制御部１０が、前記鑑査支援プログラムに従って各種の処理を実行することにより、前記秤量緩和処理部１９２として機能する。
【０１９４】
まず、前記制御部１０は、前記鑑査支援装置１００における初期設定時又は秤量鑑査開始時に、例えば前記表示部２０及び前記操作部３０を用いたユーザーの操作入力に応じて、前記秤量緩和モードと前記秤量緩和処理を実行しない通常モードとを切り換えることが可能である。例えば、前記制御部１０は、前記制御部１０内のＥＥＰＲＯＭに設けられるモードフラグを、前記秤量緩和モードである場合に「１」に設定し、前記通常モードである場合に「０」に設定する。これにより、その後、前記制御部１０は、前記モードフラグの値に基づいて現在の動作モードを判断することが可能である。但し、前記制御部１０は、前記秤量鑑査処理を実行する際に、前記秤量緩和機能が有効に設定されている場合であっても、前記鑑査支援装置１００における秤量対象がＰＴＰシートでない場合には前記秤量緩和モードを実行せず、秤量対象がＰＴＰシートである場合にのみ前記秤量緩和モードを実行する。
【０１９５】
ところで、前記秤量緩和モードでは、前記秤量部５Ｎによる秤量を高い精度で行う必要がない。一方、前述したように、前記制御部１０は、前記秤量部５Ｎの前記秤量制御部に制御指示を送信することにより、前記秤量制御部の動作モードを前記第１レンジモード及び前記第２レンジモードのいずれかに切り替えることが可能な構成が考えられる。そこで、前記制御部１０は、前記秤量緩和モードである場合は、前記秤量制御部の動作モードを前記第１レンジモードに設定し、前記通常モードである場合は、前記秤量制御部の動作モードを前記第２レンジモードに設定することが考えられる。これにより、例えば前記秤量緩和モードにおける前記秤量部５Ｎの秤量値が安定するまでの時間が短縮され、前記通常モードには前記秤量部５Ｎの秤量結果として精度の高い秤量値が得られる。
【０１９６】
＜通常モード＞
まず、前記通常モードで前記秤量鑑査処理（図１３参照）が実行される場合の具体的な処理の流れの一例について簡単に説明する。ここでは、前記秤量緩和機能が無効に設定されており、前記ステップＳ１８でＰＴＰシートから前記薬品識別情報が読み取られた場合を例に挙げつつ説明する。
【０１９７】
前記通常モードでは、前記ステップＳ３１において、前記制御部１０が、前記ステップＳ１７又は前記ステップＳ１８で読み取られた前記薬品識別情報に対応する薬品のＰＴＰ１枚当たりの重量及びＰＴＰ１枚当たりの個数を前記医薬品マスターから取得する。
【０１９８】
そして、前記ステップＳ３７において、前記制御部１０は、一又は複数の前記秤量部５Ｎによる秤量結果の合計と前記処方データとを照合する。まず、前記制御部１０は、一又は複数の前記秤量部５Ｎによる秤量結果の合計から前記ＰＴＰシートの枚数に応じた輪ゴムの重量を減算した値を、前記ＰＴＰ１枚当たりの重量で割ることにより（（秤量結果の合計−輪ゴムの重量）／ＰＴＰ１枚当たりの重量）、実測のシート枚数Ｃ１を算出する。なお、前記輪ゴムの重量は、例えばＰＴＰシートの枚数に対応する輪ゴムの重量として予め設定された所定値であり、そのＰＴＰシートの枚数は、前記処方データに示されている目標値である処方数量及び前記ＰＴＰシート１枚当たりの個数に基づいて算出される。また、前記輪ゴムの重量は、ＰＴＰシートの枚数に関係なく一定値であってもよい。そして、前記制御部１０は、前記シート枚数Ｃ１に、前記ＰＴＰシート１枚当たりの個数を乗じた値を実測の錠剤個数Ｃ２として算出し、前記錠剤個数Ｃ２の小数点第一位を四捨五入することにより錠剤個数Ｃ３を算出する。その後、前記制御部１０は、実際に秤量された錠剤数を示す前記錠剤個数Ｃ３と前記処方データに示された目標値である処方数量とが一致するか否かを判断することにより、前記秤量結果と前記処方データとの照合を実行する。
【０１９９】
＜秤量緩和モード＞
次に、前記秤量緩和モードで前記秤量鑑査処理（図１３参照）が実行される場合の具体的な処理の流れの一例について説明する。ここでは、前記秤量緩和機能が有効に設定されており、前記ステップＳ１８でＰＴＰシートから前記薬品識別情報が読み取られた場合を例に挙げつつ説明する。
【０２００】
前記秤量緩和モードでは、前記ステップＳ３１において、前記制御部１０が、前記ステップＳ１８で読み取られた前記薬品識別情報に対応する薬品のＰＴＰシート１枚当たりの重量及びＰＴＰシート１枚当たりの個数を前記記憶部４０に記憶されている前記医薬品マスターから取得する。また、前記ステップＳ３１において、前記制御部１０は、前記処方データに示された目標値である錠数（処方数量）を前記ＰＴＰシート１枚当たりの個数で割ることにより目標となるシート枚数Ｃ１１を算出し、前記シート枚数Ｃ１１の小数点第一位を切り捨てたシート枚数Ｃ１２を算出する。例えば、前記処方データに示された目標値である錠数（処方数量）が２８錠であり、前記ＰＴＰシート１枚当たりの個数が１０錠である場合、前記シート枚数Ｃ１１は、２８／１０＝２．８枚となり、小数点第一位を切り捨てた前記シート枚数Ｃ１２は、２枚となる。
【０２０１】
そして、前記ステップＳ３７において、前記制御部１０は、一又は複数の前記秤量部５Ｎによる秤量結果の合計と前記処方データとを照合する。まず、前記制御部１０は、前記通常モードと同様に、一又は複数の前記秤量部５Ｎによる秤量結果の合計から前記ＰＴＰシートの枚数に応じた輪ゴムの重量を減算した値を、前記ＰＴＰ１枚当たりの重量で割ることにより（（秤量結果の合計−輪ゴムの重量）／ＰＴＰ１枚当たりの重量）、前記シート枚数Ｃ１を算出する。そして、前記制御部１０は、前記シート枚数Ｃ１の小数点第一位を切り捨てたシート枚数Ｃ１３を算出する。その後、前記制御部１０は、実際に秤量されたＰＴＰシートの枚数を示す前記シート枚数Ｃ１３と前記処方データに示された目標値に対応するＰＴＰシートの枚数を示す前記シート枚数Ｃ１２とが一致するか否かを判断することにより、前記秤量結果と前記処方データとの照合を実行する。なお、前記秤量緩和モードでは、前記秤量表示領域Ａ１１〜Ａ１４において、目標の値及び換算値の値に表示される単位が「シート」に変更される。
【０２０２】
＜第２秤量緩和モード＞
ここで、前記秤量緩和モードの他の例である第２秤量緩和モードについて説明する。具体的に、前記秤量緩和モードにおいて、前記秤量表示領域Ａ１１〜Ａ１４には、ＰＴＰシートの端数を除くか否かを指定するための操作ボタンが表示されることが考えられる。そして、前記制御部１０は、前記操作ボタンにより端数を除かない旨の指定が行われている場合に前記秤量緩和モードを実行し、前記操作ボタンにより端数を除く旨の指定が行われている場合に以下で説明する第２秤量緩和モードを実行する。
【０２０３】
ところで、前記制御部１０のＥＥＰＲＯＭには、シート枚数を算出する際に用いられる閾値Ｃ３１が記憶されている。前記閾値Ｃ３１は、予め設定された１未満の値であり、例えば０．２又は０．５などに設定される。前記制御部１０は、前記鑑査支援装置１００における初期設定時又は秤量鑑査開始時に、例えば前記表示部２０及び前記操作部３０を用いたユーザーの操作入力に応じて、前記閾値Ｃ３１を任意に設定可能である。
【０２０４】
前記第２秤量緩和モードでは、前記ステップＳ３１において、前記制御部１０が、前記処方データに示された目標値である錠数（処方数量）を前記ＰＴＰシート１枚当たりの個数で割ることにより目標となるシート枚数Ｃ１１を算出し、前記シート枚数Ｃ１１の小数点第一位を切り捨てたシート枚数Ｃ１２を算出する。このとき、前記制御部１０は、前記シート枚数Ｃ１１の小数点第一位の値である端数Ｃ１１１をＲＡＭ又はＥＥＰＲＯＭに一時記憶する。なお、前記シート枚数Ｃ１１の小数点第一位に限らず、小数点第一位及び小数点第二位の値、又は小数部全体が前記端数Ｃ１１１として記憶されてもよい。
【０２０５】
その後、前記ステップＳ３７において、前記制御部１０は、一又は複数の前記秤量部５Ｎによる秤量結果の合計と前記処方データとを照合する。まず、前記制御部１０は、前述したように、前記秤量部５Ｎによる秤量結果から前記ＰＴＰシートの枚数に応じた輪ゴムの重量を減算した値を、前記ＰＴＰ１枚当たりの重量で割ることにより（（秤量結果の合計−輪ゴムの重量）／ＰＴＰ１枚当たりの重量）、前記シート枚数Ｃ１を算出する。次に、前記制御部１０は、前記シート枚数Ｃ１から前記端数Ｃ１１１を除いた値であるシート枚数Ｃ４を算出する。このとき、同一薬品に複数の前記秤量部５Ｎが対応付けられている場合、前記制御部１０は、前記端数Ｃ１１１を前記秤量部５Ｎの数で割った値に予め更新する。なお、前記制御部１０は、前記シート枚数Ｃ１が「−０．５」より大きく、且つ、前記シート枚数Ｃ４が「０」より小さい場合は、前記シート枚数Ｃ４を「０」とする。
【０２０６】
そして、前記制御部１０は、前記シート枚数Ｃ４の小数部が前記閾値Ｃ３１よりも小さい場合は、前記シート枚数Ｃ４の小数点第一位を切り捨てた値をシート枚数Ｃ５として算出する。一方、前記制御部１０は、前記シート枚数Ｃ４の小数部が前記閾値Ｃ３１以上である場合は、前記シート枚数Ｃ４の小数点第一位を切り上げた値を前記シート枚数Ｃ５として算出する。その後、前記制御部１０は、一又は複数の前記秤量部５Ｎによる秤量結果に基づいて算出された前記シート枚数Ｃ５の合計であるシート枚数Ｃ１４を算出し、前記シート枚数Ｃ１４が前記シート枚数Ｃ１２に対して予め定められた許容誤差以内である場合に照合結果が一致であると判断する。即ち、「前記シート枚数Ｃ１２−予め設定された下限許容値」≦「前記シート枚数Ｃ５」≦「前記シート枚数Ｃ１２＋予め設定された上限許容値」である場合に照合結果が一致であると判断される。
【０２０７】
具体的に、目標値である錠数が「２１」、ＰＴＰ１枚当たりの個数が「１０」、ＰＴＰシート１枚当たりの重量が「２ｇ」、前記閾値Ｃ３１が「０．２」、前記秤量部５Ｎの秤量値が「４．４ｇ」、前記上限許容値が「１」、前記下限許容値が「１」である場合を考える。なお、ここでは一つの薬品について一つの前記秤量部５Ｎが対応付けられているものとする。
【０２０８】
この場合、まず、前記制御部１０は、前記目標値である「２１」をＰＴＰシート１枚当たりの個数である「１０」で割ることにより前記シート枚数Ｃ１１として「２．１」を算出し、前記シート枚数Ｃ１１の小数点第一位を切り捨てることにより前記シート枚数Ｃ１２として「２」を算出する。また、前記制御部１０は、前記シート枚数Ｃ１１の小数点第一位の値である「０．１」を前記端数Ｃ１１１として記憶する。
【０２０９】
次に、前記制御部１０は、前記秤量部５Ｎの秤量値である「４．４ｇ」をＰＴＰシート１枚当たりの重量である「２ｇ」で割ることにより前記シート枚数Ｃ１として「２．２」を算出する。また、前記制御部１０は、前記シート枚数Ｃ１から前記端数Ｃ１１１である「０．１」を引くことにより、前記シート枚数Ｃ４として「２．１」を算出する。
【０２１０】
その後、前記制御部１０は、前記シート枚数Ｃ４の小数部である「０．１」が前記閾値Ｃ３１である「０．２」よりも小さいため、前記シート枚数Ｃ４の小数点第一位を切り捨てた「２」を前記シート枚数Ｃ５として算出する。なお、前記シート枚数Ｃ４の小数部が前記閾値Ｃ３１である「０．２」以上である場合には、前記シート枚数Ｃ４の小数点第一位を切り上げた「３」が前記シート枚数Ｃ５として算出される。
【０２１１】
そして、前記制御部１０は、前記シート枚数Ｃ１２である「２」から前記下限許容値である「１」を引いた値「１」が前記シート枚数Ｃ５である「２」以下であり、前記シート枚数Ｃ１２である「２」に前記上限許容値である「１」を足した値「３」が前記シート枚数Ｃ５である「２」以上であるため、照合結果が一致であると判断する。なお、前記制御部１０は、「前記シート枚数Ｃ１２−予め設定された下限許容値」≦「前記シート枚数Ｃ５」≦「前記シート枚数Ｃ１２＋予め設定された上限許容値」の条件が充足されない場合に、照合結果が不一致であると判断する。
【０２１２】
ところで、前記秤量緩和モード又は前記第２秤量緩和モードにおいて、ＰＴＰ１枚当たりの個数（例えば１０錠）よりも少ない個数（例えば３錠）が目標値である場合には、照合対象となる目標のシート枚数が「０」となることがある。一方、秤量対象となる薬品が選択された後、薬品が前記秤量部５Ｎに載置される前に、例えば前記秤量部５Ｎにユーザーの手が触れた場合、又は風の影響を受けた場合には、前記秤量部５Ｎの値が瞬時的に増加して「０」に戻るおそれがある。この場合、前記秤量部５Ｎの秤量結果が「０ｇ」となりシート枚数が「０」となるため、照合結果が一致と判断されることが考えられる。そこで、前記制御部１０は、前記秤量部５Ｎの秤量値が「０」から増加した後、予め設定された特定時間以内の間に、「０」に戻った場合には、その秤量部５Ｎによる秤量結果に基づく照合を実行しないことが考えられる。これにより、例えば前記秤量部５Ｎにユーザーの手が触れた場合、又は風の影響を受けた場合に照合結果が一致と判断されることが防止される。また、前記制御部１０は、前記秤量部５Ｎの秤量値が「０」から増加した後、前記秤量部５Ｎの秤量値が安定することなく「０」に戻った場合に、その秤量部５Ｎによる秤量結果に基づく照合を実行しないことも考えられる。
【０２１３】
また、前記秤量部５Ｎの秤量値が「０」から増加した後、その秤量値が低下して予め設定された特定値以上で安定した場合には薬品が前記秤量部５Ｎに載置されている可能性があるため、このような場合、前記制御部１０は、その安定した秤量結果に基づく照合を実行することが考えられる。一方、前記制御部１０は、前記秤量部５Ｎの秤量値が「０」から増加した後、前記特定値を経て「０」まで低下した場合には、その秤量部５Ｎによる秤量結果に基づく照合を実行しない。なお、前記特定値は、例えば予め設定された一定値であることが考えられる。また、前記制御部１０が、前記秤量部５Ｎに対応付けられた薬品の目標値（錠数など）に対応する目標重量の所定割合の値、又は前記目標重量から所定値を引いた値などを、その都度前記特定値として算出することも考えられる。この場合も、例えば前記秤量部５Ｎにユーザーの手が触れた場合、又は風の影響を受けた場合に照合結果が一致と判断されることが防止される。さらに、前記制御部１０が、前記特定時間及び前記特定値の両方に基づいて照合の実行の有無を判断することも考えられる。
【０２１４】
［第８実施形態］
ところで、前記ステップＳ３７において、前記秤量部５Ｎ各々で秤量された錠数又はシート枚数などの秤量結果を目標値と照合する際、前記制御部１０が、前記秤量結果に含まれる誤差の程度を予め定められた複数段階に分類し、その分類に応じた処理を実行することが考えられる。具体的に、前記秤量結果と前記目標値とが一致した場合であっても、前記秤量結果として算出される薬品の個数又はシート枚数は、実際の値に対して四捨五入、切り上げ、又は切り捨てなどにより補正されている。そのため、前記照合結果が一致した場合であっても、前記補正の内容によっては、実際に薬品の数と目標値とが一致していない場合も考えられる。そこで、前記制御部１０は、前記秤量結果に含まれる誤差の程度に応じて前記秤量表示領域Ａ１Ｍの背景色などの表示態様を変更することが考えられる。
【０２１５】
例えば、前記制御部１０は、前記秤量部５Ｎによる秤量結果として得られる前記薬品数量を四捨五入する際に、前記薬品数量と前記四捨五入後の薬品数量（以下「補正後薬品数量」という）との差分である差分値Ｃ６が±０．５以上（＋０．５以上又は−０．５以下）である場合のように、前記補正後薬品数量が適正でない可能性が高い場合には、前記秤量結果が得られた前記秤量表示領域Ａ１Ｍの背景を透明又は赤色などの予め定められた第１特定色で表示させる。また、前記制御部１０は、前記差分値Ｃ６が±０．２５以上且つ±０．５未満である場合（＋０．２５以上且つ＋０．５未満、又は−０．２５以下且つ−０．５より大きい）のように、前記補正後薬品数量が適正である可能性が高いがその判断に疑義があると考えられる場合には、前記秤量結果が得られた前記秤量表示領域Ａ１Ｍの背景を灰色などの予め定められた第２特定色で表示させる。そして、前記制御部１０は、前記差分値Ｃ６が±０．２５未満（＋０．２５未満及び−０．２５より大きい）である場合のように、前記補正後薬品数量が適正である可能性が高い場合には、前記秤量結果が得られた前記秤量表示領域Ａ１Ｍの背景を薄い緑などの予め定められた第３特定色で表示させる。
【０２１６】
これにより、ユーザーは、前記秤量表示領域Ａ１Ｍの配色を参考にして前記補正後薬品数量の適否を判断することができる。例えば、ユーザーは、前記秤量表示領域Ａ１Ｍの背景色が前記第１特定色である場合には、前記補正後薬品数量が適正でないと判断し、前記第２特定色である場合には、前記補正後薬品数量が適正でない可能性があるため目視確認を行う必要があると判断し、前記第３特定色である場合には、前記補正後薬品数量が適正であると判断することが可能である。なお、前記秤量表示領域Ａ１Ｍの表示態様の変更は背景色に限らず、例えば前記秤量表示領域Ａ１Ｍの縁部の配色が変更されてもよい。さらに、前記制御部１０は、前記処方表示領域Ａ１５のうち前記秤量結果が得られた前記秤量部５Ｎに対応付けられた薬品が表示された領域の配色（文字色又は背景色）を前記第１特定色、前記第２特定色、又は前記第３特定色などに変更することも考えられる。
【０２１７】
また、前記制御部１０は、前記秤量結果に含まれる誤差の程度に応じて予め設定されたメッセージを前記表示部２０に表示してもよい。例えば、前記制御部１０は、前記差分値Ｃ６が±０．５以上である場合には、前記補正後薬品数量が適正でない可能性が高い旨、又は誤差要因を含んでいる可能性が高い旨などを前記表示部２０に表示させることが考えられる。また、前記制御部１０は、前記差分値Ｃ６が±０．２５以上且つ±０．５未満である場合には、前記補正後薬品数量が適正である可能性が高いが、ユーザーによる目視確認を促すメッセージなどを前記表示部２０に表示させることが考えられる。さらに、前記制御部１０は、前記差分値Ｃ６が±０．２５未満である場合には、前記補正後薬品数量が適正である可能性が高い旨を前記表示部２０に表示させることが考えられる。
【０２１８】
さらに、前記制御部１０が、前記差分値Ｃ６が±０．２５以上且つ±０．５未満である場合のように、前記補正後薬品数量の適否に疑義があると考えられる場合の判定処理を初期設定などにおけるユーザー操作に応じて予め設定することが可能な構成が考えられる。例えば、前記判定処理の一例として、前記補正後薬品数量が適正であると判定し、前記秤量表示領域Ａ１Ｍの配色を前記第２特定色とすることが考えられる。
【０２１９】
また、前記判定処理の他の例として、前記補正後薬品数量の適否に疑義がある旨のメッセージと共に、前記補正後薬品数量が適正であるか否かを選択するための操作ボタンが表示されることが考えられる。この場合、前記操作ボタンに対して前記補正後薬品数量が適正である旨の操作が行われた場合、前記制御部１０は、前記補正後薬品数量が適正であると判定し、前記秤量表示領域Ａ１Ｍの配色を前記第２特定色とすることが考えられる。一方、前記操作ボタンに対して、前記補正後薬品数量が適正でない旨の操作が行われた場合、前記制御部１０は、前記補正後薬品数量が適正でないと判定し、前記秤量部５Ｎによる再秤量及び照合を開始することが考えられる。
【０２２０】
具体的に、ＰＴＰ１枚当たりの重量が「１０ｇ」、ＰＴＰ１枚当たりの個数が「１０錠」、目標値が「３５錠」である場合に、前記秤量部５１〜５３において、下記の第１条件〜第３条件の３種類の秤量値が得られた場合について考える。前記第１条件は、秤量部５１：１０．１ｇ、秤量部５２：１３ｇ、秤量部５３：１２．２ｇである。前記第２条件は、秤量部５１：１０．１ｇ、秤量部５２：１３．４ｇ、秤量部５３：１２．２ｇである。前記第３条件は、秤量部５１：１０．１ｇ、秤量部５２：１３．４ｇ、秤量部５３：１２．８ｇである。なお、前記制御部１０は、前記ＰＴＰ１枚当たりの重量を前記ＰＴＰ１枚当たりの個数で割った値である「１ｇ」を錠剤１錠当たりの重量として算出し、以下の処理を実行する。
【０２２１】
＜第１条件の場合＞
まず、前記第１条件の場合、前記制御部１０は、前記秤量部５１については、秤量値が「１０．１ｇ」であるため、前記薬品数量として「１０．１錠」を算出した後、前記補正後薬品数量として「１０錠」を算出する。同じく、前記制御部１０は、前記秤量部５２については、「１３ｇ」であるため、前記薬品数量として「１３．０錠」を算出した後、前記補正後薬品数量として「１３錠」を算出する。また、前記制御部１０は、前記秤量部５３については、「１２．２ｇ」であるため、前記薬品数量として「１２．２錠」を算出した後、前記補正後薬品数量として「１２錠」を算出する。これらの場合、前記差分値Ｃ６は、それぞれ「０．１錠」、「０．０錠」、「０．２錠」であるため、前記秤量部５１〜５３に対応する前記秤量表示領域Ａ１１〜Ａ１３の背景は前記第３特定色となる。前記第１条件の場合には、秤量結果となる前記補正後薬品数量の合計が３５錠となるため、前記制御部１０は、前記秤量結果と前記目標値との照合結果が一致であると判断する。
【０２２２】
＜第２条件の場合＞
一方、前記第２条件の場合、前記制御部１０は、前記秤量部５２については、秤量値が「１３．４ｇ」であるため、前記薬品数量として「１３．４錠」を算出した後、前記補正後薬品数量として「１３錠」を算出する。この場合、前記差分値Ｃ６は、「０．４錠」となるため、前記秤量部５２に対応する前記秤量表示領域Ａ１２の背景は前記第２特定色となる。なお、前記第２条件の場合、前記秤量部５１、５３については前記第１条件と同様である。前記第２条件の場合には、秤量結果となる前記補正後薬品数量の合計が３５錠となるため、前記制御部１０は、前記秤量結果と前記目標値との照合結果が一致であると判断するが、前記秤量部５２に対応する前記秤量表示領域Ａ１２の背景色を灰色などの前記第２特定色で表示する。
【０２２３】
＜第３条件の場合＞
また、前記第３条件の場合、前記制御部１０は、前記秤量部５３については、秤量値が「１２．８ｇ」であるため、前記薬品数量として「１２．８錠」を算出した後、前記補正後薬品数量として「１３錠」を算出する。この場合、前記差分値Ｃ６は、「０．２錠」となるため、前記秤量部５２に対応する前記秤量表示領域Ａ１３の背景は前記第３特定色となる。なお、前記第３条件の場合、前記秤量部５１、５２については前記第２条件と同様である前記第３条件の場合には、秤量結果となる前記補正後薬品数量の合計が３６錠となり、前記目標値と異なる。そのため、前記制御部１０は、前記秤量結果と前記目標値との照合結果が不一致であると判断すると共に、前記秤量部５２に対応する前記秤量表示領域Ａ１２の背景色を灰色などの前記第２特定色で表示する。
【０２２４】
ところで、前記制御部１０は、前記ステップＳ３７において、前記照合結果が不一致であった場合であっても、ユーザーが、風の影響又は薬品の添付物などにより照合結果が不一致となっており実際には照合結果が一致であるとして処理しても問題ないことが明らかであると判断して所定のユーザー操作を行った場合には、前記照合結果を一致として処理することが考えられる。この場合、前記制御部１０は、前記秤量部５Ｎに対応する前記秤量表示領域Ａ１Ｍの配色（背景色又は縁色）、及び前記処方表示領域Ａ１５におけるその薬品に対応する領域の配色（文字色又は背景色）などを前記第１特定色又は予め定められた第４特定色で表示させることが考えられる。さらに、前記所定のユーザー操作が行われる際、前記制御部１０は、前記照合結果と一致として処理する理由などを入力するためのコメント欄を表示し、前記コメント欄にユーザーによって入力されるコメントを前記処方データに対応付けて記録する。なお、前述したように、前記目視鑑査済みの薬品については、前記処方表示領域Ａ１５における前記目視鑑査済みの薬品の背景色が他の薬品とは異なることも考えられる。さらに、前記制御部１０は、前記目視鑑査済みの薬品が前記秤量部５Ｎに載置されている場合には、前記秤量部５Ｂに対応する前記秤量表示領域Ａ１Ｍの配色（背景色又は縁色）を予め定められた薄い青色などの第５特定色で表示させることが考えられる。
【０２２５】
［第９実施形態］
また、図２９に示すように、前記鑑査支援装置１００は、前記秤量部５１〜５４の校正を行う校正処理を実行可能な校正処理部１９３を備えることが考えられる。具体的には、前記制御部１０が、前記鑑査支援プログラムに従って各種の処理を実行することにより、前記校正処理部１９３として機能する。ここに、図３０Ａ〜図３０Ｅは、前記校正処理部１９３によって前記校正処理が実行される際の表示画面の遷移例を示す図である。
【０２２６】
具体的に、前記校正処理部１９３は、前記鑑査支援装置１００の初期設定を実行するための操作が行われた後、「天秤校正」の開始操作が行われると、図３０Ａ〜図３０Ｅに示すように、前記秤量部５１〜５４のいずれかの校正を実行するためのナビゲーション画面を前記表示部２０に表示させる。図３０Ａ〜図３０Ｅには、校正処理の内容として「１．天秤の指定」、「２．準備」、「３．重りを乗せる」、「４，重りを外す」、及び「５．完了」の手順を含むことが表示されている。また、図３０Ａ〜図３０Ｅでは、校正処理において現在実行中の手順が、その手順に対応する箇所の着色によって表示されている。例えば、図３０Ａでは、「１．天秤の指定」に対応する箇所のみが着色されており、図３０Ｂでは、「１．天秤の指定」及び「２．準備」に対応する箇所が着色されている。以下、各手順の表示及び処理について説明する。
【０２２７】
まず、図３０Ａは、「１．天秤の指定」に対応する第１表示画面である。前記第１表示画面では、「天秤のＡ／Ｄ１００ｇ補正分銅幅を校正します。校正対象となる天秤を選択肢、「次へ」ボタンを押して下さい。」のメッセージと共に、選択肢である前記秤量部５１〜５４に対応する「天秤１」、「天秤２」、「天秤３」、及び「天秤４」が表示されている。ここで、「天秤１」、「天秤２」、「天秤３」、及び「天秤４」のいずれかが選択されて「次へ」の操作キーが操作されと、前記校正処理部１９３は、その選択された天秤に対応する前記秤量部５１〜５４のいずれかの秤量部（以下、校正対象秤量部と言う）を前記校正処理における校正対象として選択する。
【０２２８】
次に、図３０Ｂは、「２．準備」に対応する第２表示画面である。前記第２表示画面では、「天秤１に何も乗っていないことを確認し、「次へ」ボタンを押して下さい。」のメッセージが表示されている。ここで、「次へ」の操作キーが操作されと、前記校正処理部１９３は、前記校正対象秤量部に何も乗っていない状態（秤量値が０の状態）と判断する。
【０２２９】
続いて、図３０Ｃは、「３．重りを乗せる」に対応する第３表示画面である。前記第３表示画面では、「重り（２００ｇ）を天秤１に乗せ、「次へ」ボタンを押して下さい。」のメッセージが表示されている。ここで、「次へ」の操作キーが操作されと、前記校正処理部１９３は、前記校正対象秤量部に重り（２００ｇ）が乗せられた状態と判断し、前記校正対象秤量部による秤量を実行する。
【０２３０】
その後、図３０Ｄは、「４．重りを外す」に対応する第４表示画面である。前記第４表示画面では、「重り（２００ｇ）を天秤１から外し、「次へ」ボタンを押して下さい。」のメッセージが表示されている。ここで、「次へ」の操作キーが操作されと、前記校正処理部１９３は、前記校正対象秤量部に何も乗っていない状態（秤量値が０の状態）と判断する。このとき、前記校正処理部１９３は、前記校正対象秤量部に重りが乗せられたときの秤量結果と前記校正対象秤量部に重りが乗せられていないときの秤量結果とに基づいて前記校正対象秤量部を校正する。具体的に、前記校正処理部１９３は、前記秤量部５１〜５４に対応する「Ａ／Ｄ１００ｇ補正分銅幅（天秤１）」、「Ａ／Ｄ１００ｇ補正分銅幅（天秤２）」、「Ａ／Ｄ１００ｇ補正分銅幅（天秤３）」、「Ａ／Ｄ１００ｇ補正分銅幅（天秤４）」のうち前記校正対象秤量部に対応する設定値を更新する。例えば、前記校正処理部１９３は、前記重りが乗せられていない場合に前記校正対象秤量部の前記ロードセル５６から出力されるアナログ信号と前記重りが乗せられた場合に前記校正対象秤量部の前記ロードセル５６から出力されるアナログ信号との差分を前記重りの重量（２００ｇ）で割って算出される１ｇ当りのアナログ値をＡ／Ｄ１００ｇ補正分銅幅として記録する。これにより、その後、前記鑑査支援装置１００では、前記校正処理部１９３で校正されたＡ／Ｄ１００ｇ補正分銅幅の値を用いて、前記校正対象秤量部の前記ロードセル５６から出力されるアナログ信号の値がデジタル信号の秤量結果に変換される。
【０２３１】
そして、図３０Ｅは、「５．完了」に対応する第５表示画面である。前記第５表示画面では、前記校正処理による校正が正常に行われた場合には、「天秤１の校正が完了しました。」のメッセージが表示される。なお、前記校正処理による校正途中でエラーが生じた場合には、前記第５表示画面に、「天秤１の校正に失敗しました。」のメッセージが表示される。例えば、前記校正処理部１９３は、前記校正対象秤量部に重りが乗っていないはずの状態で予め設定された値以上の秤量結果が得られた場合、又は、前記校正対象秤量部に重り（２００ｇ）が乗っているはずの状態で予め設定された範囲外の秤量結果が得られた場合にエラーと判断する。
【０２３２】
［第１０実施形態］
また、前記鑑査支援装置１００は、前記鑑査支援装置１００が受信した処方データの受信結果の照会を行う受信結果照会機能を備える。具体的には、前記制御部１０の前記表示処理部１７が、前記受信結果照会機能を具現するための受信結果照会処理を実行する。なお、前記鑑査支援装置１００では、前記制御部１０が、前記鑑査支援装置１００が受信した処方データが正常であるか否かを判断し、その判断結果を前記処方データに対応付けて前記記憶部４０に記憶させる。例えば、前記制御部１０は、前記処方データに薬品名が含まれていない場合、又は前記処方データに用法用量（分数）が含まれていない場合などのように前記処方データとして必要な情報が欠落している場合に、前記処方データが正常に受信されなかったと判断する。
【０２３３】
そして、前記表示処理部１７は、前記鑑査支援装置１００が受信した処方データの一覧を表示させるためのユーザー操作が行われた場合に、図３１Ａに示す未処理一覧画面及び図３１Ｂに示す未処理一覧画面のうち初期画面として予め設定された画面を表示させる。また、前記表示処理部１７は、前記未処理一覧画面における「正常」に対応する操作キー、及び「異常」に対応する操作キーの操作に応じて前記未処理一覧画面の表示内容を正常な処方データの一覧（図３１Ａ）、異常のある処方データ一覧（図３１Ｂ）に切り換える。図３１Ａに示されている前記未処理一覧画面では、前記鑑査支援装置１００が正常に受信した処方データについて、処方日、患者名、総Ｒｐ数、引換券番号などが表示される。一方、図３１Ｂに示されている前記未処理一覧画面では、前記鑑査支援装置１００が正常に受信できなかった異常のある処方データについて、発生日時、患者名、異常理由などが表示される。また、前記表示処理部１７は、前記未処理一覧画面において、「日付」、「ＩＤ」、「名称」、又は「引換券」などの項目を対象として処方データを検索して表示させることが可能である。例えば、図３１Ａでは、２０１３年１１月３０日の日付に対応する処方データの検索結果が表示されており、図３１Ｂでは、２０１４年６月１６日の日付に対応する処方データの検索結果が表示されている。
【符号の説明】
【０２３４】
１０  ：制御部
２０  ：表示部
３０  ：操作部
４０  ：記憶部
５０  ：秤量装置
５１〜５４：秤量部
５５：秤量皿
５６：ロードセル
６０  ：情報読取部
７０  ：撮影部
８０  ：タブレット端末
９０  ：カバー部材
１００：鑑査支援装置
【図１】
0006476729.tif 000002
【図２】
0006476729.tif 000003
【図３】
0006476729.tif 000004
【図４】
0006476729.tif 000005
【図５】
0006476729.tif 000006
【図６】
0006476729.tif 000007
【図７】
0006476729.tif 000008
【図８】
0006476729.tif 000009
【図９】
0006476729.tif 000010
【図１０】
0006476729.tif 000011
【図１１】
0006476729.tif 000012
【図１２】
0006476729.tif 000013
【図１３】
0006476729.tif 000014
【図１４】
0006476729.tif 000015
【図１５】
0006476729.tif 000016
【図１６】
0006476729.tif 000017
【図１７】
0006476729.tif 000018
【図１８】
0006476729.tif 000019
【図１９】
0006476729.tif 000020
【図２０】
0006476729.tif 000021
【図２１】
0006476729.tif 000022
【図２２】
0006476729.tif 000023
【図２３】
0006476729.tif 000024
【図２４】
0006476729.tif 000025
【図２５】
0006476729.tif 000026
【図２６】
0006476729.tif 000027
【図２７】
0006476729.tif 000028
【図２８】
0006476729.tif 000029
【図２９】
0006476729.tif 000030
【図３０Ａ】
0006476729.tif 000031
【図３０Ｂ】
0006476729.tif 000032
【図３０Ｃ】
0006476729.tif 000033
【図３０Ｄ】
0006476729.tif 000034
【図３０Ｅ】
0006476729.tif 000035
【図３１Ａ】
0006476729.tif 000036
【図３１Ｂ】
0006476729.tif 000037
【図３２】
0006476729.tif 000038